(57)【要約】  情報量の多い映像信号を送信することができる送信装置を提供する。送信装置は、映像信号を取得する映像取得部と、映像信号をＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）規格に準拠した電気信号に変換する第１変換部と、映像信号を光信号に変換する第２変換部と、取得された映像信号に対して、第１変換部を用いた変換および第２変換部を用いた変換の少なくとも一方を行う信号処理部と、を備える。
2017209097.tif 000002
【特許請求の範囲】
【請求項１】
映像信号を取得する映像取得部と、
前記映像信号をＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）規格に準拠した電気信号に変換する第１変換部と、
前記映像信号を光信号に変換する第２変換部と、
取得された前記映像信号に対して、前記第１変換部を用いた変換および前記第２変換部を用いた変換の少なくとも一方を行う信号処理部と、を備える、
送信装置。
【請求項２】
前記信号処理部は、取得された前記映像信号に対して映像分離処理をさらに行い、前記映像分離処理において、
（ｉ）取得された前記映像信号を、当該映像信号に含まれる画像の第１周波数成分を構成する第１映像信号と、前記画像の周波数成分であって前記第１周波数成分よりも高域の周波数成分である第２周波数成分を構成する第２映像信号と、に分離し、
（ｉｉ）前記第１映像信号を、前記第１変換部を用いて前記電気信号に変換し、
（ｉｉｉ）前記第２映像信号を、前記第２変換部を用いて前記光信号に変換する、
請求項１に記載の送信装置。
【請求項３】
前記信号処理部は、
前記第２映像信号のサンプリング周波数を前記映像信号のサンプリング周波数よりも下げるサブサンプリング処理を行い、
サブサンプリング処理された前記第２映像信号を、前記第２変換部を用いて前記光信号に変換する、
請求項２に記載の送信装置。
【請求項４】
前記信号処理部は、前記映像分離処理において、取得された前記映像信号を、所定の解像度の画像を構成する前記第１映像信号と、取得された前記映像信号から前記第１映像信号の信号成分を除いた前記第２映像信号と、に分離する、
請求項２に記載の送信装置。
【請求項５】
前記所定の解像度を有する画像を構成する映像信号が前記第１変換部を用いて電気信号として伝送されるときの伝送レートは、前記ＨＤＭＩ（登録商標）規格において定められる電気信号の最大伝送レートよりも小さい所定の伝送レート以下である、
請求項４に記載の送信装置。
【請求項６】
前記送信装置の外部に設けられた受信装置と前記送信装置とを接続するためのケーブルが接続されるコネクタであって、前記電気信号を前記受信装置に出力するための端子、および、前記光信号を前記受信装置に出力するための端子を有するコネクタと、
前記コネクタに前記ケーブルが接続されているときに、前記ケーブルが有する記憶部から、当該ケーブルの電気信号の最大伝送レートを示すケーブル情報を取得するケーブル情報取得部と、
前記送信装置の外部に設けられた前記受信装置が受信可能な前記電気信号の最大伝送レートを示す受信機情報を取得する受信機情報取得部と、をさらに備え、
前記信号処理部は、取得された前記受信機情報および取得された前記ケーブル情報に基づいて、前記映像分離処理を行う、
請求項２に記載の送信装置。
【請求項７】
前記受信機情報取得部は、前記受信機情報を電気信号として取得できない場合に、前記光信号の伝送路を通じて、前記受信機情報を光信号として取得する、
請求項６に記載の送信装置。
【請求項８】
前記送信装置は、音声信号を取得する音声取得部をさらに備え、
前記第１変換部は、さらに前記音声信号を前記電気信号に変換し、
前記信号処理部は、
取得された前記音声信号を、前記第１変換部を用いて前記電気信号に変換し、
取得された前記映像信号を、前記第２変換部を用いて前記光信号に変換する
請求項１に記載の送信装置。
【請求項９】
前記送信装置の外部に設けられた受信装置との間で、前記電気信号の伝送路を介して電力の送電または受電を行う送受電部をさらに備え、
前記信号処理部は、前記映像取得部によって取得された前記映像信号を、前記第２変換部を用いて前記光信号に変換する、
請求項１に記載の送信装置。
【請求項１０】
前記信号処理部は、
取得された前記映像信号を、前記第２変換部を用いて前記光信号に変換し、
前記送信装置の外部に設けられた受信装置から、前記ＨＤＭＩ（登録商標）規格において定められるＡＲＣ（Ａｕｄｉｏ  Ｃｈａｎｎｅｌ  Ｓｉｇｎａｌ）信号を、前記電気信号の伝送路を通じて取得する、
請求項１に記載の送信装置。
【請求項１１】
前記光信号を複数の伝送路を通じて分割して伝送するための複数の端子をさらに備える、
請求項１に記載の送信装置。
【請求項１２】
前記複数の伝送路における伝送品質を示す伝送品質情報を取得する伝送品質取得部をさらに備え、
前記第２変換部は、取得された前記伝送品質情報に基づいて、前記複数の伝送路のうちの一部の伝送路に対応する１以上の端子を前記複数の端子の中から選択し、選択した前記１以上の端子に前記光信号を分割して出力する、
請求項１１に記載の送信装置。
【請求項１３】
映像信号が再構成された信号を出力する受信装置であって、
前記映像信号の一部である第１映像信号を含むＨＤＭＩ（登録商標）規格に準拠した電気信号を取得し、取得した前記電気信号を用いて前記第１映像信号を再構成する第１再構成部と、
前記映像信号の一部である第２映像信号を含む光信号を取得し、取得した前記光信号を用いて前記第２映像信号を再構成する第２再構成部と、
再構成された前記第１映像信号と再構成された前記第２映像信号とを合成して合成映像信号を生成し、生成した前記合成映像信号を前記再構成された信号として出力する合成部と、を備える、
受信装置。
【請求項１４】
前記第１映像信号は、前記映像信号に含まれる画像の第１周波数成分を構成し、
前記第２映像信号は、前記画像の周波数成分であって前記第１周波数成分よりも高域の周波数成分である第２周波数成分を構成する、
請求項１３に記載の受信装置。
【請求項１５】
前記第２映像信号は、サブサンプリング処理されることにより、サンプリング周波数が前記映像信号のサンプリング周波数よりも下げられた信号である、
請求項１４に記載の受信装置。
【請求項１６】
前記受信装置が受信可能な前記電気信号の最大伝送レートを示す受信機情報、および、前記受信装置が前記電気信号および前記光信号の両方を取得して信号処理を行うときに、信号処理可能な最大解像度を示す解像度情報が記憶された記憶部と、
前記受信機情報および前記解像度情報を前記受信装置の外部に設けられた送信装置に出力するための端子と、をさらに備える
請求項１３に記載の受信装置。
【請求項１７】
分割された前記光信号を複数の伝送路を通じて取得するための複数の端子をさらに備える、
請求項１３に記載の受信装置。
【請求項１８】
請求項６に記載のケーブルであって、当該ケーブルの電気信号の最大伝送レートを示すケーブル情報が記憶された記憶部を有する、
ケーブル。
【請求項１９】
送信装置によって実行される送信方法であって、
前記送信装置は、
映像信号をＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）規格に準拠した電気信号に変換する第１変換部と、
前記映像信号を光信号に変換する第２変換部と、を備え、
前記送信方法は、
前記映像信号を取得し、
取得された前記映像信号に対して、前記第１変換部を用いた変換および前記第２変換部を用いた変換の少なくとも一方を行う、
送信方法。
【請求項２０】
映像信号が再構成された信号を出力する受信装置によって実行される受信方法であって、
前記映像信号の一部である第１映像信号を含むＨＤＭＩ（登録商標）規格に準拠した電気信号を取得し、取得した前記電気信号を用いて前記第１映像信号を再構成し、
前記映像信号の一部である第２映像信号を含む光信号を取得し、取得した前記光信号を用いて前記第２映像信号を再構成し、
再構成された前記第１映像信号と再構成された前記第２映像信号とを合成して合成映像信号を生成し、生成した前記合成映像信号を前記再構成された信号として出力する、
受信方法。
【発明の詳細な説明】
【技術分野】
【０００１】
本開示は、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）規格に準拠した電気信号と光信号とを送信する送信装置、それらの信号を受信する受信装置、それらの信号の送受信に用いられるケーブル、送信方法、および受信方法に関する。
【背景技術】
【０００２】
ＨＤＭＩ（登録商標）規格（例えば、非特許文献１参照）においては、信号の伝送方式が定められており、その伝送方式は、ＡＶ（Ａｕｄｉｏ  Ｖｉｓｕａｌ）機器間の映像信号および音声信号の伝送に広く利用されている。【０００３】
一方、テレビジョン（以下、「テレビ」ともいう）の高精細化が進むと、映像信号および音声信号の情報量が増加する。そのため、物理的な制限により、電気信号で表された映像信号を送信することが困難な場合がある。
【先行技術文献】
【非特許文献】
【０００４】
【非特許文献１】ＨＤＭＩ（登録商標）  Ｓｐｅｃｉｆｉｃａｔｉｏｎ  Ｖｅｒ．１．３ａ［平成２７年１２月１日検索］、インターネット＜URL：http://www.hdmi.org/manufacturer/specification.aspx＞
【発明の概要】
【０００５】
本開示は、情報量が相対的に多い映像信号を送信することができる送信装置を提供する。
【０００６】
本開示の送信装置は、映像信号を取得する映像取得部と、前記映像信号をＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）規格に準拠した電気信号に変換する第１変換部と、前記映像信号を光信号に変換する第２変換部と、取得された前記映像信号に対して、前記第１変換部を用いた変換および前記第２変換部を用いた変換の少なくとも一方を行う信号処理部と、を備える。
【０００７】
本開示によれば、情報量が相対的に多い映像信号を送信することができる。
【図面の簡単な説明】
【０００８】
【図１】図１は、実施の形態１における送受信システムの概略構成を模式的に示す図である。
【図２】図２は、実施の形態１における送信装置の構成の一例を模式的に示すブロック図である。
【図３】図３は、実施の形態１の映像分離処理における、分離部および周波数変換部の動作を説明するための図である。
【図４】図４は、実施の形態１における受信装置の構成の一例を模式的に示すブロック図である。
【図５】図５は、実施の形態２における送信装置の動作例１のフローチャートである。
【図６】図６は、実施の形態２における送信装置の動作例２のフローチャートである。
【図７】図７は、実施の形態３における送信装置の動作例のフローチャートである。
【図８】図８は、実施の形態４における送信装置の構成の一例を模式的に示すブロック図である。
【図９】図９は、実施の形態４における受信装置の構成の一例を模式的に示すブロック図である。
【図１０】図１０は、実施の形態５における送受信システムの構成の一例を模式的に示す図である。
【発明を実施するための形態】
【０００９】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００１０】
なお、添付図面および以下の説明は、当業者が本開示を十分に理解するために提供されるのであって、これらにより特許請求の範囲に記載の主題を限定することは意図されていない。
【００１１】
また、各図は、模式図であり、必ずしも厳密に図示されたものではない。また、各図において、実質的に同一の構成要素に対しては同一の符号を付しており、重複する説明は省略または簡略化される場合がある。
【００１２】
（実施の形態１）
［１−１．送受信システムの概略構成］
以下、実施の形態１における送受信システム１０について図面を参照しながら説明する。まず、実施の形態１における送受信システム１０の概略構成について説明する。
【００１３】
図１は、実施の形態１における送受信システム１０の概略構成を模式的に示す図である。
【００１４】
図１に示されるように、送受信システム１０は、送信装置１００と、受信装置２００と、ケーブル３００と、を備える。
【００１５】
送信装置１００は、映像ベースバンド信号に対して信号処理を行い、信号処理後の信号を、送信装置１００の外部に設けられた受信装置２００に送信する装置である。送信装置１００は、ＨＤＭＩ（登録商標）規格におけるソース機器として動作し、複合コネクタ１０９を備える。送信装置１００は、映像ベースバンド信号をＨＤＭＩ（登録商標）規格に準拠した電気信号に変換し、その電気信号を送信することができる。また、詳細は後述するが、送信装置１００は、映像ベースバンド信号を光信号に変換し、その光信号を送信することもできる。なお、光信号とは、電気信号に応じて光が変調されて生成された信号を意味する。以下の実施の形態において、光信号であることが示されていない信号は、基本的には電気信号である。
【００１６】
送信装置１００は、具体的には、ブルーレイ（登録商標）プレイヤー、ＨＤＤ（Ｈａｒｄ  Ｄｉｓｋ  Ｄｒｉｖｅ）レコーダ、セットトップボックス、または、スマートフォン、等である。送信装置１００は、集積回路として実現されてもよく、その場合、送信装置１００は、複合コネクタ１０９を備えていなくてもよい。
【００１７】
受信装置２００は、送信装置１００から電気信号および光信号の少なくとも一方を受信し、受信した信号に基づいた映像を出力（表示）する装置である。受信装置２００は、ＨＤＭＩ（登録商標）規格におけるシンク機器として動作し、複合コネクタ２０９を備える。受信装置２００は、具体的には、テレビジョンセット、ブルーレイ（登録商標）プレイヤー、ＨＤＤレコーダ、パーソナルコンピュータ、スマートフォン、またはタブレット端末、等である。
【００１８】
ケーブル３００は、送信装置１００と受信装置２００とを電気的および光学的に相互に接続するケーブルである。言い換えると、送信装置１００と受信装置２００とは、ケーブル３００によって相互に有線接続される。ケーブル３００の一端には、コネクタ構造（図示せず）が取り付けられ、当該コネクタ構造は、送信装置１００の複合コネクタ１０９に着脱自在に接続される。また、ケーブル３００の他端には、コネクタ構造（図示せず）が取り付けられ、当該コネクタ構造は、受信装置２００の複合コネクタ２０９に着脱自在に接続される。
【００１９】
ケーブル３００は、ケーブル３００の電気信号の最大伝送レートを示すケーブル情報が記憶された記憶部３０１を有してもよい。なお、伝送レートとは、単位時間（例えば、１秒間）に伝送される情報量のことであり、最大伝送レートとは、単位時間（例えば、１秒間）に伝送可能な情報量の最大値のことである。また、ケーブル３００は、ケーブル情報を出力するための端子（図示せず）を備えていてもよい。その場合、送信装置１００は、記憶部３０１からケーブル情報を取得することができる。記憶部３０１は、具体的には、半導体メモリまたは半導体チップ等であるが、抵抗等で実現されてもよい。また、記憶部３０１には、光信号の最大伝送レートがさらに記憶されてもよい。なお、記憶部３０１およびケーブル情報を出力するための端子は、本開示において必須の構成要素ではない。
【００２０】
［１−２．送信装置の構成］
次に、送信装置１００の構成について説明する。
【００２１】
図２は、実施の形態１における送信装置１００の構成の一例を模式的に示すブロック図である。
【００２２】
図２に示されるように、送信装置１００は、映像取得部１０１と、信号処理部１１０と、エンコード部１０３と、電気−光変換部１０５と、音声取得部１０６と、制御部１０７と、送受電部１０８と、複合コネクタ１０９と、を備える。信号処理部１１０は、分離部１０２および周波数変換部１０４を備える。
【００２３】
送信装置１００は、複数の画像（動画像）を構成する映像ベースバンド信号１１１を、ＨＤＭＩ（登録商標）規格に準拠した電気信号に変換することができる。また、送信装置１００は、映像ベースバンド信号１１１を、光信号に変換することができる。また、送信装置１００は、映像ベースバンド信号１１１の一部を電気信号に変換し、映像ベースバンド信号１１１の他の一部を光信号に変換することもできる。
【００２４】
映像取得部１０１は、非圧縮の（圧縮されていない）信号である映像ベースバンド信号１１１を取得し、信号処理部１１０の分離部１０２に出力する。映像取得部１０１は、例えば、送信装置１００の外部に設けられた装置（図示せず）から映像ベースバンド信号１１１を取得してもよい。あるいは、送信装置１００は、送信装置１００の内部に映像ベースバンド信号１１１を再生する装置（図示せず）を備える場合は、その装置から映像ベースバンド信号１１１を取得してもよい。また、送信装置１００が、圧縮された映像信号から映像ベースバンド信号１１１を生成する映像信号生成部（図示せず）を備える場合には、映像取得部１０１は、その映像信号生成部によって生成された映像ベースバンド信号１１１を取得してもよい。
【００２５】
映像取得部１０１は、例えば、地上波放送または衛星放送のテレビジョン放送波、ブルーレイ（登録商標）ディスク等の記録媒体、テレビジョン放送信号送信用のケーブル、またはインターネット、等を通じて、映像ベースバンド信号１１１を取得する。
【００２６】
音声取得部１０６は、非圧縮の（圧縮されていない）信号である音声ベースバンド信号１１３を取得し、エンコード部１０３に出力する。音声取得部１０６は、例えば、送信装置１００の外部に設けられた装置（図示せず）から音声ベースバンド信号１１３を取得してもよい。あるいは、送信装置１００は、送信装置１００の内部に音声ベースバンド信号１１３を再生する装置（図示せず）を備える場合は、その装置から音声ベースバンド信号１１３を取得してもよい。また、送信装置１００が、圧縮された音声信号から音声ベースバンド信号１１３を生成する音声信号生成部（図示せず）を備える場合には、音声取得部１０６は、その音声信号生成部によって生成された音声ベースバンド信号１１３を取得してもよい。
【００２７】
音声取得部１０６は、例えば、地上波放送または衛星放送のテレビジョン放送波、ブルーレイ（登録商標）ディスク等の記録媒体、テレビジョン放送信号送信用のケーブル、またはインターネット、等を通じて、音声ベースバンド信号１１３を取得する。
【００２８】
なお、映像取得部１０１が取得する映像ベースバンド信号１１１と、音声取得部１０６が取得する音声ベースバンド信号１１３とは、通常は、１つの動画コンテンツを構成する互いに同期の取れた信号である。したがって、映像取得部１０１による映像ベースバンド信号１１１の取得と、音声取得部１０６による音声ベースバンド信号１１３の取得とは、例えば、互いに並行して同じ期間に行われる。同様に、音声取得部１０６によるエンコード部１０３への音声ベースバンド信号１１３の出力と、信号処理部１１０による低域映像信号１１２の出力とは、例えば、互いに並行して同じ期間に行われる。
【００２９】
信号処理部１１０の分離部１０２は、映像取得部１０１から取得された映像ベースバンド信号１１１の全部をそのままエンコード部１０３に出力することにより、その取得された映像ベースバンド信号１１１に対して、エンコード部１０３による変換を行う。また、信号処理部１１０の分離部１０２は、映像取得部１０１から取得された映像ベースバンド信号１１１の全部をそのまま周波数変換部１０４を介して電気−光変換部１０５に出力することにより、その取得された映像ベースバンド信号１１１に対して、電気−光変換部１０５による変換を行う。
【００３０】
このように、信号処理部１１０は、映像取得部１０１で取得された映像ベースバンド信号１１１に対して、エンコード部１０３による変換、および電気−光変換部１０５による変換の少なくとも一方を行う。
【００３１】
また、信号処理部１１０は、映像取得部１０１で取得された映像ベースバンド信号１１１に対して映像分離処理を行うこともできる。その映像分離処理では、信号処理部１１０は、映像取得部１０１から取得された映像ベースバンド信号１１１を、低域映像信号１１２と第２高域映像信号１１６とに分離して出力する。そして、信号処理部１１０は、低域映像信号１１２をエンコード部１０３に出力することで、低域映像信号１１２を、エンコード部１０３によりＨＤＭＩ（登録商標）に準拠した電気信号１１４に変換する。また、信号処理部１１０は、第２高域映像信号１１６を電気−光変換部１０５に出力することで、第２高域映像信号１１６を、電気−光変換部１０５により光信号１１７に変換する。
【００３２】
以上のような映像分離処理は、具体的には、信号処理部１１０が備える分離部１０２および周波数変換部１０４によって行われる。以下、本実施の形態における映像分離処理について、図３を参照しながら説明する。
【００３３】
図３は、実施の形態１の映像分離処理における、分離部１０２および周波数変換部１０４の動作を説明するための図である。なお、映像ベースバンド信号１１１を周波数領域おいて映像分離処理する必要がある場合には、ＤＣＴ（Ｄｉｓｃｒｅｔｅ  Ｃｏｓｉｎｅ  Ｔｒａｎｓｆｏｒｍ）および逆ＤＣＴ等の変換処理が適宜行われる。なお、ＤＣＴおよび逆ＤＣＴは一般に知られた信号変換技術であるので、ここではその説明を省略する。
【００３４】
分離部１０２は、画像を構成する映像ベースバンド信号１１１を、低域映像信号１１２と第１高域映像信号１１５とに分離する。低域映像信号１１２は、画像の低周波成分を構成する信号であり、第１高域映像信号１１５は、画像の高周波成分を構成する信号である。なお、以下の説明では、特に断りのない限り、周波数成分とは画像の空間周波数成分を意味する。
【００３５】
映像ベースバンド信号１１１の元の映像信号が有するサンプリング周波数がＦｓであるとき、分離部１０２は、まず、帯域０以上Ｆｓ／４以下の周波数成分のみを通過する低域通過フィルタ回路に映像ベースバンド信号１１１を通す。これにより、図３の（ａ）に示される映像ベースバンド信号１１１（帯域０以上Ｆｓ／２以下の周波数成分を有する信号）から、図３の（ｂ）に示されるような周波数成分（帯域０以上Ｆｓ／４以下の周波数成分）を有する信号が得られる。
【００３６】
次に、分離部１０２は、図３の（ｂ）に示されるような周波数成分を有する信号を、サンプリング周波数Ｆｓ／２でサブサンプリング（ダウンサンプリング）する。このようにして得られた信号が低域映像信号１１２である。低域映像信号１１２の周波数成分（帯域０以上Ｆｓ／４以下の周波数成分）は、図３の（ｃ）に示される。低域映像信号１１２は、分離部１０２からエンコード部１０３に出力される。そして、エンコード部１０３は、低域映像信号１１２を、ＨＤＭＩ（登録商標）に準拠した電気信号１１４に変換する。なお、上記に説明した分離部１０２の処理は、例えば、画像の水平方向および垂直方向のそれぞれについて行われる。
【００３７】
分離部１０２は、映像ベースバンド信号１１１（帯域０以上Ｆｓ／２以下の周波数成分を有する信号）を、帯域Ｆｓ／４以上Ｆｓ／２以下の周波数成分を通すバンドパスフィルタ回路にも通す。分離部１０２は、このバンドパスフィルタ回路から得られる信号（帯域Ｆｓ／４以上Ｆｓ／２以下の周波数成分の信号）を、第１高域映像信号１１５として周波数変換部１０４に出力する。第１高域映像信号１１５の周波数成分は、図３の（ｄ）に示される。
【００３８】
周波数変換部１０４は、第１高域映像信号１１５のサンプリング周波数をＦｓからＦｓ／２に変換する。すなわち、周波数変換部１０４は、第１高域映像信号１１５をサンプリング周波数Ｆｓ／２でサブサンプリング（ダウンサンプリング）する。第１高域映像信号１１５を、このようにサブサンプリング処理して得られた信号が第２高域映像信号１１６である。第２高域映像信号１１６の周波数成分は、図３の（ｅ）に示される。
【００３９】
第１高域映像信号１１５をサンプリング周波数Ｆｓ／２でサブサンプリングすることで、第２高域映像信号１１６の周波数成分は、第１高域映像信号１１５の周波数成分が低域に向かって折り返された形となる。第２高域映像信号１１６は、周波数変換部１０４から電気−光変換部１０５に出力される。そして、電気−光変換部１０５は、第２高域映像信号１１６を、光信号１１７に変換する。なお、周波数変換部１０４によって行われるサブサンプリング処理は、本開示において必須の処理ではない。
【００４０】
エンコード部１０３は、エンコード部１０３に入力される信号をＨＤＭＩ（登録商標）規格に準拠した電気信号１１４（ＨＤＭＩ（登録商標）信号）に変換（エンコード）する。エンコード部１０３は、具体的には、低域映像信号１１２と、この映像信号に対応（同期）する音声ベースバンド信号１１３と、を含む電気信号１１４を生成する。電気信号１１４は、金属を含んで形成された配線等の伝送路を通じて、複合コネクタ１０９が有する端子１０９ａから出力される。端子１０９ａは、電気信号１１４を受信装置２００等の外部装置に出力するための出力端子であり、金属を含んで形成されている。
【００４１】
電気−光変換部１０５は、映像ベースバンド信号１１１を光信号１１７に変換する。電気−光変換部１０５は、具体的には、第２高域映像信号１１６を光信号１１７に変換する。電気−光変換部１０５は、例えば、発光ダイオード等を用いて第２高域映像信号１１６を光信号１１７に変換する。光信号１１７は、光信号を伝送する光ファイバ等の伝送路を通じて、複合コネクタ１０９が有する光出力用の端子１０９ｂから出力される。なお、映像ベースバンド信号１１１に映像分離処理が行われた場合、電気信号１１４の出力と光信号１１７の出力とは互いに並列に行われてもよい。
【００４２】
制御部１０７は、受信装置２００から送信されてくるシリアル制御信号１２０を受信し、受信したシリアル制御信号１２０に基づいて、音声制御信号１１８を音声取得部１０６に出力し、映像制御信号１１９を映像取得部１０１に出力する。シリアル制御信号１２０は、複合コネクタ１０９が有する端子１０９ｃを介して受信される。制御部１０７は、受信したシリアル制御信号１２０に基づいて、信号処理部１１０、エンコード部１０３、および電気−光変換部１０５に制御信号を出力してもよい。また、制御部１０７は、受信したシリアル制御信号１２０に基づいて、電力供給（以下、「送電」という）または電力受給（以下、「受電」という）の指示を示す電力制御信号１２１を送受電部１０８に出力する。なお、図２では、制御部１０７が出力する制御信号を破線の矢印で示す。
【００４３】
シリアル制御信号１２０には、例えば、受信装置２００の受信機情報が含まれる。受信機情報は、例えば、受信装置２００が受信可能な電気信号１１４の最大伝送レートを示す。
【００４４】
なお、制御部１０７は、端子１０９ｃを介して受信装置２００に制御信号を送信してもよい。
【００４５】
送受電部１０８は、電力制御信号１２１に基づいて、受信装置２００への送電または受信装置２００からの受電を行う。受信装置２００への送電または受信装置２００からの受電は、複合コネクタ１０９が有する端子１０９ｄを介して行われる。
【００４６】
複合コネクタ１０９は、電気信号１１４を出力するための端子１０９ａと、光信号１１７を出力するための端子１０９ｂと、その他の端子とが複合されたコネクタ構造である。複合コネクタ１０９には、ケーブル３００が接続される。複合コネクタ１０９の電気信号１１４に関連する部分は、ＨＤＭＩ（登録商標）規格で定められた仕様を満たしている。
【００４７】
複合コネクタ１０９は、ケーブル３００が備える記憶部３０１からケーブル情報３２０を取得するための端子１０９ｅを有する。ケーブル３００が複合コネクタ１０９に接続されると、ケーブル３００が有する端子でありかつケーブル情報３２０を出力するための端子（図示せず）と端子１０９ｅとが互いに電気的に接続される。したがって、制御部１０７は、ケーブル情報３２０を、端子１０９ｅを介して取得可能である。ケーブル情報３２０は、図２に示す構成例では、制御部１０７によって取得されるが、信号処理部１１０によって取得されてもよい。なお、複合コネクタ１０９は、１つのコネクタハウジングの中に、上述の端子１０９ａ〜１０９ｅを有する。
【００４８】
上述した複合コネクタ１０９に含まれる端子の数等は、一例であり、本開示は何ら上述の構成に限定されない。例えば、複合コネクタ１０９は、光信号１１７を出力するための端子１０９ｂを複数備えてもよい。また、送信装置１００は、複合コネクタ１０９に代えて、電気信号１１４を出力するためのコネクタと、光信号１１７を出力するためのコネクタとを、別々に備えてもよい。この構成の場合、電気信号１１４を出力するためのコネクタは、ＨＤＭＩ（登録商標）規格に準拠した構造であることが望ましい。
【００４９】
以上説明した送信装置１００の各構成要素は、具体的には、プロセッサ、マイクロコンピュータ、半導体集積回路、または専用回路、等によって実現される。例えば、各構成要素は、単体のプロセッサとして実現されてもよいし、１つのプロセッサが有する機能の一部として実現されてもよい。
【００５０】
例えば、映像取得部１０１、音声取得部１０６、信号処理部１１０、エンコード部１０３、電気−光変換部１０５がプロセッサによって実現され、制御部１０７および送受電部１０８が回路によって実現されてもよい。
【００５１】
また、送信装置１００は、プロセッサが実行するプログラム（プロセッサが各構成要素を実現するためのプログラム）が記憶された記憶部（図示せず）を備えてもよい。この記憶部は、例えば、半導体メモリ等によって実現されてもよい。
【００５２】
［１−３．受信装置の構成］
次に、受信装置２００の構成について、図４を用いて説明する。
【００５３】
図４は、実施の形態１における受信装置２００の構成の一例を模式的に示すブロック図である。
【００５４】
図４に示されるように、受信装置２００は、デコード部２０１と、合成部２０４と、光−電気変換部２０２と、周波数変換部２０３と、映像出力部２０５と、音声出力部２０６と、制御部２０７と、送受電部２０８と、複合コネクタ２０９と、を備える。
【００５５】
複合コネクタ２０９は、電気信号１１４を取得するための端子２０９ａと、光信号１１７を取得するための端子２０９ｂと、その他の端子とが複合されたコネクタ構造である。複合コネクタ２０９には、ケーブル３００が接続される。複合コネクタ２０９の電気信号１１４に関連する部分は、ＨＤＭＩ（登録商標）規格で定められた仕様を満たしている。
【００５６】
複合コネクタ２０９が有する端子２０９ａは、ケーブル３００によって複合コネクタ１０９が有する端子１０９ａと電気的に接続され、複合コネクタ２０９が有する端子２０９ｂは、ケーブル３００によって複合コネクタ１０９が有する端子１０９ｂと光学的に接続される。また、複合コネクタ２０９が有する端子２０９ｃは、ケーブル３００によって複合コネクタ１０９が有する端子１０９ｃと電気的に接続され、複合コネクタ２０９が有する端子２０９ｄは、ケーブル３００によって複合コネクタ１０９が有する端子１０９ｄと電気的に接続される。複合コネクタ２０９は、１つのコネクタハウジングの中に、端子２０９ａ〜２０９ｄを有する。
【００５７】
上述した複合コネクタ２０９に含まれる端子の数等は、一例であり、本開示は何ら上述の構成に限定されない。例えば、複合コネクタ２０９は、光信号１１７を受信するための端子２０９ｂを複数備えてもよい。
【００５８】
デコード部２０１は、複合コネクタ２０９が有する端子２０９ａを介してＨＤＭＩ（登録商標）規格に準拠した電気信号１１４を取得し、取得した電気信号１１４をデコード（再構成）して、低域映像信号１１２Ａと音声ベースバンド信号１１３Ａとに分離する。言い換えると、デコード部２０１は、取得した電気信号１１４を用いて音声ベースバンド信号１１３Ａを生成（音声ベースバンド信号１１３Ａを再構成）し、低域映像信号１１２Ａを生成（低域映像信号１１２Ａを再構成）する。そして、デコード部２０１は、音声ベースバンド信号１１３Ａを音声出力部２０６に出力し、低域映像信号１１２Ａを合成部２０４に出力する。なお、低域映像信号１１２Ａは、送信装置１００における低域映像信号１１２と実質的に同じ信号であり、音声ベースバンド信号１１３Ａは、送信装置１００における音声ベースバンド信号１１３と実質的に同じ信号である。
【００５９】
光−電気変換部２０２は、複合コネクタ２０９が有する端子２０９ｂを介して光信号１１７を取得し、取得した光信号１１７を電気信号に変換する。光−電気変換部２０２は、例えば、フォトダイオード等を用いて光信号１１７を電気信号に変換する。この電気信号は、第２高域映像信号１１６Ａである。つまり、光−電気変換部２０２は、取得した光信号１１７を用いて第２高域映像信号１１６Ａを生成（第２高域映像信号１１６Ａを再構成）する。第２高域映像信号１１６Ａは、送信装置１００における第２高域映像信号１１６と実質的に同じ信号であり、図３の（ｅ）に示される周波数成分を有する信号である。
【００６０】
周波数変換部２０３は、第２高域映像信号１１６Ａのサンプリング周波数をＦｓ／２からＦｓに変換した後、変換後の第２高域映像信号１１６Ａを帯域Ｆｓ／４以上Ｆｓ／２以下の信号を通す高域通過フィルタ回路に通して、第１高域映像信号１１５Ａを生成（第１高域映像信号１１５Ａを再構成）する。第１高域映像信号１１５Ａは、送信装置１００における第１高域映像信号１１５と実質的に同じ信号であり、図４（ｄ）に示される周波数成分（帯域Ｆｓ／４以上Ｆｓ／２以下の周波数成分）を有する。
【００６１】
合成部２０４は、再構成された低域映像信号１１２Ａと、再構成された第１高域映像信号１１５Ａとを合成し、合成によって再構成された映像ベースバンド信号１１１Ａを出力する。映像ベースバンド信号１１１Ａは、送信装置１００における映像ベースバンド信号１１１と実質的に同じ信号である。
【００６２】
映像出力部２０５は、映像ベースバンド信号１１１Ａに基づいた映像を出力する。映像は、例えば、時間的に連続する複数の画像で構成された動画像である。映像出力部２０５は、例えば、液晶パネルまたは有機ＥＬ（Ｅｌｅｃｔｒｏ  Ｌｕｍｉｎｅｓｃｅｎｃｅ）パネル等を備えて構成された表示装置である。
【００６３】
音声出力部２０６は、音声ベースバンド信号１１３Ａに基づいた音声を出力する。音声出力部２０６は、例えば、スピーカ装置等である。
【００６４】
制御部２０７は、受信装置２００の受信機情報が含まれたシリアル制御信号１２０を、複合コネクタ２０９が有する端子２０９ｃを介して送信装置１００へ送信する。また、制御部２０７は、受信装置２００の受信機情報を記憶した記憶部２０７ａを有する。受信機情報は、例えば、受信装置２００が電気信号として受信可能な最大伝送レートを示す。なお、記憶部２０７ａは、制御部２０７の外部に設けられてもよい。記憶部２０７ａは、例えば、半導体メモリ等によって実現されてもよい。
【００６５】
また、制御部２０７は、送電または受電の指示を示す電力制御信号２２１を送受電部２０８に出力する。制御部２０７は、デコード部２０１、光−電気変換部２０２、周波数変換部２０３、合成部２０４、映像出力部２０５、および音声出力部２０６に制御信号を出力してもよい。なお、図４では、制御部２０７が出力する制御信号を破線の矢印で示す。
【００６６】
なお、制御部２０７は、端子２０９ｃを介して送信装置１００から制御信号を受信してもよい。
【００６７】
送受電部２０８は、電力制御信号２２１に基づいて、送信装置１００への送電または送信装置１００からの受電を行う。送信装置１００への送電または送信装置１００からの受電は、複合コネクタ２０９が有する端子２０９ｄを介して行われる。
【００６８】
以上説明した受信装置２００の各構成要素は、具体的には、プロセッサ、マイクロコンピュータ、半導体集積回路、または専用回路、等によって実現される。例えば、各構成要素は、単体のプロセッサとして実現されてもよいし、１つのプロセッサが有する機能の一部として実現されてもよい。
【００６９】
例えば、デコード部２０１、光−電気変換部２０２、周波数変換部２０３、および合成部２０４がプロセッサによって実現され、記憶部２０７ａが半導体メモリによって実現され、制御部２０７および送受電部２０８が回路によって実現されてもよい。
【００７０】
また、受信装置２００は、プロセッサが実行するプログラム（プロセッサが各構成要素を実現するためのプログラム）が記憶された記憶部を備えてもよい。この記憶部は、記憶部２０７ａに含まれてもよく、記憶部２０７ａとは別体であってもよい。この記憶部は、例えば、半導体メモリ等によって実現されてもよい。
【００７１】
［１−４．実施の形態１の効果等］
以上のように、本実施の形態において、送信装置は、映像信号を取得する映像取得部と、映像信号をＨＤＭＩ（登録商標）規格に準拠した電気信号に変換する第１変換部と、映像信号を光信号に変換する第２変換部と、取得された映像信号に対して、第１変換部を用いた変換および第２変換部を用いた変換の少なくとも一方を行う信号処理部と、を備える。
【００７２】
また、本実施の形態における送信方法は、送信装置によって実行される送信方法であって、送信装置は、映像信号をＨＤＭＩ（登録商標）規格に準拠した電気信号に変換する第１変換部と、映像信号を光信号に変換する第２変換部と、を備え、送信方法は、映像信号を取得し、取得された映像信号に対して、第１変換部を用いた変換および第２変換部を用いた変換の少なくとも一方を行う。
【００７３】
なお、送信装置１００は送信装置の一例である。映像ベースバンド信号１１１は映像信号の一例である。映像取得部１０１は映像取得部の一例である。エンコード部１０３は第１変換部の一例である。電気−光変換部１０５は第２変換部の一例である。信号処理部１１０は信号処理部の一例である。
【００７４】
近年、ハイビジョンテレビよりも高精細な４Ｋテレビが商品化され、４Ｋテレビよりもさらに高精細な８Ｋテレビも実用化されている。テレビが高精細化されることにより、伝送される映像ベースバンド信号１１１および音声ベースバンド信号１１３の単位時間（例えば、１秒間）あたりの情報量が増加する。伝送すべき信号の単位時間（例えば、１秒間）あたりの情報量が増加すると、伝送レートを高速化（単位時間に伝送できる情報量を増加）しなければならない。一方で、電気信号による伝送レートの高速化には物理的な制限があると考えられており、電気信号だけでは、そのような伝送レートの高速化に対応することは困難であると考えられている。また、仮に電気信号でそのような伝送レートの高速化に対応した場合、その高速化された伝送レートを維持するために、ケーブルによる伝送距離を従来よりも短くしなければならない、といった制限が生じると考えられる。
【００７５】
実施の形態１に示した例では、送信装置１００は、映像ベースバンド信号１１１を取得する映像取得部１０１と、映像ベースバンド信号１１１をＨＤＭＩ（登録商標）規格に準拠した電気信号１１４に変換するエンコード部１０３と、映像ベースバンド信号１１１を光信号１１７に変換する電気−光変換部１０５と、信号処理部１１０と、を備える。信号処理部１１０は、取得された映像ベースバンド信号１１１に対して、エンコード部１０３による変換および電気−光変換部１０５による変換の少なくとも一方を行う。
【００７６】
このように構成された送信装置１００は、上述した伝送レートの制限等により電気信号１１４だけでは送信が困難な、情報量が相対的に多い映像ベースバンド信号１１１を、光信号１１７を利用して送信することができる。
【００７７】
送信装置において、信号処理部は、取得された映像信号に対して映像分離処理を行い、映像分離処理において、以下のように動作してもよい。
（ｉ）取得された映像信号を、当該映像信号に含まれる画像の第１周波数成分を構成する第１映像信号と、当該映像信号に含まれる画像の周波数成分であって第１周波数成分よりも高域の周波数成分である第２周波数成分を構成する第２映像信号と、に分離し、
（ｉｉ）第１映像信号を、第１変換部を用いて電気信号に変換し、
（ｉｉｉ）第２映像信号を、第２変換部を用いて光信号に変換する。
【００７８】
なお、映像ベースバンド信号１１１のサンプリング周波数がＦｓであるときの、帯域０以上Ｆｓ／４以下の周波数成分は、第１周波数成分の一例であり、帯域Ｆｓ／４以上Ｆｓ／２以下の周波数成分は、第２周波数成分の一例である。低域映像信号１１２は第１映像信号の一例である。第１高域映像信号１１５および第２高域映像信号１１６は、それぞれが第２映像信号の一例である。
【００７９】
例えば、実施の形態１に示した例では、送信装置１００において、信号処理部１１０は、取得された映像ベースバンド信号１１１に対して映像分離処理を行う。信号処理部１１０は、映像分離処理において、取得された映像ベースバンド信号１１１を、映像ベースバンド信号１１１に含まれる画像の第１周波数成分を構成する低域映像信号１１２と、映像ベースバンド信号１１１信号に含まれる画像の周波数成分であって第１周波数成分よりも高域の周波数成分である第２周波数成分を構成する第１高域映像信号１１５と、に分離する。そして、信号処理部１１０は、低域映像信号１１２を、エンコード部１０３を用いて電気信号１１４に変換する。また、信号処理部１１０は、第１高域映像信号１１５に基づく第２高域映像信号１１６を、電気−光変換部１０５を用いて光信号１１７に変換する。
【００８０】
このように構成された送信装置１００においては、低域映像信号１１２は、従来のＨＤＭＩ（登録商標）規格に基づいて電気信号として送信され、第２高域映像信号１１６は、光信号として送信される。このため、送信装置１００は、後方互換性（従来の製品に対する互換性）を維持しつつ、従来のＨＤＭＩ（登録商標）規格を用いた方式では送信が困難であった高精細画像を構成する映像信号を送信することができる。
【００８１】
また、受信装置２００は、受信装置２００およびケーブル３００の少なくとも一方が光信号１１７の伝送に対応していないような場合であっても、少なくとも低域映像信号１１２を送信装置１００から受信することができる。
【００８２】
また、受信装置２００では、映像ベースバンド信号１１１の全帯域を光信号１１７にして伝送する構成と比較して、光信号１１７の伝送レートを低下させることができる。このため、例えば、光信号１１７の伝送に用いられる光ファイバ等の部材を、最大伝送レートが相対的に低い比較的安価なものにすることができる。
【００８３】
送信装置において、信号処理部は、第２映像信号のサンプリング周波数を映像信号のサンプリング周波数よりも下げるサブサンプリング処理を行い、サブサンプリング処理された第２映像信号を、第２変換部を用いて光信号に変換してもよい。
【００８４】
なお、第１高域映像信号１１５は、サブサンプリング処理が施される前の第２映像信号の一例であり、第２高域映像信号１１６は、サブサンプリング処理が施された後の第２映像信号の一例である。サンプリング周波数Ｆｓは映像信号のサンプリング周波数の一例である。サンプリング周波数Ｆｓ／２は、サブサンプリング処理に用いられるサンプリング周波数の一例である。
【００８５】
例えば、実施の形態１に示した例では、送信装置１００において、信号処理部１１０は、第１高域映像信号１１５のサンプリング周波数を、映像ベースバンド信号１１１のサンプリング周波数Ｆｓよりも下げるサブサンプリング処理を行い、サブサンプリング処理された第２映像信号である第２高域映像信号１１６を、電気−光変換部１０５を用いて光信号１１７に変換する。
【００８６】
このように構成された送信装置１００では、光信号１１７の情報量を低減することができる。これにより、光信号１１７の伝送レートを低下させることができるので、例えば、光信号１１７の伝送に用いられる光ファイバ等の部材を、最大伝送レートが相対的に低い比較的安価なものにすることができる。
【００８７】
また、本実施の形態において、受信装置は、映像信号が再構成された信号を出力する受信装置である。受信装置は、映像信号の一部である第１映像信号を含むＨＤＭＩ（登録商標）規格に準拠した電気信号を取得し、取得した電気信号を用いて第１映像信号を再構成する第１再構成部と、映像信号の一部である第２映像信号を含む光信号を取得し、取得した光信号を用いて第２映像信号を再構成する第２再構成部と、再構成された第１映像信号と再構成された第２映像信号とを合成して合成映像信号を生成し、生成した合成映像信号を再構成された信号として出力する合成部と、を備える。
【００８８】
また、本実施の形態における受信方法は、映像信号が再構成された信号を出力する受信装置によって実行される受信方法であって、映像信号の一部である第１映像信号を含むＨＤＭＩ（登録商標）規格に準拠した電気信号を取得し、取得した電気信号を用いて第１映像信号を再構成し、映像信号の一部である第２映像信号を含む光信号を取得し、取得した光信号を用いて第２映像信号を再構成し、再構成された第１映像信号と再構成された第２映像信号とを合成して合成映像信号を生成し、生成した合成映像信号を再構成された信号として出力する。
【００８９】
なお、受信装置２００は受信装置の一例である。低域映像信号１１２Ａは再構成された第１映像信号の一例である。デコード部２０１は第１再構成部の一例である。第１高域映像信号１１５Ａおよび第２高域映像信号１１６Ａは、それぞれが再構成された第２映像信号の一例である。光−電気変換部２０２は第２再構成部の一例である。映像ベースバンド信号１１１Ａは、合成映像信号の一例である。合成部２０４は合成部の一例である。
【００９０】
例えば、実施の形態１に示した例では、受信装置２００は、映像ベースバンド信号１１１が再構成されて得られた映像ベースバンド信号１１１Ａを出力する受信装置である。受信装置２００は、映像ベースバンド信号１１１の一部である低域映像信号１１２を含むＨＤＭＩ（登録商標）規格に準拠した電気信号１１４を取得し、取得した電気信号１１４を用いて低域映像信号１１２Ａを再構成するデコード部２０１を備える。また、受信装置２００は、映像ベースバンド信号１１１の一部である第２高域映像信号１１６を含む光信号１１７を取得し、取得した光信号１１７を用いて第２高域映像信号１１６Ａを再構成する光−電気変換部２０２を備える。また、受信装置２００は、再構成された低域映像信号１１２Ａと、再構成された第２高域映像信号１１６Ａに基づく第１高域映像信号１１５Ａとを合成して映像ベースバンド信号１１１Ａを生成し、生成した映像ベースバンド信号１１１Ａを再構成された信号として出力する合成部２０４を備える。
【００９１】
このように構成された受信装置２００は、上述した伝送レートの制限等により電気信号１１４だけでは受信が困難な、情報量が相対的に多い映像ベースバンド信号１１１を、光信号１１７を利用して受信することができる。
【００９２】
受信装置において、第１映像信号は、映像信号に含まれる画像の第１周波数成分を構成し、第２映像信号は、映像信号に含まれる画像の周波数成分であって第１周波数成分よりも高域の周波数成分である第２周波数成分を構成してもよい。
【００９３】
なお、映像ベースバンド信号１１１のサンプリング周波数がＦｓであるときの、帯域０以上Ｆｓ／４以下の周波数成分は、第１周波数成分の一例であり、帯域Ｆｓ／４以上Ｆｓ／２以下の周波数成分は、第２周波数成分の一例である。
【００９４】
例えば、実施の形態１に示した例では、受信装置２００において、低域映像信号１１２は、映像ベースバンド信号１１１に含まれる画像の第１周波数成分（帯域０以上Ｆｓ／４以下の周波数成分）を構成し、第１高域映像信号１１５（第２高域映像信号１１６）は、映像ベースバンド信号１１１信号に含まれる画像の周波数成分であって第１周波数成分よりも高域の周波数成分である第２周波数成分（帯域Ｆｓ／４以上Ｆｓ／２以下の周波数成分）を構成してもよい。
【００９５】
このように構成された受信装置２００は、電気信号１１４から従来のＨＤＭＩ（登録商標）規格に基づいて低域映像信号１１２Ａを生成し、光信号１１７から第２高域映像信号１１６Ａを生成することができる。このように、受信装置２００は、後方互換性（従来の製品に対する互換性）を維持しつつ、従来のＨＤＭＩ（登録商標）規格を用いた方式では伝送が困難であった高精細画像を再構成することができる。
【００９６】
受信装置において、第２映像信号は、サブサンプリング処理されることにより、サンプリング周波数が映像信号のサンプリング周波数よりも下げられた信号であってもよい。
【００９７】
例えば、実施の形態１に示した例では、受信装置２００において、第２高域映像信号１１６Ａは、サブサンプリング処理されることによりサンプリング周波数が映像ベースバンド信号１１１のサンプリング周波数Ｆｓよりも下げられた第２高域映像信号１１６に実質的に等しい信号である。
【００９８】
この構成では、受信装置２００で受信される光信号１１７の情報量を低減することができる。これにより、光信号１１７の伝送レートを低下させることができるため、例えば、光信号１１７の伝送に用いられる光ファイバ等の部材を、最大伝送レートが相対的に低い比較的安価なものにすることができる。
【００９９】
（実施の形態２）
［２−１−１．実施の形態２の動作例１］
実施の形態２では、実施の形態１で説明した送信装置１００の動作の具体例について説明する。まず、動作例１について説明する。
【０１００】
動作例１では、送信装置１００の分離部１０２は、映像ベースバンド信号１１１を、固定解像度（以下、「所定の解像度」ともいう）の画像を構成する低域映像信号１１２と、その画像のうちの固定解像度よりも大きい解像度の成分（高周波成分）の画像を構成する第１高域映像信号１１５と、に分離する。固定解像度は、例えば、２Ｋ解像度である。２Ｋ解像度は、具体的には、１９２０×１０８０／６０ｐ（１９２０画素×１０８０画素の画像が１秒間に６０枚表示される動画像）である。この場合、低域映像信号１１２は、１０８０ｐ／６０Ｈｚのフルハイビジョン信号（１９２０画素×１０８０画素の画像が１秒間に６０枚表示される動画像信号）となる。なお、本開示は、何ら固定解像度が２Ｋ解像度に限定されるものではない。
【０１０１】
図５は、実施の形態２における送信装置１００の動作例１のフローチャートである。
【０１０２】
送信装置１００においては、まず、映像取得部１０１が、画像を構成する映像ベースバンド信号１１１を取得する（ステップＳ１１）。
【０１０３】
次に、信号処理部１１０が、ステップＳ１１で取得された映像ベースバンド信号１１１により構成される画像の解像度が所定の解像度以下であるか否かを判定する（ステップＳ１２）。
【０１０４】
信号処理部１１０は、ステップＳ１２において画像の解像度は所定の解像度以下である、と判定した場合（ステップＳ１２でＹｅｓ）、取得された映像ベースバンド信号１１１の全部を、エンコード部１０３を用いて電気信号１１４に変換する。このとき、送信装置１００は、映像ベースバンド信号１１１の送信に、電気信号１１４のみを使用する（ステップＳ１３）。
【０１０５】
一方、信号処理部１１０は、ステップＳ１２において、画像の解像度は所定の解像度よりも大きい、と判定した場合（ステップＳ１２でＮｏ）、ステップＳ１１で取得された映像ベースバンド信号１１１に対して、実施の形態１で説明した映像分離処理を行う。すなわち、送信装置１００は、映像ベースバンド信号１１１の送信に、電気信号１１４と光信号１１７とを併用する（ステップＳ１４）。
【０１０６】
信号処理部１１０は、映像分離処理において、映像ベースバンド信号１１１を、１０８０ｐ／６０Ｈｚの低域映像信号１１２と、映像ベースバンド信号１１１から低域映像信号１１２の信号成分（１０８０ｐ／６０Ｈｚの信号成分）を除いた信号成分を構成する第１高域映像信号１１５と、に分離する。信号処理部１１０は、実施の形態１で説明したように、第１高域映像信号１１５を、第２高域映像信号１１６に変換する。
【０１０７】
信号処理部１１０は、低域映像信号１１２をエンコード部１０３に出力し、エンコード部１０３は、その低域映像信号１１２をＨＤＭＩ（登録商標）規格に準拠した電気信号１１４に変換する。電気信号１１４は、複合コネクタ１０９が有する端子１０９ａから出力される。
【０１０８】
信号処理部１１０は、第２高域映像信号１１６を電気−光変換部１０５に出力し、電気−光変換部１０５は、その第２高域映像信号１１６を光信号１１７に変換する。光信号１１７は、複合コネクタ１０９が有する端子１０９ｂから出力される。
【０１０９】
なお、本実施の形態の送信装置１００において、所定の解像度は、ＨＤＭＩ（登録商標）規格において定められる最大伝送レートに対応する解像度（例えば、４Ｋ解像度）よりも十分に低い解像度（例えば、２Ｋ解像度）に定められている。言い換えれば、所定の解像度を有する画像を構成する映像ベースバンド信号が、エンコード部１０３により電気信号１１４として送信されるときの伝送レートは、ＨＤＭＩ（登録商標）規格において定められる最大伝送レート（例えば、４Ｋ解像度に対応する伝送レート）よりも小さい所定の伝送レート（例えば、２Ｋ解像度に対応する伝送レート）以下である。例えば、所定の解像度を有する画像を構成する映像ベースバンド信号がエンコード部１０３を用いて電気信号１１４として伝送されるときの伝送レートは、ＨＤＭＩ（登録商標）規格において定められる最大伝送レートの５分の１以下である。
【０１１０】
１０８０ｐ／６０Ｈｚの映像ベースバンド信号がＨＤＭＩ（登録商標）に準拠した電気信号１１４に変換されると、電気信号１１４の、クロック周波数が７４．２５ＭＨｚのときの１レーン（電気信号１１４の伝送に用いられる１つのチャンネル）の伝送レートは、７４２．５Ｍｂｐｓ（ｂｉｔ  ｐｅｒ  ｓｅｃｏｎｄ）である。これに対し、例えば、４Ｋ解像度の映像ベースバンド信号（３８４０×２１６０ｐ／６０Ｈｚ（３８４０画素×２１６０画素の画像が１秒間に６０枚表示される動画像信号））の１レーンあたりの伝送レートは、６Ｇｂｐｓである。また、８Ｋ解像度の映像ベースバンド信号（７６８０×４３２０／６０Ｈｚ（７６８０画素×４３２０画素の画像が１秒間に６０枚表示される動画像信号））の１レーンあたりの伝送レートは、２４Ｇｂｐｓである。つまり、１０８０ｐ／６０Ｈｚの映像ベースバンド信号は、４Ｋ解像度の映像ベースバンド信号および８Ｋ解像度の映像ベースバンド信号と比較して、伝送レートが十分に低い。
【０１１１】
１０８０ｐ／６０Ｈｚの映像ベースバンド信号の伝送レートは、具体的には、４Ｋ解像度の映像ベースバンド信号の伝送レートと比較した場合は８分の１程度であり、８Ｋ解像度の映像ベースバンド信号の伝送レートと比較した場合は３０分の１程度である。
【０１１２】
ケーブル３００は、物理的な特性上、伝送レートが低いほど伝送される信号の減衰量が少ない。したがって、電気信号１１４の伝送レートが抑制されることにより、ケーブル３００を長尺化することができる。つまり、送受信システム１０では、長尺のケーブル３００を実現することができる。
【０１１３】
［２−１−２．実施の形態２の動作例１の効果等］
以上のように、実施の形態２において、送信装置の信号処理部は、映像分離処理において、取得された映像信号を、所定の解像度の画像を構成する第１映像信号と、取得された映像信号から第１映像信号の信号成分を除いた第２映像信号と、に分離してもよい。
【０１１４】
なお、２Ｋ解像度は所定の解像度の一例である。
【０１１５】
例えば、実施の形態２の動作例１では、送信装置１００の信号処理部１１０は、映像分離処理において、取得された映像ベースバンド信号１１１を、所定の解像度（例えば、２Ｋ解像度）の画像を構成する低域映像信号１１２と、取得された映像ベースバンド信号１１１から低域映像信号１１２の信号成分を除いた第１高域映像信号１１５と、に分離する。
【０１１６】
このように構成された送信装置１００では、所定の解像度の画像を構成する低域映像信号１１２が、電気信号１１４に変換されて送信される。そのため、送信装置１００にケーブル３００によって接続された受信装置２００が、光信号１１７の信号処理ができない場合や、光信号１１７の受信ができない場合であっても、受信装置２００は、送信装置１００から受信した電気信号１１４に基づいて、所定の解像度の画像で構成された映像（動画像）を出力（表示）することができる。
【０１１７】
例えば、送信装置１００から受信装置２００にケーブル３００を介して光信号１１７を送信するときに、複合コネクタ１０９とケーブル３００との嵌合箇所にずれが生じたり、または、端子１０９ｂに汚れが付着したりすると、光信号１１７が減衰してしまう場合がある。また、光信号１１７の伝送路として使用される光ファイバは、電気信号を伝送する金属線と比較して破損しやすく、屈曲等により断線する場合がある。そして、光ファイバが断線してしまうと、送信装置１００から受信装置２００に光信号１１７を送信することができない。このような状態が発生して受信装置２００が送信装置１００から光信号１１７を適切に取得できないような場合であっても、本動作例によれば、受信装置２００において、送信装置１００から電気信号１１４によって送信される１０８０ｐ／６０Ｈｚの２Ｋ解像度の画像を表示することができる。これにより、送受信システム１０を使用するユーザの利便性を向上することができる。
【０１１８】
送信装置において、所定の解像度を有する画像を構成する映像信号が第１変換部を用いて電気信号として伝送されるときの伝送レートは、ＨＤＭＩ（登録商標）規格において定められる電気信号の最大伝送レートよりも小さい所定の伝送レート以下であってもよい。
【０１１９】
なお、４Ｋ解像度に対応する伝送レートは、最大伝送レートの一例である。２Ｋ解像度に対応する伝送レートは、所定の伝送レートの一例である。
【０１２０】
例えば、実施の形態２の動作例１に示した例では、送信装置１００において、所定の解像度を有する画像を構成する映像ベースバンド信号がエンコード部１０３により電気信号１１４として伝送されるときの伝送レートは、ＨＤＭＩ（登録商標）規格において定められる最大伝送レート（例えば、４Ｋ解像度に対応する伝送レート）よりも小さい所定の伝送レート（例えば、２Ｋ解像度に対応する伝送レート）以下である。
【０１２１】
このように構成された送信装置１００では、電気信号１１４の伝送レートを抑制できるので、ケーブル３００の長尺化を実現することができる。
【０１２２】
［２−２−１．実施の形態２の動作例２］
次に、動作例２について説明する。動作例２では、送信装置１００の信号処理部１１０が、受信装置２００の性能に応じて、低域映像信号１１２の解像度を決定する動作例について説明する。
【０１２３】
図６は、実施の形態２における送信装置１００の動作例２のフローチャートである。
【０１２４】
送信装置１００において、映像取得部１０１は、画像を構成する映像ベースバンド信号１１１を取得する（ステップＳ２１）。
【０１２５】
制御部１０７は、シリアル制御信号１２０を取得することにより、受信装置２００の受信機情報を取得する（ステップＳ２２）。シリアル制御信号１２０は、端子２０９ｃ、ケーブル３００、および端子１０９ｃを経由して、制御部１０７により取得される。受信機情報は、受信装置２００が受信可能な電気信号の最大伝送レートを示す。
【０１２６】
制御部１０７は、端子１０９ｅを介してケーブル３００のケーブル情報３２０を取得する（ステップＳ２３）。制御部１０７は、具体的には、複合コネクタ１０９にケーブル３００が接続されているときに、ケーブル３００が有する記憶部３０１から、端子１０９ｅを介して、ケーブル３００における電気信号の最大伝送レートを示すケーブル情報３２０を取得する。
【０１２７】
信号処理部１１０は、ステップＳ２２で取得された受信機情報、およびステップＳ２３で取得されたケーブル情報３２０に基づいて、映像分離処理を行う（ステップＳ２４）。
【０１２８】
信号処理部１１０は、具体的には、ステップＳ２２で取得された受信機情報、およびステップＳ２３で取得されたケーブル情報３２０に基づいて、低域映像信号１１２の解像度を決定する。この解像度は、当該解像度に対応する伝送レートが、受信機情報において定められる最大伝送レート以下となり、かつ、ケーブル情報３２０において定められる最大伝送レート以下となるように定められる。
【０１２９】
なお、図６のフローチャートに示す各処理の順序は単なる一例であり、本開示は何らこの順序に限定されない。例えば、ステップＳ２３の処理がステップＳ２２より先に行われてもよく、ステップＳ２２、Ｓ２３の各処理がステップＳ２１より先に行われてもよい。あるいは、ステップＳ２１、Ｓ２２、Ｓ２３の各処理が並列に行われてもよい。
【０１３０】
信号処理部１１０は、解像度を決定した後、映像分離処理において、映像ベースバンド信号１１１を、決定した解像度の低域映像信号１１２と、映像ベースバンド信号１１１から低域映像信号１１２の信号成分を除いた信号成分を構成する第１高域映像信号１１５と、に分離する。これ以降の信号処理部１１０における動作は、動作例１に示した信号処理部１１０の動作と実質的に同じである。すなわち、エンコード部１０３は、その低域映像信号１１２をＨＤＭＩ（登録商標）規格に準拠した電気信号１１４に変換し、その電気信号１１４を端子１０９ａから出力する。信号処理部１１０は、第１高域映像信号１１５を第２高域映像信号１１６に変換する。電気−光変換部１０５は、その第２高域映像信号１１６を光信号１１７に変換し、その光信号１１７を端子１０９ｂから出力する。
【０１３１】
なお、受信装置２００の記憶部２０７ａは、受信機情報に加えて、受信装置２００が電気信号１１４および光信号１１７の両方を取得して信号処理を行うときに、信号処理可能な最大解像度を示す解像度情報を記憶していてもよい。そして、このような解像度情報は、シリアル制御信号１２０の一部として、受信装置２００から端子１０９ｃを通じて出力されてもよい。つまり、受信装置２００は、受信機情報および解像度情報を受信装置２００の外部に設けられた送信装置１００に出力するための端子１０９ｃを備えていてもよい。
【０１３２】
例えば、受信機情報が示す伝送レートに対応する解像度が４Ｋ解像度であり、解像度情報が示す解像度が８Ｋ解像度である場合が考えられる。このような場合、送信装置１００は、その受信機情報と解像度情報とに基づき、４Ｋ解像度の映像を受信装置２００に送信する場合は、電気信号１１４のみを使用すればよい、と判断することができる。また、送信装置１００は、８Ｋ解像度の映像を受信装置２００に出力する場合は、電気信号１１４と光信号１１７とを併用しなければならない、と判断することができる。
【０１３３】
また、例えば、受信機情報が示す伝送レートに対応する解像度が４Ｋ解像度であり、解像度情報が示す解像度が４Ｋ解像度である場合が考えられる。このような場合、送信装置１００は、受信装置２００が光信号１１７の信号処理に対応していない、と判断することができる。したがって、送信装置１００は、そのような受信機情報と解像度情報とを取得した場合は、８Ｋ解像度の映像ベースバンド信号１１１に基づく映像信号を受信装置２００に送信するときに、その映像ベースバンド信号１１１を４Ｋ解像度にダウンコンバートし、ダウンコンバートした映像信号から生成される電気信号１１４を受信装置２００に送信すればよい、と判断できる。この場合、送信装置１００は、電気−光変換部１０５の動作（映像信号を光信号１１７への変換する処理）を一時的に停止、あるいは省略できるので、送信装置１００で行われる信号処理の量を低減することができる。
【０１３４】
また、例えば、映像ベースバンド信号１１１が８Ｋ解像度であり、受信機情報が示す伝送レートに対応する解像度が２Ｋ解像度であり、解像度情報が示す解像度が４Ｋ解像度である場合が考えられる。このような場合、送信装置１００は、映像ベースバンド信号１１１を、２Ｋ解像度の低域映像信号１１２と、第１高域映像信号１１５とに分離し、第１高域映像信号１１５を４Ｋ解像度が上限となるようにダウンコンバートすればよい、と判断することができる。
【０１３５】
以上のように、受信機情報および解像度情報を受信装置２００から送信装置１００に出力するような構成の場合、送信装置１００は、受信した受信機情報と解像度情報とに基づき動作することで、信号処理部１１０において、受信装置２００の性能に応じた適切な信号処理を行うことができる。なお、解像度情報は、受信機情報の一部とされてもよい。
【０１３６】
なお、送信装置１００における受信機情報および解像度情報に基づくそれらの判断は、例えば、制御部１０７において行うことができる。
【０１３７】
［２−２−２．実施の形態２の動作例２の効果等］
以上のように、実施の形態２において、送信装置は、当該送信装置の外部に設けられた受信装置と当該送信装置とを接続するためのケーブルが接続されるコネクタであって、電気信号を受信装置に出力するための端子、および、光信号を受信装置に出力するための端子を有するコネクタと、コネクタにケーブルが接続されているときに、ケーブルが有する記憶部から、当該ケーブルの電気信号の最大伝送レートを示すケーブル情報を取得するケーブル情報取得部と、当該送信装置の外部に設けられた受信装置が受信可能な電気信号の最大伝送レートを示す受信機情報を取得する受信機情報取得部と、を備えてもよい。信号処理部は、取得された受信機情報および取得されたケーブル情報に基づいて、映像分離処理を行ってもよい。
【０１３８】
なお、ケーブル３００はケーブルの一例である。複合コネクタ１０９はコネクタの一例である。端子１０９ａは、電気信号を受信装置に出力するための端子の一例である。端子１０９ｂは、光信号を受信装置に出力するための端子の一例である。記憶部３０１は記憶部の一例である。制御部１０７は、ケーブル情報取得部の一例であり、受信機情報取得部の一例である。
【０１３９】
例えば、実施の形態２の動作例２では、送信装置１００は、送信装置１００の外部に設けられた受信装置２００と送信装置１００とを接続するためのケーブル３００が接続される複合コネクタ１０９を備える。複合コネクタ１０９は、電気信号１１４を受信装置２００に出力するための端子１０９ａ、および、光信号１１７を受信装置２００に出力するための端子１０９ｂを有する。送信装置１００は、複合コネクタ１０９にケーブル３００が接続されているときに、ケーブル３００が有する記憶部３０１から、ケーブル３００の電気信号の最大伝送レートを示すケーブル情報３２０を取得する制御部１０７を備える。
【０１４０】
また、送信装置１００は、送信装置１００の外部に設けられた受信装置２００が受信可能な電気信号の最大伝送レートを示す受信機情報を取得する制御部１０７を備える。
【０１４１】
そして、信号処理部１１０は、取得された受信機情報および取得されたケーブル情報３２０に基づいて、映像分離処理を行う。
【０１４２】
このように構成された送信装置１００では、信号処理部１１０は、シリアル制御信号１２０に含まれる受信機情報、およびケーブル情報３２０に基づいて、低域映像信号１１２の解像度を決定することができる。これにより、送信装置１００から、受信装置２００において適切な映像信号を出力することができる。
【０１４３】
また、実施の形態２において、受信装置は、当該受信装置が受信可能な電気信号の最大伝送レートを示す受信機情報、および、当該受信装置が電気信号および光信号の両方を取得して信号処理を行うときに、信号処理可能な最大解像度を示す解像度情報が記憶された記憶部と、受信機情報および解像度情報を当該受信装置の外部に設けられた送信装置に出力するための端子と、を備えてもよい。
【０１４４】
なお、記憶部２０７ａは記憶部の一例である。端子１０９ｃは、受信機情報および解像度情報を出力するための端子の一例である。
【０１４５】
例えば、実施の形態２の動作例２では、受信装置２００は、受信装置２００が受信可能な電気信号の最大伝送レートを示す受信機情報、および、受信装置２００が電気信号および光信号の両方を取得して信号処理を行うときに、信号処理可能な最大解像度を示す解像度情報が記憶された記憶部２０７ａを備える。また、受信装置２００は、受信機情報および解像度情報を受信装置２００の外部に設けられた送信装置１００に出力するための端子１０９ｃを備える。
【０１４６】
このように構成された受信装置２００では、送信装置１００が、受信装置２００から受信機情報および解像度情報を取得することができる。これにより、送信装置１００は、取得した受信機情報および解像度情報に基づき、受信装置２００の性能に応じた適切な信号処理を行い、受信装置２００の性能に応じた適切な映像信号を出力することができる。
【０１４７】
また、ケーブルは、当該ケーブルの電気信号の最大伝送レートを示すケーブル情報が記憶された記憶部を有してもよい。
【０１４８】
例えば、ケーブル３００は、ケーブル３００の電気信号の最大伝送レートを示すケーブル情報３２０が記憶された記憶部３０１を有する。
【０１４９】
これにより、送信装置１００は、ケーブル３００の記憶部３０１からケーブル情報３２０を取得し、取得したケーブル情報３２０に基づいて、低域映像信号１１２の解像度を決定することができる。
【０１５０】
（実施の形態３）
［３−１．実施の形態３の動作例］
実施の形態３では、実施の形態１で説明した送信装置１００の、実施の形態２とは異なる動作例について説明する。送信装置１００において、信号処理部１１０は、映像ベースバンド信号１１１の全部を、電気−光変換部１０５を用いて光信号１１７に変換してもよい。実施の形態３ではそのような場合の動作例を説明する。
【０１５１】
図７は、実施の形態３における送信装置１００の動作例のフローチャートである。
【０１５２】
送信装置１００において、映像取得部１０１は、画像を構成する映像ベースバンド信号１１１を取得する（ステップＳ３１）。
【０１５３】
信号処理部１１０は、ステップＳ３１で取得された映像ベースバンド信号１１１の全部を、電気−光変換部１０５を用いて光信号１１７に変換する（ステップＳ３２）。
【０１５４】
映像ベースバンド信号１１１の全部を光信号１１７に変換する場合、実施の形態１で説明した信号処理部１１０による映像分離処理は不要となる。したがって、図７のフローチャートに示す動作例では、信号処理部１１０において、分離部１０２は、映像ベースバンド信号１１１をそのまま第１高域映像信号１１５として周波数変換部１０４に出力し、周波数変換部１０４は、第１高域映像信号１１５をそのまま第２高域映像信号１１６として電気−光変換部１０５に出力する。このとき、分離部１０２は、エンコード部１０３に、信号を出力しなくてもよく、あるいは、低域映像信号１１２として黒の画像に相当する信号を出力してもよい。
【０１５５】
音声取得部１０６は、映像ベースバンド信号１１１に対応する音声ベースバンド信号１１３を取得する（ステップＳ３３）。
【０１５６】
エンコード部１０３は、ステップＳ３３で取得された音声ベースバンド信号１１３を、電気信号１１４に変換する（ステップＳ３４）。
【０１５７】
この動作例では、エンコード部１０３は、電気信号１１４のデータ構造において、低域映像信号１１２が格納される領域にはダミーデータを格納し、音声ベースバンド信号１１３が格納される領域には、通常通り音声ベースバンド信号１１３を格納する。ダミーデータは、例えば、黒画像に相当するデータである。
【０１５８】
なお、図７のフローチャートは、各処理を説明するために便宜的に順序付けしたものに過ぎない。例えば、ステップＳ３１、Ｓ３２の処理と、ステップＳ３３、Ｓ３４の処理とは、互いに並列に行われてもよい。あるいは、フローチャートにおいて、ステップＳ３３、Ｓ３４の処理がステップＳ３１、Ｓ３２の処理の前に示されてもよい。
【０１５９】
なお、実施の形態３の動作例において、受信装置２００が備える合成部２０４は、映像ベースバンド信号１１１Ａの生成に、電気信号１１４を使用しない。合成部２０４は、光信号１１７を光−電気変換部２０２で変換して得られた第２高域映像信号１１６Ａに基づく第１高域映像信号１１５Ａのみから映像ベースバンド信号１１１を生成する。このとき、周波数変換部２０３は、第２高域映像信号１１６Ａをそのまま第１高域映像信号１１５Ａとして出力する。
【０１６０】
なお、実施の形態３の動作例において、送信装置１００は、電気信号１１４に、当該電気信号１１４にダミーデータが含まれることを示す情報（例えば、フラグ等）を含めて、受信装置２００に送信してもよい。これにより、その情報が含まれた電気信号１１４を受信した受信装置２００は、電気信号１１４にダミーデータが含まれていることを認識することができる。したがって、その受信装置２００は、光信号１１７のみから映像ベースバンド信号１１１を取得すればよいことがわかる。
【０１６１】
［３−２．実施の形態３の動作例の効果等］
以上のように、実施の形態３において、送信装置は、音声信号を取得する音声取得部を備えてもよい。第１変換部は、音声信号を電気信号に変換してもよい。信号処理部は、取得された音声信号を、第１変換部を用いて電気信号に変換し、取得された映像信号を、第２変換部を用いて光信号に変換してもよい。
【０１６２】
なお、音声取得部１０６は音声取得部の一例である。音声ベースバンド信号１１３は音声信号の一例である。
【０１６３】
例えば、送信装置１００は、音声ベースバンド信号１１３を取得する音声取得部１０６を備える。エンコード部１０３は、音声ベースバンド信号１１３を電気信号１１４に変換する。信号処理部１１０は、取得された音声ベースバンド信号１１３を、エンコード部１０３を用いて電気信号１１４に変換し、取得された映像ベースバンド信号１１１を、電気−光変換部１０５を用いて光信号１１７に変換する。
【０１６４】
このように構成された送信装置１００では、従来のＨＤＭＩ（登録商標）規格に準拠した電気信号１１４を、音声ベースバンド信号１１３の伝送のみに使用することができる。そのため、送信装置１００では、電気信号１１４において用いられる伝送クロックを、映像の伝送を考慮しなくてよいので、音声の品質のみを考慮して選定することができる。
【０１６５】
一般に、映像ベースバンド信号１１１および音声ベースバンド信号１１３の両方を含む電気信号においては、伝送クロックの選定が難しい。例えば、高精細な映像ベースバンド信号１１１を含む電気信号１１４においては、高精細な映像ベースバンド信号１１１を伝送するために相対的に高い周波数の伝送クロックが選定される。しかし、音声ベースバンド信号１１３の伝送には、そのような高い周波数の伝送クロックは不要である。一方で、低解像度の映像ベースバンド信号１１１を含む電気信号１１４において、映像ベースバンド信号１１１の解像度に合わせて伝送クロックの周波数を低くすると、音声ベースバンド信号１１３の伝送容量が相対的に小さくなる。したがって、実施の形態３の動作例のように、電気信号１１４の伝送クロックを、音声の品質のみを考慮して自由に設定できることは、音質の向上に有効である。
【０１６６】
また、音声ベースバンド信号１１３を光信号１１７として伝送する場合は、受信装置２００において、光信号１１７から音声ベースバンド信号１１３を再生するためのクロック信号を生成しなければならない。その構成では、クロック信号にジッターが発生した場合等に、音質が低下するおそれがある。このような構成と比較した場合、実施の形態３の動作例では、音声ベースバンド信号１１３を電気信号１１４として伝送し、かつ、映像ベースバンド信号１１１を光信号１１７として伝送するので、音質の向上に有効である。
【０１６７】
（実施の形態４）
［４−１．送信装置の構成］
実施の形態４における送信装置１００Ａの構成について、図８を参照しながら説明する。
【０１６８】
図８は、実施の形態４における送信装置１００Ａの構成の一例を模式的に示すブロック図である。なお、以下の説明では、実施の形態４における送信装置１００Ａと、実施の形態１に示した送信装置１００との相違点を中心に説明を行う。
【０１６９】
なお、以下では、送信装置１００Ａの接続相手が図９に示す受信装置２００Ａであり、送信装置１００Ａが、端子１０９ａを介して受信装置２００Ａと送電または受電を行う動作例を説明する。そして、図８には、実施の形態１に示した動作例では使用されたが、実施の形態４に示す動作例では使用されない信号のルートを、一点鎖線の矢印で示す。
【０１７０】
なお、以下の説明では、実施の形態１で説明した構成要素と実質的に同じ動作をする構成要素には、その構成要素と同じ符号を付与し、説明を省略または簡略化する。
【０１７１】
図８に示されるように、実施の形態４における送信装置１００Ａは、実施の形態１の送信装置１００が信号処理部１１０に有する周波数変換部１０４に代えて、信号処理部１１０ＡにＡＶ処理部１０４Ａを備える。また、送信装置１００Ａは、実施の形態１の送信装置１００が備えていない切替部１２３を備える。実施の形態４の送信装置１００Ａは、主にこれらの点が、実施の形態１の送信装置１００と異なる。
【０１７２】
すなわち、送信装置１００Ａは、映像取得部１０１と、信号処理部１１０Ａと、エンコード部１０３と、電気−光変換部１０５と、音声取得部１０６と、制御部１０７Ａと、送受電部１０８と、複合コネクタ１０９と、切替部１２３と、を備える。そして、信号処理部１１０に、分離部１０２およびＡＶ処理部１０４Ａを備える。
【０１７３】
制御部１０７Ａは、送信装置１００Ａの接続相手（例えば、図９に示す受信装置２００Ａ）から送信されてくるシリアル制御信号１２０を受信し、受信したシリアル制御信号１２０に基づいて、音声制御信号１１８を音声取得部１０６に出力し、映像制御信号１１９を映像取得部１０１に出力する。また、制御部１０７Ａは、受信したシリアル制御信号１２０に基づいて、送電または受電の指示を示す電力制御信号１２１を送受電部１０８に出力する。制御部１０７Ａは、受信したシリアル制御信号１２０に基づいて、信号処理部１１０Ａ、エンコード部１０３、電気−光変換部１０５、および切替部１２３に制御信号を出力してもよい。なお、図８では、制御部１０７Ａが出力する制御信号を破線の矢印で示す。制御部１０７Ａは、端子１０９ｃを介して送信装置１００Ａの接続相手（例えば、受信装置２００Ａ）に制御信号を送信してもよい。
【０１７４】
送信装置１００Ａにおいて、映像ベースバンド信号１１１および音声ベースバンド信号１１３は、いずれも光信号１１７に変換される。
【０１７５】
映像取得部１０１は、映像ベースバンド信号１１１を取得し、取得した映像ベースバンド信号１１１を、信号処理部１１０Ａの分離部１０２に出力する。分離部１０２は、映像ベースバンド信号１１１をそのままＡＶ処理部１０４Ａに出力する。
【０１７６】
音声取得部１０６は、音声ベースバンド信号１１３を取得し、取得した音声ベースバンド信号１１３を、信号処理部１１０ＡのＡＶ処理部１０４Ａに出力する。
【０１７７】
ＡＶ処理部１０４Ａは、分離部１０２から出力される映像ベースバンド信号１１１と、音声取得部１０６から出力される音声ベースバンド信号１１３とを合成し、合成により得られる電気信号１５１を電気−光変換部１０５に出力する。なお、ＡＶ処理部１０４Ａが行う合成の手法は、特に限定されない。ＡＶ処理部１０４Ａは、映像ベースバンド信号１１１と音声ベースバンド信号１１３とを、どのような手法を用いて合成してもよい。電気−光変換部１０５は、ＡＶ処理部１０４Ａで合成された電気信号１５１を光信号１１７に変換する。
【０１７８】
このように、送信装置１００Ａでは、映像ベースバンド信号１１１と音声ベースバンド信号１１３とがＡＶ処理部１０４Ａで合成されて電気信号１５１が生成され、電気信号１５１が電気−光変換部１０５で光信号１１７に変換される。そのため、実施の形態４に示す構成例（すなわち、送信装置１００Ａの接続相手が、図９に示す受信装置２００Ａである場合）では、送信装置１００Ａにおいてエンコード部１０３は使用されない。したがって、実施の形態１では電気信号１１４の伝送路として使用されたエンコード部１０３と端子１０９ａとの間を電気的に接続する伝送線（以下、「伝送路１２２」という）が、本実施の形態に示す動作例では未使用となり、他の用途に使用することが可能である。そこで、本実施の形態では、送信装置１００Ａにおいて、伝送路１２２を送受電部１０８による電力の伝送に使用する。
【０１７９】
切替部１２３は、送受電部１０８が電力供給（送電）または電力受給（受電）に使用する伝送路を切り替えることができる。具体的には、切替部１２３は、送受電部１０８が送電または受電に使用する端子を、実施の形態１で送受電部１０８の送電または受電に使用された端子１０９ｄにするのか、あるいは、伝送路１２２に接続された端子１０９ａにするのかを、切り替えることができる。切替部１２３は、例えば、双方向の２入力１出力のスイッチ回路によって実現される。しかし、本開示は切替部１２３の構成を特に限定するものではない。
【０１８０】
伝送路１２２は、ＨＤＭＩ（登録商標）規格においてＲＧＢ信号（電気信号１１４）を伝送するための、金属線で形成された３ペアの差動配線である。そのため、伝送路１２２は、電気抵抗が相対的に低い。
【０１８１】
図１に示したようにケーブルを介して相互に接続されたシンク機器とソース機器との間で、大電力をロスを低減して安定に一方の機器から他方の機器に伝送するには、一般的には、コネクタと伝送路との接合点を大きくして電気抵抗を低減する、伝送ケーブルの径を太くして電気抵抗を低減する、または、伝送路の配線本数を増やして電気抵抗を低減する、等の方法が採られる。複合コネクタ１０９およびケーブル３００のサイズには制限があるため、図１に示した構成では、それらの手法の実現には制限がある。３ペアの差動配線である伝送路１２２は、相対的に電気抵抗が低い伝送路である。そのため、送受電部１０８が電力の送電または受電に使用する伝送路を伝送路１２２にすれば、相対的に大きな電力の伝送が可能になる。
【０１８２】
なお、本実施の形態では、上述したように、送信装置１００Ａの接続相手が図９に示す受信装置２００Ａであり、送信装置１００Ａが、端子１０９ａを介して受信装置２００Ａと送電または受電を行うため、送信装置１００Ａにおいてエンコード部１０３が使用されない動作例を説明した。しかし、本開示は何らこの動作に限定されない。送信装置１００Ａは、例えば、実施の形態３で説明されたように動作してもよい。すなわち、送信装置１００Ａにおいて、実施の形態３で説明されたようにエンコード部１０３から電気信号１１４が出力され、その電気信号１１４が端子１０９ａから出力されるように、制御部１０７Ａが各構成要素を制御してもよい。その場合は、送信装置１００Ａにおいて、図８に一点鎖線の矢印で示した信号のルートが使用される。したがって、送信装置１００Ａは、このような動作をすることで、実施の形態１に示した受信装置２００にケーブル３００を介して接続することも可能である。
【０１８３】
なお、切替部１２３を制御する信号は、例えば、制御部１０７Ａから出力される。制御部１０７Ａは、例えば、送信装置１００Ａの接続相手（例えば、図９に示す受信装置２００Ａ）から端子２０９ａを通して送電または受電を行うことを示す信号を受信した場合に、端子１０９ａが送受電部１０８に電気的に接続されるように切替部１２３を制御してもよい。あるいは、制御部１０７Ａは、端子１０９ａが送受電部１０８に電気的に接続されるように切替部１２３を制御し、端子１０９ａを通して送電または受電を行うことを示す信号を送信装置１００Ａの接続相手（例えば、受信装置２００Ａ）に送信してもよい。あるいは、制御部１０７Ａは、初期状態では端子１０９ｄが送受電部１０８に電気的に接続されるように切替部１２３を制御してもよい。そして、制御部１０７Ａは、送信装置１００Ａの接続相手が実施の形態１に示した受信装置２００であることを認識した場合、または、送信装置１００Ａの接続相手（例えば、受信装置２００Ａ）から端子２０９ｄを通して送電または受電を行うことを示す信号を受信した場合、等に、その初期状態を維持してもよい。あるいは、制御部１０７Ａは、送信装置１００Ａの接続相手（例えば、受信装置２００Ａ）と、端子１０９ａを通して送電または受電を行うことに関する合意が得られたときに、端子１０９ａが送受電部１０８に電気的に接続されるように切替部１２３を制御してもよい。
【０１８４】
［４−２．受信装置の構成］
次に、実施の形態４における受信装置２００Ａの構成について図９を参照しながら説明する。
【０１８５】
図９は、実施の形態４における受信装置２００Ａの構成の一例を模式的に示すブロック図である。なお、以下の説明では、実施の形態４における受信装置２００Ａと、実施の形態１に示した受信装置２００との相違点を中心に説明を行う。
【０１８６】
なお、以下では、受信装置２００Ａの接続相手が図８に示した送信装置１００Ａであり、受信装置２００Ａが、端子２０９ａを介して送信装置１００Ａと送電または受電を行う動作例を説明する。そして、図９には、実施の形態１に示した動作例では使用されたが、実施の形態４に示す動作例では使用されない信号のルートを、一点鎖線の矢印で示す。
【０１８７】
なお、以下の説明では、実施の形態１で説明した構成要素と実質的に同じ動作をする構成要素には、その構成要素と同じ符号を付与し、説明を省略または簡略化する。
【０１８８】
図９に示されるように、実施の形態４における受信装置２００Ａは、実施の形態１の受信装置２００が有する周波数変換部２０３に代えて、ＡＶ処理部２０３Ａを備える。また、受信装置２００Ａは、実施の形態１の受信装置２００が備えていない切替部２２３および音声セレクタ２１０を備える。実施の形態４の受信装置２００Ａは、主にこれらの点が、実施の形態１の受信装置２００と異なる。
【０１８９】
すなわち、受信装置２００Ａは、合成部２０４と、デコード部２０１と、光−電気変換部２０２と、ＡＶ処理部２０３Ａと、映像出力部２０５と、音声出力部２０６と、制御部２０７Ａと、送受電部２０８と、複合コネクタ２０９と、切替部２２３と、音声セレクタ２１０と、を備える。
【０１９０】
制御部２０７Ａは、受信装置２００Ａの受信機情報が含まれたシリアル制御信号１２０を、複合コネクタ２０９が有する端子２０９ｃを介して受信装置２００Ａの接続相手（例えば、送信装置１００Ａ）へ送信する。また、制御部２０７Ａは、送電または受電の指示を示す電力制御信号２２１を送受電部２０８に出力する。制御部２０７Ａは、デコード部２０１、光−電気変換部２０２、ＡＶ処理部２０３Ａ、合成部２０４、映像出力部２０５、音声出力部２０６、切替部２２３、および音声セレクタ２１０に制御信号を出力してもよい。なお、図９では、制御部２０７Ａが出力する制御信号を破線の矢印で示す。制御部２０７Ａは、端子２０９ｃを介して、受信装置２００Ａの接続相手（例えば、送信装置１００Ａ）から制御信号を受信してもよい。
【０１９１】
受信装置２００Ａにおいて、送受電部２０８は、受信装置２００Ａの接続相手（例えば、送信装置１００Ａ）の送受電部１０８と、端子２０９ａを介して送電または受電を行うことができる。このとき、デコード部２０１は使用されない。また、受信装置２００Ａにおいて、デコード部２０１は、受信装置２００Ａの他の接続相手（例えば、実施の形態１に示した送信装置１００）から端子１０９ａを介して送信されてくる電気信号１１４を、実施の形態１と同様に端子２０９ｄを介して受信することもできる。
【０１９２】
例えば、受信装置２００Ａの接続相手が送信装置１００Ａであり、送信装置１００Ａの端子１０９ａを通して送電または受電が行われる場合は、受信装置２００Ａにおいて端子２０９ａと送受電部２０８とが切替部２２３を介して電気的に接続される。あるいは、受信装置２００Ａの接続相手が実施の形態１に示した送信装置１００であり、送信装置１００の端子１０９ａから電気信号１１４が送信される場合は、その電気信号１１４は、端子２０９ａを介して切替部２２３に入力され、切替部２２３からデコード部２０１に入力される（そのときの信号のルートは一点鎖線の矢印で示す）。
【０１９３】
このように、切替部２２３は、受信装置２００Ａにおいて、端子２０９ａを介して送電または受電が行われるときには端子２０９ａを送受電部２０８に電気的に接続し、端子２０９ａから電気信号１１４が受信されるときには、端子２０９ａをデコード部２０１に電気的に接続することができる。このように、切替部２２３は、端子２０９ａを通して送電または受電が行われるのか、あるいは端子２０９ａを通して電気信号１１４が受信されるのか、に応じて、端子２０９ａの接続先を、送受電部２０８とデコード部２０１とで切り替えることができる。切替部２２３は、例えば、双方向の２入力１出力のスイッチ回路によって実現される。しかし、本開示は切替部２２３の構成を特に限定するものではない。
【０１９４】
上述したように、受信装置２００Ａにおいては、受信装置２００Ａの接続相手が送信装置１００Ａであり、送信装置１００Ａにおいて伝送路１２２が電力の送電または受電に使用されるときには、端子２０９ａは、切替部２２３によって送受電部２０８に電気的に接続される。これにより、送受電部２０８は、送信装置１００Ａの送受電部１０８との間で、端子２０９ａを介して送電または受電を行うことができる。
【０１９５】
受信装置２００Ａにおいて、送信装置１００Ａの端子１０９ｂから出力される光信号１１７は、端子２０９ｂを介して光−電気変換部２０２に入力される。
【０１９６】
光−電気変換部２０２は、光信号１１７を電気信号１５１Ａに変換してＡＶ処理部２０３Ａに出力する。この変換により得られる電気信号１５１Ａは、ＡＶ処理部１０４Ａから出力される電気信号１５１に実質的に等しい信号であり、音声ベースバンド信号１１３Ａと映像ベースバンド信号１１１Ａとの双方が含まれる。
【０１９７】
ＡＶ処理部２０３Ａは、光−電気変換部２０２から出力される電気信号１５１Ａを、映像ベースバンド信号１１１Ａと音声ベースバンド信号１１３Ａとに分離する。なお、映像ベースバンド信号１１１Ａは、映像取得部１０１から出力される映像ベースバンド信号１１１に実質的に等しい信号であり、音声ベースバンド信号１１３Ａは、音声取得部１０６から出力される音声ベースバンド信号１１３に実施的に等しい信号である。なお、ＡＶ処理部２０３Ａが行う分離処理は、特に限定されるものではないが、送信装置１００ＡのＡＶ処理部１０４Ａで行われる合成処理を逆の手順で行う処理（その合成処理の逆変換処理）に相当する。
【０１９８】
ＡＶ処理部２０３Ａは、映像ベースバンド信号１１１Ａを合成部２０４に出力し、音声ベースバンド信号１１３Ａを音声セレクタ２１０に出力する。
【０１９９】
合成部２０４は、ＡＶ処理部２０３Ａから出力される映像ベースバンド信号１１１Ａを、そのまま映像出力部２０５に出力する。
【０２００】
音声セレクタ２１０は、ＡＶ処理部２０３Ａから出力される音声ベースバンド信号１１３Ａを音声出力部２０６に出力するのか、あるいは、デコード部２０１から出力される音声ベースバンド信号１１３Ａを音声出力部２０６に出力するのかを、切り替えることができる。実施の形態４に示す構成例（すなわち、受信装置２００Ａの接続相手が、図８に示した送信装置１００Ａである場合）では、音声セレクタ２１０は、ＡＶ処理部２０３Ａから出力される音声ベースバンド信号１１３Ａを音声出力部２０６に出力するように動作する。音声セレクタ２１０は、例えば、双方向の２入力１出力のスイッチ回路によって実現される。しかし、本開示は音声セレクタ２１０の構成を特に限定するものではない。
【０２０１】
なお、切替部２２３および音声セレクタ２１０を制御する信号は、例えば、制御部２０７Ａから出力される。制御部２０７Ａは、例えば、受信装置２００Ａの接続相手（例えば、送信装置１００Ａ）から端子１０９ａを通して送電または受電を行うことを示す信号を受信した場合に、端子２０９ａが送受電部２０８に電気的に接続されるように切替部２２３を制御し、ＡＶ処理部２０３Ａから出力される音声ベースバンド信号１１３Ａが音声出力部２０６に出力されるように音声セレクタ２１０を制御してもよい。あるいは、制御部２０７Ａは、端子２０９ａが送受電部２０８に電気的に接続されるように切替部２２３を制御し、ＡＶ処理部２０３Ａから出力される音声ベースバンド信号１１３Ａが音声出力部２０６に出力されるように音声セレクタ２１０を制御して、端子２０９ａを通して送電または受電を行うことを示す信号を受信装置２００Ａの接続相手（例えば、送信装置１００Ａ）に送信してもよい。あるいは、制御部２０７Ａは、初期状態では、端子２０９ａがデコード部２０１に電気的に接続されるように切替部２２３を制御し、デコード部２０１から出力される音声ベースバンド信号１１３Ａが音声出力部２０６に出力されるように音声セレクタ２１０を制御してもよい。そして、受信装置２００Ａの接続相手から端子１０９ａを通して電気信号１１４を送信することを示す信号を受信した場合、または、受信装置２００Ａの接続相手から端子１０９ａに関する情報を何も受信しなかった場合、または、受信装置２００Ａの接続相手が実施の形態１に示した送信装置１００であることを認識した場合、等に、その初期状態を維持してもよい。あるいは、制御部２０７Ａは、受信装置２００Ａの接続相手（例えば、送信装置１００Ａ）と、端子２０９ａを通して送電または受電を行うことに関する合意が得られたときに、端子２０９ａが送受電部２０８に電気的に接続されるように切替部２２３を制御し、ＡＶ処理部２０３Ａから出力される音声ベースバンド信号１１３Ａが音声出力部２０６に出力されるように音声セレクタ２１０を制御してもよい。
【０２０２】
［４−３．実施の形態４の効果等］
以上のように、実施の形態４において、送信装置は、送信装置の外部に設けられた受信装置との間で、電気信号の伝送路を介して電力の送電または受電を行う送受電部を備えてもよい。信号処理部は、映像取得部によって取得された映像信号を、第２変換部を用いて光信号に変換してもよい。
【０２０３】
なお、送信装置１００Ａは送信装置の一例である。受信装置２００Ａは受信装置の一例である。伝送路１２２は伝送路の一例である。送受電部１０８は送受電部の一例である。信号処理部１１０Ａは信号処理部の一例である。電気−光変換部１０５は第２変換部の一例である。
【０２０４】
例えば、実施の形態４に示した例では、送信装置１００Ａは、送信装置１００Ａの外部に設けられた受信装置２００Ａとの間で、電気信号１１４の伝送路１２２を介して電力の送電または受電を行う送受電部１０８を備える。信号処理部１１０Ａは、映像取得部１０１によって取得された映像ベースバンド信号１１１を、電気−光変換部１０５を用いて光信号１１７に変換する。
【０２０５】
このように構成された送信装置１００Ａでは、ＲＧＢ信号（電気信号１１４）等の伝送に用いられる伝送路１２２を、送電または受電に用いることで、大電力の送電または受電を実現することができる。そして、送信装置１００Ａは、例えば、大電力の送電または受電と、映像ベースバンド信号１１１および音声ベースバンド信号１１３の送信とを並列に行うことができる。
【０２０６】
［４−４．実施の形態４の変形例］
実施の形態４では、送信装置１００Ａにおいて、電気信号１１４の伝送路１２２を用いて送電または受電が行われる構成例を説明したが、本開示はこの構成に限定されない。送信装置１００Ａは、電力だけでなく、その他の任意の高速通信信号または制御信号を、伝送路１２２を通じて伝送してもよい。
【０２０７】
また、送信装置において、信号処理部は、取得された映像信号を、第２変換部を用いて光信号に変換し、送信装置の外部に設けられた受信装置から、ＨＤＭＩ（登録商標）規格において定められるＡＲＣ（Ａｕｄｉｏ  Ｒｅｔｕｒｎ  Ｃｈａｎｎｅｌ）信号を、電気信号の伝送路を通じて取得してもよい。
【０２０８】
すなわち、送信装置１００Ａにおいて、信号処理部１１０Ａは、取得された映像信号を、電気−光変換部１０５を用いて光信号に変換し、送信装置１００Ａの外部に設けられた受信装置２００Ａから、ＨＤＭＩ（登録商標）規格において定められるＡＲＣ信号を、電気信号１１４を伝送する伝送路１２２を通じて取得してもよい。
【０２０９】
ＡＲＣ信号は、より詳細には、ＩＥＣ  ６０９５８−１で定義されるデジタルオーディオ信号であって、シンク機器からソース機器に伝送されるデジタルオーディオ信号である。ＡＲＣ信号は、電気レベル等のインターフェイス仕様が変更された、Ｓ／ＰＤＩＦ（Ｓｏｎｙ（登録商標）／Ｐｈｉｌｉｐｓ（登録商標）  Ｄｉｇｉｔａｌ  Ｉｎｔｅｒｆａｃｅ）相当のデジタルオーディオ信号である。
【０２１０】
なお、エンコード部１０３にデコード部としての機能を備え、デジタルオーディオ信号であるＡＲＣ信号がエンコード部１０３においてアナログ信号に変換されて信号処理部１１０Ａに取得されてもよい。あるいは、エンコード部１０３またはその周辺回路がデジタル信号のままＡＲＣ信号を通過させる構成を備える等して、信号処理部１１０Ａがデジタル信号のままＡＲＣ信号を取得してもよい。
【０２１１】
（実施の形態５）
［５−１．構成］
実施の形態５における送受信システム１０Ａについて、図１０を参照しながら説明する。
【０２１２】
なお、実施の形態５に示す構成は、実施の形態１〜４で説明された送信装置１００、１００Ａおよび受信装置２００、２００Ａのいずれにも適用できるが、以下では、実施の形態４に示した送信装置１００Ａおよび受信装置２００Ａを備える送受信システム１０Ａを例に挙げて実施の形態５を説明する。
【０２１３】
図１０は、実施の形態５における送受信システム１０Ａの構成の一例を模式的に示すブロック図である。
【０２１４】
図１０に示すように、送受信システム１０Ａは、送信装置１００Ａと、受信装置２００Ａと、ケーブル３００Ａとを備え、送信装置１００Ａと受信装置２００Ａとがケーブル３００Ａによって相互に接続されて構成されている。
【０２１５】
なお、図１０に示す送信装置１００Ａは図８に示した送信装置１００Ａと実質的に同じものであり、図１０に示す受信装置２００Ａは図９に示した受信装置２００Ａと実質的に同じものであるが、図１０では、以下の説明に対して関連性の高い構成要素のみを図示しており、他の構成要素は省略している。また、図１０に示すケーブル３００Ａは、実施の形態１に示したケーブル３００と実質的に同じものであるが、４本の光ケーブル３０２ａ〜３０２ｄを備えている。
【０２１６】
光信号は、複数の光ケーブル（光ファイバ）によって並列に伝送される場合がある。そのような場合、光信号は、光ケーブル１本あたりの伝送可能スピード（１本の光ケーブルが単位時間（例えば１秒間）に伝送できる情報量）と、光信号によって伝送される単位時間あたりの情報量とに応じて、複数チャンネルに分けて伝送される。例えば、図１０に示される送受信システム１０Ａにおいては、光信号１１７は、ケーブル３００Ａに含まれる４本の光ケーブル３０２ａ〜３０２ｄによって伝送される。なお、図１０に示す光信号１１７を伝送する光ケーブルの数は、単なる一例であり、本開示は光信号１１７を伝送する光ケーブルの数を特に限定しない。
【０２１７】
送信装置１００Ａは、４本の光ケーブル３０２ａ〜３０２ｄに対応する４つの端子１０９ｂ１〜１０９ｂ４を備える。端子１０９ｂ１〜１０９ｂ４は、光信号１１７を、複数の伝送路（例えば、光ケーブル３０２ａ〜３０２ｄ）を通じて分割して送信するための複数の端子であり、複合コネクタ１０９に含まれる。
【０２１８】
送信装置１００Ａと同様に、受信装置２００Ａは、４本の光ケーブル３０２ａ〜３０２ｄに対応する４つの端子２０９ｂ１〜２０９ｂ４を備える。端子２０９ｂ１〜２０９ｂ４は、分割された光信号１１７を、複数の伝送路（例えば、光ケーブル３０２ａ〜３０２ｄ）を通じて受信するための複数の端子であり、複合コネクタ２０９に含まれる。
【０２１９】
そして、図１０に示す構成例では、端子１０９ｂ１と端子２０９ｂ１とは、光ケーブル３０２ａによって光学的に相互に接続され、端子１０９ｂ２と端子２０９ｂ２とは、光ケーブル３０２ｂによって光学的に相互に接続され、端子１０９ｂ３と端子２０９ｂ３とは、光ケーブル３０２ｃによって光学的に相互に接続され、端子１０９ｂ４と端子２０９ｂ４とは、光ケーブル３０２ｄによって光学的に相互に接続される。
【０２２０】
光ケーブルは、ケーブル内の光ファイバ導体が折れる等して光ケーブルに破損が生じたときに、光信号を伝送できなくなる場合がある。また、光ケーブルは、コネクタとの接合箇所にずれや汚れが生じたりすることによって光信号を伝送できなくなる場合もある。
【０２２１】
このような場合に備え、実施の形態５に示す送受信システム１０Ａでは、送信装置１００Ａが、制御部１０７Ａにおいて、複数の伝送路（例えば、光ケーブル３０２ａ〜３０２ｄ）における伝送品質を示す伝送品質情報を取得するように構成されている。伝送品質情報は、例えば、光信号１１７の伝送品質が低下した（光信号１１７を伝送できなくなった）光ケーブルまたは端子を特定するための識別情報（例えば、各光ケーブルまたは各端子にそれぞれ割り当てられた番号）である。なお、伝送品質情報は、識別情報に限定されるものではなく、例えば、ビットエラーレート（ビットエラー率）等が用いられてもよい。
【０２２２】
なお、光ケーブルの識別情報および端子の識別情報は、あらかじめ送信装置１００Ａおよび受信装置２００Ａによって共有されていてもよい。あるいは、分割された光信号１１７のそれぞれに、各光信号１１７の伝送に用いられる端子（光ケーブル）の識別情報が含まれていてもよい。
【０２２３】
送受信システム１０Ａにおいて、使用できない端子（光ケーブル）が生じたときの動作を、以下に説明する。
【０２２４】
送受信システム１０Ａにおいて、伝送品質情報は、受信装置２００Ａから送信装置１００Ａに送信される。受信装置２００Ａの光−電気変換部２０２は、端子２０９ｂ１〜２０９ｂ４を通じて光信号１１７を受信したときに、各光信号１１７に誤りが生じているか否かを、端子毎に、誤り検出技術（例えば、一般的に用いられているＣＲＣ（Ｃｙｃｌｉｃ  Ｒｅｄｕｎｄａｎｃｙ  Ｃｈｅｃｋ）等）によって検出する。そして、光−電気変換部２０２は、誤りの発生率が所定値よりも増加して伝送品質が低下したと判定した端子（光ケーブル）があった場合、その端子（光ケーブル）の識別情報を制御部２０７Ａに通知する。その通知を受けた制御部２０７Ａは、通知された端子（光ケーブル）の識別情報を示す伝送品質情報を、シリアル制御信号１２０として送信装置１００Ａの制御部１０７Ａに送信する。このとき、制御部２０７Ａから出力されたシリアル制御信号１２０は、受信装置２００Ａが有する複合コネクタ２０９の端子２０９ｃ、ケーブル３００Ａの電線３０２ｅ、送信装置１００Ａが有する複合コネクタ１０９の端子２０９ｃを通って、制御部１０７Ａに受信される。そして、制御部１０７Ａは、受信した伝送品質情報を電気−光変換部１０５に出力する。
【０２２５】
電気−光変換部１０５は、制御部１０７Ａから取得した伝送品質情報に基づいて伝送品質が低下した伝送路を特定し、送信装置１００Ａから受信装置２００Ａに光信号１１７を送信する複数の伝送路のうちの、伝送品質が低下した伝送路を除く伝送路に対応する１以上の端子を端子１０９ｂ１〜１０９ｂ４の中から選択し、選択した端子に光信号１１７を分割して出力する。
【０２２６】
これにより、電気−光変換部１０５は、伝送品質情報に基づき、伝送品質が低下した（光信号１１７を伝送できなくなった）伝送路を特定できるので、その伝送路に対応する光ケーブルおよび端子を避け、伝送品質が高い伝送路のみを使用して、光信号１１７を受信装置２００Ａに送信することができる。したがって、送受信システム１０Ａでは、伝送品質が低下した（光信号１１７を伝送できなくなった）光ケーブルまたは端子が発生したときに、映像ベースバンド信号１１１および音声ベースバンド信号１１３が送信装置１００Ａから受信装置２００Ａに送信できなくなるような事態が発生することを低減することができる。
【０２２７】
上記のような送受信システム１０Ａの具体な動作例について説明する。
【０２２８】
例えば、光ケーブル３０２ａ〜３０２ｄのそれぞれの最大伝送レートが２７Ｇｂｐｓ（Ｇｉｇａ  ｂｉｔｓ  ｐｅｒ  ｓｅｃｏｎｄ）であるとする。その場合、４本の光ケーブル３０２ａ〜３０２ｄの全てが光信号１１７の伝送に使用されると、送信装置１００Ａから受信装置２００Ａへの光信号１１７による最大伝送レートは２７Ｇｂｐｓ×４＝１０８Ｇｂｐｓとなる。
【０２２９】
一方、８Ｋ解像度（８Ｋ６０ｐ）の映像ベースバンド信号１１１を伝送するときの伝送レートは、（水平方向８８００画素）×（垂直方向４５００ライン）×（リフレッシュレート６０Ｈｚ）×（ＲＧＢ３ｃｈ）＝７１．２８Ｇｂｐｓである。したがって、送受信システム１０Ａにおいて、８Ｋ解像度の映像ベースバンド信号１１１を送信装置１００Ａから受信装置２００Ａへ送信するときには、約７２Ｇｂｐｓの伝送レートが確保されればよい。
【０２３０】
上記の構成の場合、光ケーブル３０２ａ〜３０２ｄのうち３本が並列に（同時に）使用されるときの、送信装置１００Ａから受信装置２００Ａへの光信号１１７による最大伝送レートは、２７Ｇｂｐｓ×３＝８１Ｇｂｐｓとなる。そのため、上記のように構成された送受信システム１０Ａでは、４本の光ケーブル３０２ａ〜３０２ｄのうちの３本を使用すれば、送信装置１００Ａから受信装置２００Ａへ、８Ｋ解像度の映像ベースバンド信号１１１を光信号１１７によって送信することができる。
【０２３１】
したがって、光ケーブル３０２ａ〜３０２ｄのうちの１本の光ケーブル（例えば、光ケーブル３０２ｂ）が破損等により使用できなくなったとしても、電気−光変換部１０５は、光ケーブル３０２ａ〜３０２ｄのうちの、使用できない光ケーブルを除く光ケーブル（例えば、光ケーブル３０２ａ、３０２ｃ、および３０２ｄ）に対応する３つの端子（例えば、端子１０９ｂ１、１０９ｂ３、および１０９ｂ４）を選択し、選択した３つの端子に光信号１１７を分割して出力すれば、８Ｋ解像度の映像ベースバンド信号１１１を光信号１１７によって送信することができる。
【０２３２】
なお、電気−光変換部１０５は、初期状態として、例えば、端子１０９ｂ１に識別情報「１」を含む光信号１１７を出力し、端子１０９ｂ２に識別情報「２」を含む光信号１１７を出力し、端子１０９ｂ３に識別情報「３」を含む光信号１１７を出力し、端子１０９ｂ４に識別情報「４」を含む光信号１１７を出力してもよい。そして、電気−光変換部１０５は、１本の光ケーブル（例えば、光ケーブル３０２ｂ）が使用できなくなった後は、例えば、端子１０９ｂ１に識別情報「１」を含む光信号１１７を出力し、端子１０９ｂ３に識別情報「２」を含む光信号１１７を出力し、端子１０９ｂ４に識別情報「３」を含む光信号１１７を出力してもよい。このように、電気−光変換部１０５は、使用できない光ケーブルが生じた後に、各端子に割りあてる識別情報を、初期状態から変化させてもよい。
【０２３３】
なお、電気−光変換部１０５は、２本の光ケーブルが使用できなくなったときには、使用可能な残りの２本の光ケーブルに対応する２つの端子を選択してもよい。また、電気−光変換部１０５は、３本の光ケーブルが使用できなくなったときには、使用可能な残りの１本の光ケーブルに対応する端子を選択してもよい。また、電気−光変換部１０５は、使用可能な光ケーブルの本数に応じた解像度（情報量）の映像ベースバンド信号１１１を光信号１１７で送信してもよい。
【０２３４】
なお、受信装置２００Ａにおいては、記憶部２０７ａに、光信号１１７がどのような分割方式で分割されていれば、受信装置２００Ａが受信可能か（信号処理可能か）を示す分割情報が記憶されていてもよい。分割情報は、例えば、光信号１１７の最大分割数、１つの端子（１チャンネル）当たりの最大伝送レート（解像度）、等の情報を含んでいてもよい。分割情報は、受信機情報の一部であってもよい。この場合、送信装置１００Ａにおいては、例えば、制御部１０７Ａが分割情報をシリアル制御信号１２０として取得することにより、電気−光変換部１０５は、受信装置２００Ａで受信可能な（信号処理可能な）分割方式で光信号を分割して出力することができる。
【０２３５】
［５−２．実施の形態５の効果等］
以上のように、実施の形態５において、送信装置は、光信号を複数の伝送路を通じて分割して送信するための複数の端子を備えていてもよい。
【０２３６】
また、実施の形態５において、受信装置は、分割された光信号を複数の伝送路を通じて取得するための複数の端子を備えていてもよい。
【０２３７】
なお、送信装置１００Ａは送信装置の一例である。光ケーブル３０２ａ〜３０２ｄは複数の伝送路の一例である。端子１０９ｂ１〜１０９ｂ４は、送信装置が備える複数の端子の一例である。受信装置２００Ａは受信装置の一例である。端子２０９ｂ１〜端子２０９ｂ４は、受信装置が備える複数の端子の一例である。
【０２３８】
例えば、実施の形態５に示した例では、送信装置１００Ａは、光信号１１７を、光ケーブル３０２ａ〜３０２ｄを通じて分割して送信するための複数の端子１０９ｂ１〜１０９ｂ４を備えている。
【０２３９】
受信装置２００Ａは、分割された光信号１１７を、光ケーブル３０２ａ〜３０２ｄを通じて受信するための複数の端子２０９ｂ１〜端子２０９ｂ４を備えている。
【０２４０】
これにより、送信装置１００Ａは、光信号１１７を分割し、分割した光信号１１７を複数の伝送路（光ケーブル３０２ａ〜３０２ｄ）を通じて送信することができる。受信装置２００Ａは、分割した光信号１１７を複数の伝送路（光ケーブル３０２ａ〜３０２ｄ）を通じて受信することができる。
【０２４１】
送信装置は、複数の伝送路における伝送品質を示す伝送品質情報を取得する伝送品質取得部を備えてもよい。第２変換部は、取得された伝送品質情報に基づいて、複数の端子の中から、複数の伝送路のうちの一部の伝送路に対応する１以上の端子を選択し、選択した端子の数に応じて光信号を分割し、分割した光信号を、選択した１以上の端子から出力してもよい。
【０２４２】
なお、制御部１０７Ａは伝送品質取得部の一例である。
【０２４３】
例えば、実施の形態５に示した例では、送信装置１００Ａは、複数の伝送路（光ケーブル３０２ａ〜３０２ｄ）における伝送品質を示す伝送品質情報を取得する制御部１０７Ａを備えている。電気−光変換部１０５は、取得された伝送品質情報に基づいて、複数の端子１０９ｂ１〜１０９ｂ４の中から、複数の伝送路（光ケーブル３０２ａ〜３０２ｄ）のうちの一部の伝送路に対応する１以上の端子を選択し、選択した端子の数に応じて光信号１１７を分割し、分割した光信号１１７を選択した１以上の端子から出力する。
【０２４４】
これにより、送信装置１００Ａは、伝送品質の良好な伝送路を選択し、選択した伝送路を使用して光信号１１７を送信することができる。
【０２４５】
［５−３．実施の形態５の変形例］
一般的に、光ケーブルは、光信号を双方向に伝送することができる。したがって、送信装置１００Ａは、受信装置２００Ａからケーブル３００Ａ（光ケーブル３０２ａ〜３０２ｄ）を通じて光信号を受信することも可能である。この場合、送信装置１００Ａにおいては、電気−光変換部１０５が、上述した電気−光変換部１０５の機能を有するとともに、光信号を受信することもできる光信号処理部に置き換えられればよい。受信装置２００Ａにおいては、光−電気変換部２０２が、上述した光−電気変換部２０２の機能を有するとともに、光信号を送信することもできる光信号処理部に置き換えられればよい。これにより、受信装置２００Ａが備える光信号処理部は、送信装置１００Ａが備える光信号処理部に光信号を送信することができる。
【０２４６】
例えば、シリアル制御信号１２０が光ケーブル３０２ａ〜３０２ｄのいずれかを通じて光信号として伝送されてもよい。すなわち、送信装置において、受信機情報取得部は、受信機情報を電気信号として取得できない場合に、光信号の伝送路を通じて、受信機情報を光信号として取得してもよい。具体的な例としては、送信装置１００Ａにおいて、制御部１０７Ａは、受信機情報を、電線３０２ｅを通じて電気信号として取得できない場合に、光信号１１７の伝送路である光ケーブル３０２ａ〜３０２ｄのいずれかを通じて、受信機情報を光信号として取得してもよい。
【０２４７】
これにより、送信装置１００Ａは、電線３０２ｅが断線する等して受信装置２００Ａからの受信機情報を電気信号として取得することができない場合に、光ケーブル３０２ａ〜３０２ｄのいずれかを通じて受信機情報を光信号として取得することができる。なお、送信装置１００Ａは、例えば、制御部１０７Ａが、受信機情報を要求するシリアル制御信号１２０を電気信号として電線３０２ｅを通じて受信装置２００Ａに送信したにもかかわらず、受信装置２００Ａから応答を得られなかった場合等に、受信機情報を電気信号として取得できない、と判断してもよい。
【０２４８】
（その他の実施の形態）
以上のように、本出願において開示する技術の例示として、実施の形態１〜５を説明した。しかしながら、本開示における技術は、これに限定されず、変更、置き換え、付加、省略等を行った実施の形態にも適用できる。また、上記実施の形態１〜５で説明した各構成要素を組み合わせて、新たな実施の形態とすることも可能である。
【０２４９】
そこで、以下、他の実施の形態を例示する。
【０２５０】
例えば、上記実施の形態で説明されたＨＤＭＩ（登録商標）規格には、現存するバージョンだけでなく、将来使用されるバージョンが含まれてもよい。つまり、本開示は、将来使用される新たなバージョンのＨＤＭＩ（登録商標）規格に適用されてもよい。
【０２５１】
実施の形態２の動作例２では、ステップＳ２４での映像分離処理時の低域映像信号１１２の解像度の決定に、ステップＳ２２で取得された受信機情報およびステップＳ２３で取得されたケーブル情報３２０の両方を用いる動作例を説明したが、本開示は何らこの動作に限定されない。低域映像信号１１２の解像度の決定には、ステップＳ２２で取得された受信機情報およびステップＳ２３で取得されたケーブル情報３２０の少なくとも一方が用いられればよい。
【０２５２】
例えば、実施の形態４に示した送信装置１００Ａが、実施の形態１に示した周波数変換部１０４を信号処理部１１０Ａに備え、実施の形態１〜４に示した各動作を実行できるように構成されてもよい。
【０２５３】
あるいは、実施の形態４に示した受信装置２００Ａが、実施の形態１に示した周波数変換部２０３を備え、実施の形態１〜４に示した各動作を実行できるように構成されてもよい。
【０２５４】
実施の形態４の変形例に示す送信装置１００Ａにおいて、ＡＲＣ信号の取得は、制御部１０７Ａによって行われてもよい。制御部１０７Ａは、伝送路１２２を通じてＡＲＣ信号を取得してもよい。
【０２５５】
上記実施の形態において、各構成要素は、専用のハードウェアで構成されてもよく、あるいは、各構成要素に適したソフトウェアプログラムを実行することによって実現されてもよい。各構成要素は、ＣＰＵ（Ｃｅｎｔｒａｌ  Ｐｒｏｃｅｓｓｉｎｇ  Ｕｎｉｔ）またはプロセッサなどのプログラム実行部が、ハードディスクまたは半導体メモリなどの記録媒体に記録されたソフトウェアプログラムを読み出して実行することによって実現されてもよい。
【０２５６】
また、各構成要素は、回路（または集積回路）でもよい。これらの回路は、全体として１つの回路を構成してもよいし、それぞれが別々の回路でもよい。また、これらの回路は、それぞれ、汎用的な回路でもよいし、専用の回路でもよい。
【０２５７】
また、本開示の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラムおよび記録媒体の任意な組み合わせで実現されてもよい。例えば、本開示は、上記実施の形態の送受信システムとして実現されてもよいし、送信装置によって実行される送信方法または受信装置によって実行される受信方法として実現されてもよい。
【０２５８】
上記実施の形態において説明された送信装置および受信装置の動作における複数の処理の順序は一例である。複数の処理の順序は変更されてもよいし、複数の処理は並列に実行されてもよい。また、特定の処理部が実行する処理を別の処理部が実行してもよい。
【０２５９】
以上のように、本開示における技術の例示として、実施の形態を説明した。そのために、添付図面および詳細な説明を提供した。
【０２６０】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０２６１】
また、上述の実施の形態は、本開示における技術を例示するためのものであるから、特許請求の範囲またはその均等の範囲において種々の変更、置き換え、付加、省略などを行うことができる。
【産業上の利用可能性】
【０２６２】
本開示は、高精細な映像ベースバンド信号の伝送等に利用可能である。具体的には、映像信号送信装置、映像信号受信装置、等に、本開示は適用可能である。
【符号の説明】
【０２６３】
１０，１０Ａ    送受信システム
１００，１００Ａ    送信装置
１０１    映像取得部
１０２    分離部
１０３    エンコード部
１０４，２０３    周波数変換部
１０４Ａ，２０３Ａ    ＡＶ処理部
１０５    電気−光変換部
１０６    音声取得部
１０７，１０７Ａ，２０７，２０７Ａ    制御部
１０８    送受電部
１０９    複合コネクタ
１０９ａ，１０９ｂ，１０９ｂ１，１０９ｂ２，１０９ｂ３，１０９ｂ４，１０９ｃ，１０９ｄ，１０９ｅ，２０９ａ，２０９ｂ，２０９ｂ１，２０９ｂ２，２０９ｂ３，２０９ｂ４，２０９ｃ，２０９ｄ    端子
１１０，１１０Ａ    信号処理部
１１１，１１１Ａ    映像ベースバンド信号
１１２，１１２Ａ    低域映像信号
１１３，１１３Ａ    音声ベースバンド信号
１１４，１５１，１５１Ａ    電気信号
１１５，１１５Ａ    第１高域映像信号
１１６，１１６Ａ    第２高域映像信号
１１７    光信号
１１８    音声制御信号
１１９    映像制御信号
１２０    シリアル制御信号
１２１    電力制御信号
１２２    伝送路
１２３，２２３    切替部
２００，２００Ａ    受信装置
２０１    デコード部
２０２    光−電気変換部
２０４    合成部
２０５    映像出力部
２０６    音声出力部
２０７ａ    記憶部
２０８    送受電部
２０９    複合コネクタ
２１０    音声セレクタ
２２１    電力制御信号
３００，３００Ａ    ケーブル
３０１    記憶部
３０２ａ，３０２ｂ，３０２ｃ，３０２ｄ    光ケーブル
３０２ｅ    電線
３２０    ケーブル情報
【図１】
2017209097.tif 000003
【図２】
2017209097.tif 000004
【図３】
2017209097.tif 000005
【図４】
2017209097.tif 000006
【図５】
2017209097.tif 000007
【図６】
2017209097.tif 000008
【図７】
2017209097.tif 000009
【図８】
2017209097.tif 000010
【図９】
2017209097.tif 000011
【図１０】
2017209097.tif 000012
【手続補正書】
【提出日】平成30年11月26日(2018.11.26)
【手続補正１】
【補正対象書類名】明細書
【補正対象項目名】全文
【補正方法】変更
【補正の内容】
【発明の詳細な説明】
【技術分野】
【０００１】
本開示は、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）規格に準拠した電気信号と光信号とを送信する送信装置、それらの信号を受信する受信装置、それらの信号の送受信に用いられるケーブル、送信方法、および受信方法に関する。
【背景技術】
【０００２】
ＨＤＭＩ（登録商標）規格（例えば、非特許文献１参照）においては、信号の伝送方式が定められており、その伝送方式は、ＡＶ（Ａｕｄｉｏ  Ｖｉｓｕａｌ）機器間の映像信号および音声信号の伝送に広く利用されている。
【０００３】
一方、テレビジョン（以下、「テレビ」ともいう）の高精細化が進むと、映像信号および音声信号の情報量が増加する。そのため、物理的な制限により、電気信号で表された映像信号を送信することが困難な場合がある。
【先行技術文献】
【非特許文献】
【０００４】
【非特許文献１】ＨＤＭＩ（登録商標）  Ｓｐｅｃｉｆｉｃａｔｉｏｎ  Ｖｅｒ．１．３ａ［平成２７年１２月１日検索］、インターネット＜URL：http://www.hdmi.org/manufacturer/specification.aspx＞
【発明の概要】
【０００５】
本開示は、情報量が相対的に多い映像信号を送信することができる送信装置を提供する。
【０００６】
本開示の送信装置は、映像信号を取得する映像取得部と、前記映像信号をＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）規格に準拠した電気信号に変換する第１変換部と、前記映像信号を光信号に変換する第２変換部と、取得された前記映像信号に対して、前記第１変換部を用いた変換および前記第２変換部を用いた変換の少なくとも一方を行う信号処理部と、を備える。
【０００７】
本開示によれば、情報量が相対的に多い映像信号を送信することができる。
【図面の簡単な説明】
【０００８】
【図１】図１は、実施の形態１における送受信システムの概略構成を模式的に示す図である。
【図２】図２は、実施の形態１における送信装置の構成の一例を模式的に示すブロック図である。
【図３】図３は、実施の形態１の映像分離処理における、分離部および周波数変換部の動作を説明するための図である。
【図４】図４は、実施の形態１における受信装置の構成の一例を模式的に示すブロック図である。
【図５】図５は、実施の形態２における送信装置の動作例１のフローチャートである。
【図６】図６は、実施の形態２における送信装置の動作例２のフローチャートである。
【図７】図７は、実施の形態３における送信装置の動作例のフローチャートである。
【図８】図８は、実施の形態４における送信装置の構成の一例を模式的に示すブロック図である。
【図９】図９は、実施の形態４における受信装置の構成の一例を模式的に示すブロック図である。
【図１０】図１０は、実施の形態５における送受信システムの構成の一例を模式的に示す図である。
【発明を実施するための形態】
【０００９】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００１０】
なお、添付図面および以下の説明は、当業者が本開示を十分に理解するために提供されるのであって、これらにより特許請求の範囲に記載の主題を限定することは意図されていない。
【００１１】
また、各図は、模式図であり、必ずしも厳密に図示されたものではない。また、各図において、実質的に同一の構成要素に対しては同一の符号を付しており、重複する説明は省略または簡略化される場合がある。
【００１２】
（実施の形態１）
［１−１．送受信システムの概略構成］
以下、実施の形態１における送受信システム１０について図面を参照しながら説明する。まず、実施の形態１における送受信システム１０の概略構成について説明する。
【００１３】
図１は、実施の形態１における送受信システム１０の概略構成を模式的に示す図である。
【００１４】
図１に示されるように、送受信システム１０は、送信装置１００と、受信装置２００と、ケーブル３００と、を備える。
【００１５】
送信装置１００は、映像ベースバンド信号に対して信号処理を行い、信号処理後の信号を、送信装置１００の外部に設けられた受信装置２００に送信する装置である。送信装置１００は、ＨＤＭＩ（登録商標）規格におけるソース機器として動作し、複合コネクタ１０９を備える。送信装置１００は、映像ベースバンド信号をＨＤＭＩ（登録商標）規格に準拠した電気信号に変換し、その電気信号を送信することができる。また、詳細は後述するが、送信装置１００は、映像ベースバンド信号を光信号に変換し、その光信号を送信することもできる。なお、光信号とは、電気信号に応じて光が変調されて生成された信号を意味する。以下の実施の形態において、光信号であることが示されていない信号は、基本的には電気信号である。
【００１６】
送信装置１００は、具体的には、ブルーレイ（登録商標）プレイヤー、ＨＤＤ（Ｈａｒｄ  Ｄｉｓｋ  Ｄｒｉｖｅ）レコーダ、セットトップボックス、または、スマートフォン、等である。送信装置１００は、集積回路として実現されてもよく、その場合、送信装置１００は、複合コネクタ１０９を備えていなくてもよい。
【００１７】
受信装置２００は、送信装置１００から電気信号および光信号の少なくとも一方を受信し、受信した信号に基づいた映像を出力（表示）する装置である。受信装置２００は、ＨＤＭＩ（登録商標）規格におけるシンク機器として動作し、複合コネクタ２０９を備える。受信装置２００は、具体的には、テレビジョンセット、ブルーレイ（登録商標）プレイヤー、ＨＤＤレコーダ、パーソナルコンピュータ、スマートフォン、またはタブレット端末、等である。
【００１８】
ケーブル３００は、送信装置１００と受信装置２００とを電気的および光学的に相互に接続するケーブルである。言い換えると、送信装置１００と受信装置２００とは、ケーブル３００によって相互に有線接続される。ケーブル３００の一端には、コネクタ構造（図示せず）が取り付けられ、当該コネクタ構造は、送信装置１００の複合コネクタ１０９に着脱自在に接続される。また、ケーブル３００の他端には、コネクタ構造（図示せず）が取り付けられ、当該コネクタ構造は、受信装置２００の複合コネクタ２０９に着脱自在に接続される。
【００１９】
ケーブル３００は、ケーブル３００の電気信号の最大伝送レートを示すケーブル情報が記憶された記憶部３０１を有してもよい。なお、伝送レートとは、単位時間（例えば、１秒間）に伝送される情報量のことであり、最大伝送レートとは、単位時間（例えば、１秒間）に伝送可能な情報量の最大値のことである。また、ケーブル３００は、ケーブル情報を出力するための端子（図示せず）を備えていてもよい。その場合、送信装置１００は、記憶部３０１からケーブル情報を取得することができる。記憶部３０１は、具体的には、半導体メモリまたは半導体チップ等であるが、抵抗等で実現されてもよい。また、記憶部３０１には、光信号の最大伝送レートがさらに記憶されてもよい。なお、記憶部３０１およびケーブル情報を出力するための端子は、本開示において必須の構成要素ではない。
【００２０】
［１−２．送信装置の構成］
次に、送信装置１００の構成について説明する。
【００２１】
図２は、実施の形態１における送信装置１００の構成の一例を模式的に示すブロック図である。
【００２２】
図２に示されるように、送信装置１００は、映像取得部１０１と、信号処理部１１０と、エンコード部１０３と、電気−光変換部１０５と、音声取得部１０６と、制御部１０７と、送受電部１０８と、複合コネクタ１０９と、を備える。信号処理部１１０は、分離部１０２および周波数変換部１０４を備える。
【００２３】
送信装置１００は、複数の画像（動画像）を構成する映像ベースバンド信号１１１を、ＨＤＭＩ（登録商標）規格に準拠した電気信号に変換することができる。また、送信装置１００は、映像ベースバンド信号１１１を、光信号に変換することができる。また、送信装置１００は、映像ベースバンド信号１１１の一部を電気信号に変換し、映像ベースバンド信号１１１の他の一部を光信号に変換することもできる。
【００２４】
映像取得部１０１は、非圧縮の（圧縮されていない）信号である映像ベースバンド信号１１１を取得し、信号処理部１１０の分離部１０２に出力する。映像取得部１０１は、例えば、送信装置１００の外部に設けられた装置（図示せず）から映像ベースバンド信号１１１を取得してもよい。あるいは、送信装置１００は、送信装置１００の内部に映像ベースバンド信号１１１を再生する装置（図示せず）を備える場合は、その装置から映像ベースバンド信号１１１を取得してもよい。また、送信装置１００が、圧縮された映像信号から映像ベースバンド信号１１１を生成する映像信号生成部（図示せず）を備える場合には、映像取得部１０１は、その映像信号生成部によって生成された映像ベースバンド信号１１１を取得してもよい。
【００２５】
映像取得部１０１は、例えば、地上波放送または衛星放送のテレビジョン放送波、ブルーレイ（登録商標）ディスク等の記録媒体、テレビジョン放送信号送信用のケーブル、またはインターネット、等を通じて、映像ベースバンド信号１１１を取得する。
【００２６】
音声取得部１０６は、非圧縮の（圧縮されていない）信号である音声ベースバンド信号１１３を取得し、エンコード部１０３に出力する。音声取得部１０６は、例えば、送信装置１００の外部に設けられた装置（図示せず）から音声ベースバンド信号１１３を取得してもよい。あるいは、送信装置１００は、送信装置１００の内部に音声ベースバンド信号１１３を再生する装置（図示せず）を備える場合は、その装置から音声ベースバンド信号１１３を取得してもよい。また、送信装置１００が、圧縮された音声信号から音声ベースバンド信号１１３を生成する音声信号生成部（図示せず）を備える場合には、音声取得部１０６は、その音声信号生成部によって生成された音声ベースバンド信号１１３を取得してもよい。
【００２７】
音声取得部１０６は、例えば、地上波放送または衛星放送のテレビジョン放送波、ブルーレイ（登録商標）ディスク等の記録媒体、テレビジョン放送信号送信用のケーブル、またはインターネット、等を通じて、音声ベースバンド信号１１３を取得する。
【００２８】
なお、映像取得部１０１が取得する映像ベースバンド信号１１１と、音声取得部１０６が取得する音声ベースバンド信号１１３とは、通常は、１つの動画コンテンツを構成する互いに同期の取れた信号である。したがって、映像取得部１０１による映像ベースバンド信号１１１の取得と、音声取得部１０６による音声ベースバンド信号１１３の取得とは、例えば、互いに並行して同じ期間に行われる。同様に、音声取得部１０６によるエンコード部１０３への音声ベースバンド信号１１３の出力と、信号処理部１１０による低域映像信号１１２の出力とは、例えば、互いに並行して同じ期間に行われる。
【００２９】
信号処理部１１０の分離部１０２は、映像取得部１０１から取得された映像ベースバンド信号１１１の全部をそのままエンコード部１０３に出力することにより、その取得された映像ベースバンド信号１１１に対して、エンコード部１０３による変換を行う。また、信号処理部１１０の分離部１０２は、映像取得部１０１から取得された映像ベースバンド信号１１１の全部をそのまま周波数変換部１０４を介して電気−光変換部１０５に出力することにより、その取得された映像ベースバンド信号１１１に対して、電気−光変換部１０５による変換を行う。
【００３０】
このように、信号処理部１１０は、映像取得部１０１で取得された映像ベースバンド信号１１１に対して、エンコード部１０３による変換、および電気−光変換部１０５による変換の少なくとも一方を行う。
【００３１】
また、信号処理部１１０は、映像取得部１０１で取得された映像ベースバンド信号１１１に対して映像分離処理を行うこともできる。その映像分離処理では、信号処理部１１０は、映像取得部１０１から取得された映像ベースバンド信号１１１を、低域映像信号１１２と第２高域映像信号１１６とに分離して出力する。そして、信号処理部１１０は、低域映像信号１１２をエンコード部１０３に出力することで、低域映像信号１１２を、エンコード部１０３によりＨＤＭＩ（登録商標）に準拠した電気信号１１４に変換する。また、信号処理部１１０は、第２高域映像信号１１６を電気−光変換部１０５に出力することで、第２高域映像信号１１６を、電気−光変換部１０５により光信号１１７に変換する。
【００３２】
以上のような映像分離処理は、具体的には、信号処理部１１０が備える分離部１０２および周波数変換部１０４によって行われる。以下、本実施の形態における映像分離処理について、図３を参照しながら説明する。
【００３３】
図３は、実施の形態１の映像分離処理における、分離部１０２および周波数変換部１０４の動作を説明するための図である。なお、映像ベースバンド信号１１１を周波数領域おいて映像分離処理する必要がある場合には、ＤＣＴ（Ｄｉｓｃｒｅｔｅ  Ｃｏｓｉｎｅ  Ｔｒａｎｓｆｏｒｍ）および逆ＤＣＴ等の変換処理が適宜行われる。なお、ＤＣＴおよび逆ＤＣＴは一般に知られた信号変換技術であるので、ここではその説明を省略する。
【００３４】
分離部１０２は、画像を構成する映像ベースバンド信号１１１を、低域映像信号１１２と第１高域映像信号１１５とに分離する。低域映像信号１１２は、画像の低周波成分を構成する信号であり、第１高域映像信号１１５は、画像の高周波成分を構成する信号である。なお、以下の説明では、特に断りのない限り、周波数成分とは画像の空間周波数成分を意味する。
【００３５】
映像ベースバンド信号１１１の元の映像信号が有するサンプリング周波数がＦｓであるとき、分離部１０２は、まず、帯域０以上Ｆｓ／４以下の周波数成分のみを通過する低域通過フィルタ回路に映像ベースバンド信号１１１を通す。これにより、図３の（ａ）に示される映像ベースバンド信号１１１（帯域０以上Ｆｓ／２以下の周波数成分を有する信号）から、図３の（ｂ）に示されるような周波数成分（帯域０以上Ｆｓ／４以下の周波数成分）を有する信号が得られる。
【００３６】
次に、分離部１０２は、図３の（ｂ）に示されるような周波数成分を有する信号を、サンプリング周波数Ｆｓ／２でサブサンプリング（ダウンサンプリング）する。このようにして得られた信号が低域映像信号１１２である。低域映像信号１１２の周波数成分（帯域０以上Ｆｓ／４以下の周波数成分）は、図３の（ｃ）に示される。低域映像信号１１２は、分離部１０２からエンコード部１０３に出力される。そして、エンコード部１０３は、低域映像信号１１２を、ＨＤＭＩ（登録商標）に準拠した電気信号１１４に変換する。なお、上記に説明した分離部１０２の処理は、例えば、画像の水平方向および垂直方向のそれぞれについて行われる。
【００３７】
分離部１０２は、映像ベースバンド信号１１１（帯域０以上Ｆｓ／２以下の周波数成分を有する信号）を、帯域Ｆｓ／４以上Ｆｓ／２以下の周波数成分を通すバンドパスフィルタ回路にも通す。分離部１０２は、このバンドパスフィルタ回路から得られる信号（帯域Ｆｓ／４以上Ｆｓ／２以下の周波数成分の信号）を、第１高域映像信号１１５として周波数変換部１０４に出力する。第１高域映像信号１１５の周波数成分は、図３の（ｄ）に示される。
【００３８】
周波数変換部１０４は、第１高域映像信号１１５のサンプリング周波数をＦｓからＦｓ／２に変換する。すなわち、周波数変換部１０４は、第１高域映像信号１１５をサンプリング周波数Ｆｓ／２でサブサンプリング（ダウンサンプリング）する。第１高域映像信号１１５を、このようにサブサンプリング処理して得られた信号が第２高域映像信号１１６である。第２高域映像信号１１６の周波数成分は、図３の（ｅ）に示される。
【００３９】
第１高域映像信号１１５をサンプリング周波数Ｆｓ／２でサブサンプリングすることで、第２高域映像信号１１６の周波数成分は、第１高域映像信号１１５の周波数成分が低域に向かって折り返された形となる。第２高域映像信号１１６は、周波数変換部１０４から電気−光変換部１０５に出力される。そして、電気−光変換部１０５は、第２高域映像信号１１６を、光信号１１７に変換する。なお、周波数変換部１０４によって行われるサブサンプリング処理は、本開示において必須の処理ではない。
【００４０】
エンコード部１０３は、エンコード部１０３に入力される信号をＨＤＭＩ（登録商標）規格に準拠した電気信号１１４（ＨＤＭＩ（登録商標）信号）に変換（エンコード）する。エンコード部１０３は、具体的には、低域映像信号１１２と、この映像信号に対応（同期）する音声ベースバンド信号１１３と、を含む電気信号１１４を生成する。電気信号１１４は、金属を含んで形成された配線等の伝送路を通じて、複合コネクタ１０９が有する端子１０９ａから出力される。端子１０９ａは、電気信号１１４を受信装置２００等の外部装置に出力するための出力端子であり、金属を含んで形成されている。
【００４１】
電気−光変換部１０５は、映像ベースバンド信号１１１を光信号１１７に変換する。電気−光変換部１０５は、具体的には、第２高域映像信号１１６を光信号１１７に変換する。電気−光変換部１０５は、例えば、発光ダイオード等を用いて第２高域映像信号１１６を光信号１１７に変換する。光信号１１７は、光信号を伝送する光ファイバ等の伝送路を通じて、複合コネクタ１０９が有する光出力用の端子１０９ｂから出力される。なお、映像ベースバンド信号１１１に映像分離処理が行われた場合、電気信号１１４の出力と光信号１１７の出力とは互いに並列に行われてもよい。
【００４２】
制御部１０７は、受信装置２００から送信されてくるシリアル制御信号１２０を受信し、受信したシリアル制御信号１２０に基づいて、音声制御信号１１８を音声取得部１０６に出力し、映像制御信号１１９を映像取得部１０１に出力する。シリアル制御信号１２０は、複合コネクタ１０９が有する端子１０９ｃを介して受信される。制御部１０７は、受信したシリアル制御信号１２０に基づいて、信号処理部１１０、エンコード部１０３、および電気−光変換部１０５に制御信号を出力してもよい。また、制御部１０７は、受信したシリアル制御信号１２０に基づいて、電力供給（以下、「送電」という）または電力受給（以下、「受電」という）の指示を示す電力制御信号１２１を送受電部１０８に出力する。なお、図２では、制御部１０７が出力する制御信号を破線の矢印で示す。
【００４３】
シリアル制御信号１２０には、例えば、受信装置２００の受信機情報が含まれる。受信機情報は、例えば、受信装置２００が受信可能な電気信号１１４の最大伝送レートを示す。
【００４４】
なお、制御部１０７は、端子１０９ｃを介して受信装置２００に制御信号を送信してもよい。
【００４５】
送受電部１０８は、電力制御信号１２１に基づいて、受信装置２００への送電または受信装置２００からの受電を行う。受信装置２００への送電または受信装置２００からの受電は、複合コネクタ１０９が有する端子１０９ｄを介して行われる。
【００４６】
複合コネクタ１０９は、電気信号１１４を出力するための端子１０９ａと、光信号１１７を出力するための端子１０９ｂと、その他の端子とが複合されたコネクタ構造である。複合コネクタ１０９には、ケーブル３００が接続される。複合コネクタ１０９の電気信号１１４に関連する部分は、ＨＤＭＩ（登録商標）規格で定められた仕様を満たしている。
【００４７】
複合コネクタ１０９は、ケーブル３００が備える記憶部３０１からケーブル情報３２０を取得するための端子１０９ｅを有する。ケーブル３００が複合コネクタ１０９に接続されると、ケーブル３００が有する端子でありかつケーブル情報３２０を出力するための端子（図示せず）と端子１０９ｅとが互いに電気的に接続される。したがって、制御部１０７は、ケーブル情報３２０を、端子１０９ｅを介して取得可能である。ケーブル情報３２０は、図２に示す構成例では、制御部１０７によって取得されるが、信号処理部１１０によって取得されてもよい。なお、複合コネクタ１０９は、１つのコネクタハウジングの中に、上述の端子１０９ａ〜１０９ｅを有する。
【００４８】
上述した複合コネクタ１０９に含まれる端子の数等は、一例であり、本開示は何ら上述の構成に限定されない。例えば、複合コネクタ１０９は、光信号１１７を出力するための端子１０９ｂを複数備えてもよい。また、送信装置１００は、複合コネクタ１０９に代えて、電気信号１１４を出力するためのコネクタと、光信号１１７を出力するためのコネクタとを、別々に備えてもよい。この構成の場合、電気信号１１４を出力するためのコネクタは、ＨＤＭＩ（登録商標）規格に準拠した構造であることが望ましい。
【００４９】
以上説明した送信装置１００の各構成要素は、具体的には、プロセッサ、マイクロコンピュータ、半導体集積回路、または専用回路、等によって実現される。例えば、各構成要素は、単体のプロセッサとして実現されてもよいし、１つのプロセッサが有する機能の一部として実現されてもよい。
【００５０】
例えば、映像取得部１０１、音声取得部１０６、信号処理部１１０、エンコード部１０３、電気−光変換部１０５がプロセッサによって実現され、制御部１０７および送受電部１０８が回路によって実現されてもよい。
【００５１】
また、送信装置１００は、プロセッサが実行するプログラム（プロセッサが各構成要素を実現するためのプログラム）が記憶された記憶部（図示せず）を備えてもよい。この記憶部は、例えば、半導体メモリ等によって実現されてもよい。
【００５２】
［１−３．受信装置の構成］
次に、受信装置２００の構成について、図４を用いて説明する。
【００５３】
図４は、実施の形態１における受信装置２００の構成の一例を模式的に示すブロック図である。
【００５４】
図４に示されるように、受信装置２００は、デコード部２０１と、合成部２０４と、光−電気変換部２０２と、周波数変換部２０３と、映像出力部２０５と、音声出力部２０６と、制御部２０７と、送受電部２０８と、複合コネクタ２０９と、を備える。
【００５５】
複合コネクタ２０９は、電気信号１１４を取得するための端子２０９ａと、光信号１１７を取得するための端子２０９ｂと、その他の端子とが複合されたコネクタ構造である。複合コネクタ２０９には、ケーブル３００が接続される。複合コネクタ２０９の電気信号１１４に関連する部分は、ＨＤＭＩ（登録商標）規格で定められた仕様を満たしている。
【００５６】
複合コネクタ２０９が有する端子２０９ａは、ケーブル３００によって複合コネクタ１０９が有する端子１０９ａと電気的に接続され、複合コネクタ２０９が有する端子２０９ｂは、ケーブル３００によって複合コネクタ１０９が有する端子１０９ｂと光学的に接続される。また、複合コネクタ２０９が有する端子２０９ｃは、ケーブル３００によって複合コネクタ１０９が有する端子１０９ｃと電気的に接続され、複合コネクタ２０９が有する端子２０９ｄは、ケーブル３００によって複合コネクタ１０９が有する端子１０９ｄと電気的に接続される。複合コネクタ２０９は、１つのコネクタハウジングの中に、端子２０９ａ〜２０９ｄを有する。
【００５７】
上述した複合コネクタ２０９に含まれる端子の数等は、一例であり、本開示は何ら上述の構成に限定されない。例えば、複合コネクタ２０９は、光信号１１７を受信するための端子２０９ｂを複数備えてもよい。
【００５８】
デコード部２０１は、複合コネクタ２０９が有する端子２０９ａを介してＨＤＭＩ（登録商標）規格に準拠した電気信号１１４を取得し、取得した電気信号１１４をデコード（再構成）して、低域映像信号１１２Ａと音声ベースバンド信号１１３Ａとに分離する。言い換えると、デコード部２０１は、取得した電気信号１１４を用いて音声ベースバンド信号１１３Ａを生成（音声ベースバンド信号１１３Ａを再構成）し、低域映像信号１１２Ａを生成（低域映像信号１１２Ａを再構成）する。そして、デコード部２０１は、音声ベースバンド信号１１３Ａを音声出力部２０６に出力し、低域映像信号１１２Ａを合成部２０４に出力する。なお、低域映像信号１１２Ａは、送信装置１００における低域映像信号１１２と実質的に同じ信号であり、音声ベースバンド信号１１３Ａは、送信装置１００における音声ベースバンド信号１１３と実質的に同じ信号である。
【００５９】
光−電気変換部２０２は、複合コネクタ２０９が有する端子２０９ｂを介して光信号１１７を取得し、取得した光信号１１７を電気信号に変換する。光−電気変換部２０２は、例えば、フォトダイオード等を用いて光信号１１７を電気信号に変換する。この電気信号は、第２高域映像信号１１６Ａである。つまり、光−電気変換部２０２は、取得した光信号１１７を用いて第２高域映像信号１１６Ａを生成（第２高域映像信号１１６Ａを再構成）する。第２高域映像信号１１６Ａは、送信装置１００における第２高域映像信号１１６と実質的に同じ信号であり、図３の（ｅ）に示される周波数成分を有する信号である。
【００６０】
周波数変換部２０３は、第２高域映像信号１１６Ａのサンプリング周波数をＦｓ／２からＦｓに変換した後、変換後の第２高域映像信号１１６Ａを帯域Ｆｓ／４以上Ｆｓ／２以下の信号を通す高域通過フィルタ回路に通して、第１高域映像信号１１５Ａを生成（第１高域映像信号１１５Ａを再構成）する。第１高域映像信号１１５Ａは、送信装置１００における第１高域映像信号１１５と実質的に同じ信号であり、図４（ｄ）に示される周波数成分（帯域Ｆｓ／４以上Ｆｓ／２以下の周波数成分）を有する。
【００６１】
合成部２０４は、再構成された低域映像信号１１２Ａと、再構成された第１高域映像信号１１５Ａとを合成し、合成によって再構成された映像ベースバンド信号１１１Ａを出力する。映像ベースバンド信号１１１Ａは、送信装置１００における映像ベースバンド信号１１１と実質的に同じ信号である。
【００６２】
映像出力部２０５は、映像ベースバンド信号１１１Ａに基づいた映像を出力する。映像は、例えば、時間的に連続する複数の画像で構成された動画像である。映像出力部２０５は、例えば、液晶パネルまたは有機ＥＬ（Ｅｌｅｃｔｒｏ  Ｌｕｍｉｎｅｓｃｅｎｃｅ）パネル等を備えて構成された表示装置である。
【００６３】
音声出力部２０６は、音声ベースバンド信号１１３Ａに基づいた音声を出力する。音声出力部２０６は、例えば、スピーカ装置等である。
【００６４】
制御部２０７は、受信装置２００の受信機情報が含まれたシリアル制御信号１２０を、複合コネクタ２０９が有する端子２０９ｃを介して送信装置１００へ送信する。また、制御部２０７は、受信装置２００の受信機情報を記憶した記憶部２０７ａを有する。受信機情報は、例えば、受信装置２００が電気信号として受信可能な最大伝送レートを示す。なお、記憶部２０７ａは、制御部２０７の外部に設けられてもよい。記憶部２０７ａは、例えば、半導体メモリ等によって実現されてもよい。
【００６５】
また、制御部２０７は、送電または受電の指示を示す電力制御信号２２１を送受電部２０８に出力する。制御部２０７は、デコード部２０１、光−電気変換部２０２、周波数変換部２０３、合成部２０４、映像出力部２０５、および音声出力部２０６に制御信号を出力してもよい。なお、図４では、制御部２０７が出力する制御信号を破線の矢印で示す。
【００６６】
なお、制御部２０７は、端子２０９ｃを介して送信装置１００から制御信号を受信してもよい。
【００６７】
送受電部２０８は、電力制御信号２２１に基づいて、送信装置１００への送電または送信装置１００からの受電を行う。送信装置１００への送電または送信装置１００からの受電は、複合コネクタ２０９が有する端子２０９ｄを介して行われる。
【００６８】
以上説明した受信装置２００の各構成要素は、具体的には、プロセッサ、マイクロコンピュータ、半導体集積回路、または専用回路、等によって実現される。例えば、各構成要素は、単体のプロセッサとして実現されてもよいし、１つのプロセッサが有する機能の一部として実現されてもよい。
【００６９】
例えば、デコード部２０１、光−電気変換部２０２、周波数変換部２０３、および合成部２０４がプロセッサによって実現され、記憶部２０７ａが半導体メモリによって実現され、制御部２０７および送受電部２０８が回路によって実現されてもよい。
【００７０】
また、受信装置２００は、プロセッサが実行するプログラム（プロセッサが各構成要素を実現するためのプログラム）が記憶された記憶部を備えてもよい。この記憶部は、記憶部２０７ａに含まれてもよく、記憶部２０７ａとは別体であってもよい。この記憶部は、例えば、半導体メモリ等によって実現されてもよい。
【００７１】
［１−４．実施の形態１の効果等］
以上のように、本実施の形態において、送信装置は、映像信号を取得する映像取得部と、映像信号をＨＤＭＩ（登録商標）規格に準拠した電気信号に変換する第１変換部と、映像信号を光信号に変換する第２変換部と、取得された映像信号に対して、第１変換部を用いた変換および第２変換部を用いた変換の少なくとも一方を行う信号処理部と、を備える。
【００７２】
また、本実施の形態における送信方法は、送信装置によって実行される送信方法であって、送信装置は、映像信号をＨＤＭＩ（登録商標）規格に準拠した電気信号に変換する第１変換部と、映像信号を光信号に変換する第２変換部と、を備え、送信方法は、映像信号を取得し、取得された映像信号に対して、第１変換部を用いた変換および第２変換部を用いた変換の少なくとも一方を行う。
【００７３】
なお、送信装置１００は送信装置の一例である。映像ベースバンド信号１１１は映像信号の一例である。映像取得部１０１は映像取得部の一例である。エンコード部１０３は第１変換部の一例である。電気−光変換部１０５は第２変換部の一例である。信号処理部１１０は信号処理部の一例である。
【００７４】
近年、ハイビジョンテレビよりも高精細な４Ｋテレビが商品化され、４Ｋテレビよりもさらに高精細な８Ｋテレビも実用化されている。テレビが高精細化されることにより、伝送される映像ベースバンド信号１１１および音声ベースバンド信号１１３の単位時間（例えば、１秒間）あたりの情報量が増加する。伝送すべき信号の単位時間（例えば、１秒間）あたりの情報量が増加すると、伝送レートを高速化（単位時間に伝送できる情報量を増加）しなければならない。一方で、電気信号による伝送レートの高速化には物理的な制限があると考えられており、電気信号だけでは、そのような伝送レートの高速化に対応することは困難であると考えられている。また、仮に電気信号でそのような伝送レートの高速化に対応した場合、その高速化された伝送レートを維持するために、ケーブルによる伝送距離を従来よりも短くしなければならない、といった制限が生じると考えられる。
【００７５】
実施の形態１に示した例では、送信装置１００は、映像ベースバンド信号１１１を取得する映像取得部１０１と、映像ベースバンド信号１１１をＨＤＭＩ（登録商標）規格に準拠した電気信号１１４に変換するエンコード部１０３と、映像ベースバンド信号１１１を光信号１１７に変換する電気−光変換部１０５と、信号処理部１１０と、を備える。信号処理部１１０は、取得された映像ベースバンド信号１１１に対して、エンコード部１０３による変換および電気−光変換部１０５による変換の少なくとも一方を行う。
【００７６】
このように構成された送信装置１００は、上述した伝送レートの制限等により電気信号１１４だけでは送信が困難な、情報量が相対的に多い映像ベースバンド信号１１１を、光信号１１７を利用して送信することができる。
【００７７】
送信装置において、信号処理部は、取得された映像信号に対して映像分離処理を行い、映像分離処理において、以下のように動作してもよい。
（ｉ）取得された映像信号を、当該映像信号に含まれる画像の第１周波数成分を構成する第１映像信号と、当該映像信号に含まれる画像の周波数成分であって第１周波数成分よりも高域の周波数成分である第２周波数成分を構成する第２映像信号と、に分離し、
（ｉｉ）第１映像信号を、第１変換部を用いて電気信号に変換し、
（ｉｉｉ）第２映像信号を、第２変換部を用いて光信号に変換する。
【００７８】
なお、映像ベースバンド信号１１１のサンプリング周波数がＦｓであるときの、帯域０以上Ｆｓ／４以下の周波数成分は、第１周波数成分の一例であり、帯域Ｆｓ／４以上Ｆｓ／２以下の周波数成分は、第２周波数成分の一例である。低域映像信号１１２は第１映像信号の一例である。第１高域映像信号１１５および第２高域映像信号１１６は、それぞれが第２映像信号の一例である。
【００７９】
例えば、実施の形態１に示した例では、送信装置１００において、信号処理部１１０は、取得された映像ベースバンド信号１１１に対して映像分離処理を行う。信号処理部１１０は、映像分離処理において、取得された映像ベースバンド信号１１１を、映像ベースバンド信号１１１に含まれる画像の第１周波数成分を構成する低域映像信号１１２と、映像ベースバンド信号１１１信号に含まれる画像の周波数成分であって第１周波数成分よりも高域の周波数成分である第２周波数成分を構成する第１高域映像信号１１５と、に分離する。そして、信号処理部１１０は、低域映像信号１１２を、エンコード部１０３を用いて電気信号１１４に変換する。また、信号処理部１１０は、第１高域映像信号１１５に基づく第２高域映像信号１１６を、電気−光変換部１０５を用いて光信号１１７に変換する。
【００８０】
このように構成された送信装置１００においては、低域映像信号１１２は、従来のＨＤＭＩ（登録商標）規格に基づいて電気信号として送信され、第２高域映像信号１１６は、光信号として送信される。このため、送信装置１００は、後方互換性（従来の製品に対する互換性）を維持しつつ、従来のＨＤＭＩ（登録商標）規格を用いた方式では送信が困難であった高精細画像を構成する映像信号を送信することができる。
【００８１】
また、受信装置２００は、受信装置２００およびケーブル３００の少なくとも一方が光信号１１７の伝送に対応していないような場合であっても、少なくとも低域映像信号１１２を送信装置１００から受信することができる。
【００８２】
また、受信装置２００では、映像ベースバンド信号１１１の全帯域を光信号１１７にして伝送する構成と比較して、光信号１１７の伝送レートを低下させることができる。このため、例えば、光信号１１７の伝送に用いられる光ファイバ等の部材を、最大伝送レートが相対的に低い比較的安価なものにすることができる。
【００８３】
送信装置において、信号処理部は、第２映像信号のサンプリング周波数を映像信号のサンプリング周波数よりも下げるサブサンプリング処理を行い、サブサンプリング処理された第２映像信号を、第２変換部を用いて光信号に変換してもよい。
【００８４】
なお、第１高域映像信号１１５は、サブサンプリング処理が施される前の第２映像信号の一例であり、第２高域映像信号１１６は、サブサンプリング処理が施された後の第２映像信号の一例である。サンプリング周波数Ｆｓは映像信号のサンプリング周波数の一例である。サンプリング周波数Ｆｓ／２は、サブサンプリング処理に用いられるサンプリング周波数の一例である。
【００８５】
例えば、実施の形態１に示した例では、送信装置１００において、信号処理部１１０は、第１高域映像信号１１５のサンプリング周波数を、映像ベースバンド信号１１１のサンプリング周波数Ｆｓよりも下げるサブサンプリング処理を行い、サブサンプリング処理された第２映像信号である第２高域映像信号１１６を、電気−光変換部１０５を用いて光信号１１７に変換する。
【００８６】
このように構成された送信装置１００では、光信号１１７の情報量を低減することができる。これにより、光信号１１７の伝送レートを低下させることができるので、例えば、光信号１１７の伝送に用いられる光ファイバ等の部材を、最大伝送レートが相対的に低い比較的安価なものにすることができる。
【００８７】
また、本実施の形態において、受信装置は、映像信号が再構成された信号を出力する受信装置である。受信装置は、映像信号の一部である第１映像信号を含むＨＤＭＩ（登録商標）規格に準拠した電気信号を取得し、取得した電気信号を用いて第１映像信号を再構成する第１再構成部と、映像信号の一部である第２映像信号を含む光信号を取得し、取得した光信号を用いて第２映像信号を再構成する第２再構成部と、再構成された第１映像信号と再構成された第２映像信号とを合成して合成映像信号を生成し、生成した合成映像信号を再構成された信号として出力する合成部と、を備える。
【００８８】
また、本実施の形態における受信方法は、映像信号が再構成された信号を出力する受信装置によって実行される受信方法であって、映像信号の一部である第１映像信号を含むＨＤＭＩ（登録商標）規格に準拠した電気信号を取得し、取得した電気信号を用いて第１映像信号を再構成し、映像信号の一部である第２映像信号を含む光信号を取得し、取得した光信号を用いて第２映像信号を再構成し、再構成された第１映像信号と再構成された第２映像信号とを合成して合成映像信号を生成し、生成した合成映像信号を再構成された信号として出力する。
【００８９】
なお、受信装置２００は受信装置の一例である。低域映像信号１１２Ａは再構成された第１映像信号の一例である。デコード部２０１は第１再構成部の一例である。第１高域映像信号１１５Ａおよび第２高域映像信号１１６Ａは、それぞれが再構成された第２映像信号の一例である。光−電気変換部２０２は第２再構成部の一例である。映像ベースバンド信号１１１Ａは、合成映像信号の一例である。合成部２０４は合成部の一例である。
【００９０】
例えば、実施の形態１に示した例では、受信装置２００は、映像ベースバンド信号１１１が再構成されて得られた映像ベースバンド信号１１１Ａを出力する受信装置である。受信装置２００は、映像ベースバンド信号１１１の一部である低域映像信号１１２を含むＨＤＭＩ（登録商標）規格に準拠した電気信号１１４を取得し、取得した電気信号１１４を用いて低域映像信号１１２Ａを再構成するデコード部２０１を備える。また、受信装置２００は、映像ベースバンド信号１１１の一部である第２高域映像信号１１６を含む光信号１１７を取得し、取得した光信号１１７を用いて第２高域映像信号１１６Ａを再構成する光−電気変換部２０２を備える。また、受信装置２００は、再構成された低域映像信号１１２Ａと、再構成された第２高域映像信号１１６Ａに基づく第１高域映像信号１１５Ａとを合成して映像ベースバンド信号１１１Ａを生成し、生成した映像ベースバンド信号１１１Ａを再構成された信号として出力する合成部２０４を備える。
【００９１】
このように構成された受信装置２００は、上述した伝送レートの制限等により電気信号１１４だけでは受信が困難な、情報量が相対的に多い映像ベースバンド信号１１１を、光信号１１７を利用して受信することができる。
【００９２】
受信装置において、第１映像信号は、映像信号に含まれる画像の第１周波数成分を構成し、第２映像信号は、映像信号に含まれる画像の周波数成分であって第１周波数成分よりも高域の周波数成分である第２周波数成分を構成してもよい。
【００９３】
なお、映像ベースバンド信号１１１のサンプリング周波数がＦｓであるときの、帯域０以上Ｆｓ／４以下の周波数成分は、第１周波数成分の一例であり、帯域Ｆｓ／４以上Ｆｓ／２以下の周波数成分は、第２周波数成分の一例である。
【００９４】
例えば、実施の形態１に示した例では、受信装置２００において、低域映像信号１１２は、映像ベースバンド信号１１１に含まれる画像の第１周波数成分（帯域０以上Ｆｓ／４以下の周波数成分）を構成し、第１高域映像信号１１５（第２高域映像信号１１６）は、映像ベースバンド信号１１１信号に含まれる画像の周波数成分であって第１周波数成分よりも高域の周波数成分である第２周波数成分（帯域Ｆｓ／４以上Ｆｓ／２以下の周波数成分）を構成してもよい。
【００９５】
このように構成された受信装置２００は、電気信号１１４から従来のＨＤＭＩ（登録商標）規格に基づいて低域映像信号１１２Ａを生成し、光信号１１７から第２高域映像信号１１６Ａを生成することができる。このように、受信装置２００は、後方互換性（従来の製品に対する互換性）を維持しつつ、従来のＨＤＭＩ（登録商標）規格を用いた方式では伝送が困難であった高精細画像を再構成することができる。
【００９６】
受信装置において、第２映像信号は、サブサンプリング処理されることにより、サンプリング周波数が映像信号のサンプリング周波数よりも下げられた信号であってもよい。
【００９７】
例えば、実施の形態１に示した例では、受信装置２００において、第２高域映像信号１１６Ａは、サブサンプリング処理されることによりサンプリング周波数が映像ベースバンド信号１１１のサンプリング周波数Ｆｓよりも下げられた第２高域映像信号１１６に実質的に等しい信号である。
【００９８】
この構成では、受信装置２００で受信される光信号１１７の情報量を低減することができる。これにより、光信号１１７の伝送レートを低下させることができるため、例えば、光信号１１７の伝送に用いられる光ファイバ等の部材を、最大伝送レートが相対的に低い比較的安価なものにすることができる。
【００９９】
（実施の形態２）
［２−１−１．実施の形態２の動作例１］
実施の形態２では、実施の形態１で説明した送信装置１００の動作の具体例について説明する。まず、動作例１について説明する。
【０１００】
動作例１では、送信装置１００の分離部１０２は、映像ベースバンド信号１１１を、固定解像度（以下、「所定の解像度」ともいう）の画像を構成する低域映像信号１１２と、その画像のうちの固定解像度よりも大きい解像度の成分（高周波成分）の画像を構成する第１高域映像信号１１５と、に分離する。固定解像度は、例えば、２Ｋ解像度である。２Ｋ解像度は、具体的には、１９２０×１０８０／６０ｐ（１９２０画素×１０８０画素の画像が１秒間に６０枚表示される動画像）である。この場合、低域映像信号１１２は、１０８０ｐ／６０Ｈｚのフルハイビジョン信号（１９２０画素×１０８０画素の画像が１秒間に６０枚表示される動画像信号）となる。なお、本開示は、何ら固定解像度が２Ｋ解像度に限定されるものではない。
【０１０１】
図５は、実施の形態２における送信装置１００の動作例１のフローチャートである。
【０１０２】
送信装置１００においては、まず、映像取得部１０１が、画像を構成する映像ベースバンド信号１１１を取得する（ステップＳ１１）。
【０１０３】
次に、信号処理部１１０が、ステップＳ１１で取得された映像ベースバンド信号１１１により構成される画像の解像度が所定の解像度以下であるか否かを判定する（ステップＳ１２）。
【０１０４】
信号処理部１１０は、ステップＳ１２において画像の解像度は所定の解像度以下である、と判定した場合（ステップＳ１２でＹｅｓ）、取得された映像ベースバンド信号１１１の全部を、エンコード部１０３を用いて電気信号１１４に変換する。このとき、送信装置１００は、映像ベースバンド信号１１１の送信に、電気信号１１４のみを使用する（ステップＳ１３）。
【０１０５】
一方、信号処理部１１０は、ステップＳ１２において、画像の解像度は所定の解像度よりも大きい、と判定した場合（ステップＳ１２でＮｏ）、ステップＳ１１で取得された映像ベースバンド信号１１１に対して、実施の形態１で説明した映像分離処理を行う。すなわち、送信装置１００は、映像ベースバンド信号１１１の送信に、電気信号１１４と光信号１１７とを併用する（ステップＳ１４）。
【０１０６】
信号処理部１１０は、映像分離処理において、映像ベースバンド信号１１１を、１０８０ｐ／６０Ｈｚの低域映像信号１１２と、映像ベースバンド信号１１１から低域映像信号１１２の信号成分（１０８０ｐ／６０Ｈｚの信号成分）を除いた信号成分を構成する第１高域映像信号１１５と、に分離する。信号処理部１１０は、実施の形態１で説明したように、第１高域映像信号１１５を、第２高域映像信号１１６に変換する。
【０１０７】
信号処理部１１０は、低域映像信号１１２をエンコード部１０３に出力し、エンコード部１０３は、その低域映像信号１１２をＨＤＭＩ（登録商標）規格に準拠した電気信号１１４に変換する。電気信号１１４は、複合コネクタ１０９が有する端子１０９ａから出力される。
【０１０８】
信号処理部１１０は、第２高域映像信号１１６を電気−光変換部１０５に出力し、電気−光変換部１０５は、その第２高域映像信号１１６を光信号１１７に変換する。光信号１１７は、複合コネクタ１０９が有する端子１０９ｂから出力される。
【０１０９】
なお、本実施の形態の送信装置１００において、所定の解像度は、ＨＤＭＩ（登録商標）規格において定められる最大伝送レートに対応する解像度（例えば、４Ｋ解像度）よりも十分に低い解像度（例えば、２Ｋ解像度）に定められている。言い換えれば、所定の解像度を有する画像を構成する映像ベースバンド信号が、エンコード部１０３により電気信号１１４として送信されるときの伝送レートは、ＨＤＭＩ（登録商標）規格において定められる最大伝送レート（例えば、４Ｋ解像度に対応する伝送レート）よりも小さい所定の伝送レート（例えば、２Ｋ解像度に対応する伝送レート）以下である。例えば、所定の解像度を有する画像を構成する映像ベースバンド信号がエンコード部１０３を用いて電気信号１１４として伝送されるときの伝送レートは、ＨＤＭＩ（登録商標）規格において定められる最大伝送レートの５分の１以下である。
【０１１０】
１０８０ｐ／６０Ｈｚの映像ベースバンド信号がＨＤＭＩ（登録商標）に準拠した電気信号１１４に変換されると、電気信号１１４の、クロック周波数が７４．２５ＭＨｚのときの１レーン（電気信号１１４の伝送に用いられる１つのチャンネル）の伝送レートは、７４２．５Ｍｂｐｓ（Ｍｅｇａ  ｂｉｔｓ  ｐｅｒ  ｓｅｃｏｎｄ）である。これに対し、例えば、４Ｋ解像度の映像ベースバンド信号（３８４０×２１６０ｐ／６０Ｈｚ（３８４０画素×２１６０画素の画像が１秒間に６０枚表示される動画像信号））の１レーンあたりの伝送レートは、６Ｇｂｐｓである。また、８Ｋ解像度の映像ベースバンド信号（７６８０×４３２０／６０Ｈｚ（７６８０画素×４３２０画素の画像が１秒間に６０枚表示される動画像信号））の１レーンあたりの伝送レートは、２４Ｇｂｐｓである。つまり、１０８０ｐ／６０Ｈｚの映像ベースバンド信号は、４Ｋ解像度の映像ベースバンド信号および８Ｋ解像度の映像ベースバンド信号と比較して、伝送レートが十分に低い。
【０１１１】
１０８０ｐ／６０Ｈｚの映像ベースバンド信号の伝送レートは、具体的には、４Ｋ解像度の映像ベースバンド信号の伝送レートと比較した場合は８分の１程度であり、８Ｋ解像度の映像ベースバンド信号の伝送レートと比較した場合は３０分の１程度である。
【０１１２】
ケーブル３００は、物理的な特性上、伝送レートが低いほど伝送される信号の減衰量が少ない。したがって、電気信号１１４の伝送レートが抑制されることにより、ケーブル３００を長尺化することができる。つまり、送受信システム１０では、長尺のケーブル３００を実現することができる。
【０１１３】
［２−１−２．実施の形態２の動作例１の効果等］
以上のように、実施の形態２において、送信装置の信号処理部は、映像分離処理において、取得された映像信号を、所定の解像度の画像を構成する第１映像信号と、取得された映像信号から第１映像信号の信号成分を除いた第２映像信号と、に分離してもよい。
【０１１４】
なお、２Ｋ解像度は所定の解像度の一例である。
【０１１５】
例えば、実施の形態２の動作例１では、送信装置１００の信号処理部１１０は、映像分離処理において、取得された映像ベースバンド信号１１１を、所定の解像度（例えば、２Ｋ解像度）の画像を構成する低域映像信号１１２と、取得された映像ベースバンド信号１１１から低域映像信号１１２の信号成分を除いた第１高域映像信号１１５と、に分離する。
【０１１６】
このように構成された送信装置１００では、所定の解像度の画像を構成する低域映像信号１１２が、電気信号１１４に変換されて送信される。そのため、送信装置１００にケーブル３００によって接続された受信装置２００が、光信号１１７の信号処理ができない場合や、光信号１１７の受信ができない場合であっても、受信装置２００は、送信装置１００から受信した電気信号１１４に基づいて、所定の解像度の画像で構成された映像（動画像）を出力（表示）することができる。
【０１１７】
例えば、送信装置１００から受信装置２００にケーブル３００を介して光信号１１７を送信するときに、複合コネクタ１０９とケーブル３００との嵌合箇所にずれが生じたり、または、端子１０９ｂに汚れが付着したりすると、光信号１１７が減衰してしまう場合がある。また、光信号１１７の伝送路として使用される光ファイバは、電気信号を伝送する金属線と比較して破損しやすく、屈曲等により断線する場合がある。そして、光ファイバが断線してしまうと、送信装置１００から受信装置２００に光信号１１７を送信することができない。このような状態が発生して受信装置２００が送信装置１００から光信号１１７を適切に取得できないような場合であっても、本動作例によれば、受信装置２００において、送信装置１００から電気信号１１４によって送信される１０８０ｐ／６０Ｈｚの２Ｋ解像度の画像を表示することができる。これにより、送受信システム１０を使用するユーザの利便性を向上することができる。
【０１１８】
送信装置において、所定の解像度を有する画像を構成する映像信号が第１変換部を用いて電気信号として伝送されるときの伝送レートは、ＨＤＭＩ（登録商標）規格において定められる電気信号の最大伝送レートよりも小さい所定の伝送レート以下であってもよい。
【０１１９】
なお、４Ｋ解像度に対応する伝送レートは、最大伝送レートの一例である。２Ｋ解像度に対応する伝送レートは、所定の伝送レートの一例である。
【０１２０】
例えば、実施の形態２の動作例１に示した例では、送信装置１００において、所定の解像度を有する画像を構成する映像ベースバンド信号がエンコード部１０３により電気信号１１４として伝送されるときの伝送レートは、ＨＤＭＩ（登録商標）規格において定められる最大伝送レート（例えば、４Ｋ解像度に対応する伝送レート）よりも小さい所定の伝送レート（例えば、２Ｋ解像度に対応する伝送レート）以下である。
【０１２１】
このように構成された送信装置１００では、電気信号１１４の伝送レートを抑制できるので、ケーブル３００の長尺化を実現することができる。
【０１２２】
［２−２−１．実施の形態２の動作例２］
次に、動作例２について説明する。動作例２では、送信装置１００の信号処理部１１０が、受信装置２００の性能に応じて、低域映像信号１１２の解像度を決定する動作例について説明する。
【０１２３】
図６は、実施の形態２における送信装置１００の動作例２のフローチャートである。
【０１２４】
送信装置１００において、映像取得部１０１は、画像を構成する映像ベースバンド信号１１１を取得する（ステップＳ２１）。
【０１２５】
制御部１０７は、シリアル制御信号１２０を取得することにより、受信装置２００の受信機情報を取得する（ステップＳ２２）。シリアル制御信号１２０は、端子２０９ｃ、ケーブル３００、および端子１０９ｃを経由して、制御部１０７により取得される。受信機情報は、受信装置２００が受信可能な電気信号の最大伝送レートを示す。
【０１２６】
制御部１０７は、端子１０９ｅを介してケーブル３００のケーブル情報３２０を取得する（ステップＳ２３）。制御部１０７は、具体的には、複合コネクタ１０９にケーブル３００が接続されているときに、ケーブル３００が有する記憶部３０１から、端子１０９ｅを介して、ケーブル３００における電気信号の最大伝送レートを示すケーブル情報３２０を取得する。
【０１２７】
信号処理部１１０は、ステップＳ２２で取得された受信機情報、およびステップＳ２３で取得されたケーブル情報３２０に基づいて、映像分離処理を行う（ステップＳ２４）。
【０１２８】
信号処理部１１０は、具体的には、ステップＳ２２で取得された受信機情報、およびステップＳ２３で取得されたケーブル情報３２０に基づいて、低域映像信号１１２の解像度を決定する。この解像度は、当該解像度に対応する伝送レートが、受信機情報において定められる最大伝送レート以下となり、かつ、ケーブル情報３２０において定められる最大伝送レート以下となるように定められる。
【０１２９】
なお、図６のフローチャートに示す各処理の順序は単なる一例であり、本開示は何らこの順序に限定されない。例えば、ステップＳ２３の処理がステップＳ２２より先に行われてもよく、ステップＳ２２、Ｓ２３の各処理がステップＳ２１より先に行われてもよい。あるいは、ステップＳ２１、Ｓ２２、Ｓ２３の各処理が並列に行われてもよい。
【０１３０】
信号処理部１１０は、解像度を決定した後、映像分離処理において、映像ベースバンド信号１１１を、決定した解像度の低域映像信号１１２と、映像ベースバンド信号１１１から低域映像信号１１２の信号成分を除いた信号成分を構成する第１高域映像信号１１５と、に分離する。これ以降の信号処理部１１０における動作は、動作例１に示した信号処理部１１０の動作と実質的に同じである。すなわち、エンコード部１０３は、その低域映像信号１１２をＨＤＭＩ（登録商標）規格に準拠した電気信号１１４に変換し、その電気信号１１４を端子１０９ａから出力する。信号処理部１１０は、第１高域映像信号１１５を第２高域映像信号１１６に変換する。電気−光変換部１０５は、その第２高域映像信号１１６を光信号１１７に変換し、その光信号１１７を端子１０９ｂから出力する。
【０１３１】
なお、受信装置２００の記憶部２０７ａは、受信機情報に加えて、受信装置２００が電気信号１１４および光信号１１７の両方を取得して信号処理を行うときに、信号処理可能な最大解像度を示す解像度情報を記憶していてもよい。そして、このような解像度情報は、シリアル制御信号１２０の一部として、受信装置２００から端子１０９ｃを通じて出力されてもよい。つまり、受信装置２００は、受信機情報および解像度情報を受信装置２００の外部に設けられた送信装置１００に出力するための端子１０９ｃを備えていてもよい。
【０１３２】
例えば、受信機情報が示す伝送レートに対応する解像度が４Ｋ解像度であり、解像度情報が示す解像度が８Ｋ解像度である場合が考えられる。このような場合、送信装置１００は、その受信機情報と解像度情報とに基づき、４Ｋ解像度の映像を受信装置２００に送信する場合は、電気信号１１４のみを使用すればよい、と判断することができる。また、送信装置１００は、８Ｋ解像度の映像を受信装置２００に出力する場合は、電気信号１１４と光信号１１７とを併用しなければならない、と判断することができる。
【０１３３】
また、例えば、受信機情報が示す伝送レートに対応する解像度が４Ｋ解像度であり、解像度情報が示す解像度が４Ｋ解像度である場合が考えられる。このような場合、送信装置１００は、受信装置２００が光信号１１７の信号処理に対応していない、と判断することができる。したがって、送信装置１００は、そのような受信機情報と解像度情報とを取得した場合は、８Ｋ解像度の映像ベースバンド信号１１１に基づく映像信号を受信装置２００に送信するときに、その映像ベースバンド信号１１１を４Ｋ解像度にダウンコンバートし、ダウンコンバートした映像信号から生成される電気信号１１４を受信装置２００に送信すればよい、と判断できる。この場合、送信装置１００は、電気−光変換部１０５の動作（映像信号を光信号１１７への変換する処理）を一時的に停止、あるいは省略できるので、送信装置１００で行われる信号処理の量を低減することができる。
【０１３４】
また、例えば、映像ベースバンド信号１１１が８Ｋ解像度であり、受信機情報が示す伝送レートに対応する解像度が２Ｋ解像度であり、解像度情報が示す解像度が４Ｋ解像度である場合が考えられる。このような場合、送信装置１００は、映像ベースバンド信号１１１を、２Ｋ解像度の低域映像信号１１２と、第１高域映像信号１１５とに分離し、第１高域映像信号１１５を４Ｋ解像度が上限となるようにダウンコンバートすればよい、と判断することができる。
【０１３５】
以上のように、受信機情報および解像度情報を受信装置２００から送信装置１００に出力するような構成の場合、送信装置１００は、受信した受信機情報と解像度情報とに基づき動作することで、信号処理部１１０において、受信装置２００の性能に応じた適切な信号処理を行うことができる。なお、解像度情報は、受信機情報の一部とされてもよい。
【０１３６】
なお、送信装置１００における受信機情報および解像度情報に基づくそれらの判断は、例えば、制御部１０７において行うことができる。
【０１３７】
［２−２−２．実施の形態２の動作例２の効果等］
以上のように、実施の形態２において、送信装置は、当該送信装置の外部に設けられた受信装置と当該送信装置とを接続するためのケーブルが接続されるコネクタであって、電気信号を受信装置に出力するための端子、および、光信号を受信装置に出力するための端子を有するコネクタと、コネクタにケーブルが接続されているときに、ケーブルが有する記憶部から、当該ケーブルの電気信号の最大伝送レートを示すケーブル情報を取得するケーブル情報取得部と、当該送信装置の外部に設けられた受信装置が受信可能な電気信号の最大伝送レートを示す受信機情報を取得する受信機情報取得部と、を備えてもよい。信号処理部は、取得された受信機情報および取得されたケーブル情報に基づいて、映像分離処理を行ってもよい。
【０１３８】
なお、ケーブル３００はケーブルの一例である。複合コネクタ１０９はコネクタの一例である。端子１０９ａは、電気信号を受信装置に出力するための端子の一例である。端子１０９ｂは、光信号を受信装置に出力するための端子の一例である。記憶部３０１は記憶部の一例である。制御部１０７は、ケーブル情報取得部の一例であり、受信機情報取得部の一例である。
【０１３９】
例えば、実施の形態２の動作例２では、送信装置１００は、送信装置１００の外部に設けられた受信装置２００と送信装置１００とを接続するためのケーブル３００が接続される複合コネクタ１０９を備える。複合コネクタ１０９は、電気信号１１４を受信装置２００に出力するための端子１０９ａ、および、光信号１１７を受信装置２００に出力するための端子１０９ｂを有する。送信装置１００は、複合コネクタ１０９にケーブル３００が接続されているときに、ケーブル３００が有する記憶部３０１から、ケーブル３００の電気信号の最大伝送レートを示すケーブル情報３２０を取得する制御部１０７を備える。
【０１４０】
また、送信装置１００は、送信装置１００の外部に設けられた受信装置２００が受信可能な電気信号の最大伝送レートを示す受信機情報を取得する制御部１０７を備える。
【０１４１】
そして、信号処理部１１０は、取得された受信機情報および取得されたケーブル情報３２０に基づいて、映像分離処理を行う。
【０１４２】
このように構成された送信装置１００では、信号処理部１１０は、シリアル制御信号１２０に含まれる受信機情報、およびケーブル情報３２０に基づいて、低域映像信号１１２の解像度を決定することができる。これにより、送信装置１００から、受信装置２００において適切な映像信号を出力することができる。
【０１４３】
また、実施の形態２において、受信装置は、当該受信装置が受信可能な電気信号の最大伝送レートを示す受信機情報、および、当該受信装置が電気信号および光信号の両方を取得して信号処理を行うときに、信号処理可能な最大解像度を示す解像度情報が記憶された記憶部と、受信機情報および解像度情報を当該受信装置の外部に設けられた送信装置に出力するための端子と、を備えてもよい。
【０１４４】
なお、記憶部２０７ａは記憶部の一例である。端子１０９ｃは、受信機情報および解像度情報を出力するための端子の一例である。
【０１４５】
例えば、実施の形態２の動作例２では、受信装置２００は、受信装置２００が受信可能な電気信号の最大伝送レートを示す受信機情報、および、受信装置２００が電気信号および光信号の両方を取得して信号処理を行うときに、信号処理可能な最大解像度を示す解像度情報が記憶された記憶部２０７ａを備える。また、受信装置２００は、受信機情報および解像度情報を受信装置２００の外部に設けられた送信装置１００に出力するための端子１０９ｃを備える。
【０１４６】
このように構成された受信装置２００では、送信装置１００が、受信装置２００から受信機情報および解像度情報を取得することができる。これにより、送信装置１００は、取得した受信機情報および解像度情報に基づき、受信装置２００の性能に応じた適切な信号処理を行い、受信装置２００の性能に応じた適切な映像信号を出力することができる。
【０１４７】
また、ケーブルは、当該ケーブルの電気信号の最大伝送レートを示すケーブル情報が記憶された記憶部を有してもよい。
【０１４８】
例えば、ケーブル３００は、ケーブル３００の電気信号の最大伝送レートを示すケーブル情報３２０が記憶された記憶部３０１を有する。
【０１４９】
これにより、送信装置１００は、ケーブル３００の記憶部３０１からケーブル情報３２０を取得し、取得したケーブル情報３２０に基づいて、低域映像信号１１２の解像度を決定することができる。
【０１５０】
（実施の形態３）
［３−１．実施の形態３の動作例］
実施の形態３では、実施の形態１で説明した送信装置１００の、実施の形態２とは異なる動作例について説明する。送信装置１００において、信号処理部１１０は、映像ベースバンド信号１１１の全部を、電気−光変換部１０５を用いて光信号１１７に変換してもよい。実施の形態３ではそのような場合の動作例を説明する。
【０１５１】
図７は、実施の形態３における送信装置１００の動作例のフローチャートである。
【０１５２】
送信装置１００において、映像取得部１０１は、画像を構成する映像ベースバンド信号１１１を取得する（ステップＳ３１）。
【０１５３】
信号処理部１１０は、ステップＳ３１で取得された映像ベースバンド信号１１１の全部を、電気−光変換部１０５を用いて光信号１１７に変換する（ステップＳ３２）。
【０１５４】
映像ベースバンド信号１１１の全部を光信号１１７に変換する場合、実施の形態１で説明した信号処理部１１０による映像分離処理は不要となる。したがって、図７のフローチャートに示す動作例では、信号処理部１１０において、分離部１０２は、映像ベースバンド信号１１１をそのまま第１高域映像信号１１５として周波数変換部１０４に出力し、周波数変換部１０４は、第１高域映像信号１１５をそのまま第２高域映像信号１１６として電気−光変換部１０５に出力する。このとき、分離部１０２は、エンコード部１０３に、信号を出力しなくてもよく、あるいは、低域映像信号１１２として黒の画像に相当する信号を出力してもよい。
【０１５５】
音声取得部１０６は、映像ベースバンド信号１１１に対応する音声ベースバンド信号１１３を取得する（ステップＳ３３）。
【０１５６】
エンコード部１０３は、ステップＳ３３で取得された音声ベースバンド信号１１３を、電気信号１１４に変換する（ステップＳ３４）。
【０１５７】
この動作例では、エンコード部１０３は、電気信号１１４のデータ構造において、低域映像信号１１２が格納される領域にはダミーデータを格納し、音声ベースバンド信号１１３が格納される領域には、通常通り音声ベースバンド信号１１３を格納する。ダミーデータは、例えば、黒画像に相当するデータである。
【０１５８】
なお、図７のフローチャートは、各処理を説明するために便宜的に順序付けしたものに過ぎない。例えば、ステップＳ３１、Ｓ３２の処理と、ステップＳ３３、Ｓ３４の処理とは、互いに並列に行われてもよい。あるいは、フローチャートにおいて、ステップＳ３３、Ｓ３４の処理がステップＳ３１、Ｓ３２の処理の前に示されてもよい。
【０１５９】
なお、実施の形態３の動作例において、受信装置２００が備える合成部２０４は、映像ベースバンド信号１１１Ａの生成に、電気信号１１４を使用しない。合成部２０４は、光信号１１７を光−電気変換部２０２で変換して得られた第２高域映像信号１１６Ａに基づく第１高域映像信号１１５Ａのみから映像ベースバンド信号１１１を生成する。このとき、周波数変換部２０３は、第２高域映像信号１１６Ａをそのまま第１高域映像信号１１５Ａとして出力する。
【０１６０】
なお、実施の形態３の動作例において、送信装置１００は、電気信号１１４に、当該電気信号１１４にダミーデータが含まれることを示す情報（例えば、フラグ等）を含めて、受信装置２００に送信してもよい。これにより、その情報が含まれた電気信号１１４を受信した受信装置２００は、電気信号１１４にダミーデータが含まれていることを認識することができる。したがって、その受信装置２００は、光信号１１７のみから映像ベースバンド信号１１１を取得すればよいことがわかる。
【０１６１】
［３−２．実施の形態３の動作例の効果等］
以上のように、実施の形態３において、送信装置は、音声信号を取得する音声取得部を備えてもよい。第１変換部は、音声信号を電気信号に変換してもよい。信号処理部は、取得された音声信号を、第１変換部を用いて電気信号に変換し、取得された映像信号を、第２変換部を用いて光信号に変換してもよい。
【０１６２】
なお、音声取得部１０６は音声取得部の一例である。音声ベースバンド信号１１３は音声信号の一例である。
【０１６３】
例えば、送信装置１００は、音声ベースバンド信号１１３を取得する音声取得部１０６を備える。エンコード部１０３は、音声ベースバンド信号１１３を電気信号１１４に変換する。信号処理部１１０は、取得された音声ベースバンド信号１１３を、エンコード部１０３を用いて電気信号１１４に変換し、取得された映像ベースバンド信号１１１を、電気−光変換部１０５を用いて光信号１１７に変換する。
【０１６４】
このように構成された送信装置１００では、従来のＨＤＭＩ（登録商標）規格に準拠した電気信号１１４を、音声ベースバンド信号１１３の伝送のみに使用することができる。そのため、送信装置１００では、電気信号１１４において用いられる伝送クロックを、映像の伝送を考慮しなくてよいので、音声の品質のみを考慮して選定することができる。
【０１６５】
一般に、映像ベースバンド信号１１１および音声ベースバンド信号１１３の両方を含む電気信号においては、伝送クロックの選定が難しい。例えば、高精細な映像ベースバンド信号１１１を含む電気信号１１４においては、高精細な映像ベースバンド信号１１１を伝送するために相対的に高い周波数の伝送クロックが選定される。しかし、音声ベースバンド信号１１３の伝送には、そのような高い周波数の伝送クロックは不要である。一方で、低解像度の映像ベースバンド信号１１１を含む電気信号１１４において、映像ベースバンド信号１１１の解像度に合わせて伝送クロックの周波数を低くすると、音声ベースバンド信号１１３の伝送容量が相対的に小さくなる。したがって、実施の形態３の動作例のように、電気信号１１４の伝送クロックを、音声の品質のみを考慮して自由に設定できることは、音質の向上に有効である。
【０１６６】
また、音声ベースバンド信号１１３を光信号１１７として伝送する場合は、受信装置２００において、光信号１１７から音声ベースバンド信号１１３を再生するためのクロック信号を生成しなければならない。その構成では、クロック信号にジッターが発生した場合等に、音質が低下するおそれがある。このような構成と比較した場合、実施の形態３の動作例では、音声ベースバンド信号１１３を電気信号１１４として伝送し、かつ、映像ベースバンド信号１１１を光信号１１７として伝送するので、音質の向上に有効である。
【０１６７】
（実施の形態４）
［４−１．送信装置の構成］
実施の形態４における送信装置１００Ａの構成について、図８を参照しながら説明する。
【０１６８】
図８は、実施の形態４における送信装置１００Ａの構成の一例を模式的に示すブロック図である。なお、以下の説明では、実施の形態４における送信装置１００Ａと、実施の形態１に示した送信装置１００との相違点を中心に説明を行う。
【０１６９】
なお、以下では、送信装置１００Ａの接続相手が図９に示す受信装置２００Ａであり、送信装置１００Ａが、端子１０９ａを介して受信装置２００Ａと送電または受電を行う動作例を説明する。そして、図８には、実施の形態１に示した動作例では使用されたが、実施の形態４に示す動作例では使用されない信号のルートを、一点鎖線の矢印で示す。
【０１７０】
なお、以下の説明では、実施の形態１で説明した構成要素と実質的に同じ動作をする構成要素には、その構成要素と同じ符号を付与し、説明を省略または簡略化する。
【０１７１】
図８に示されるように、実施の形態４における送信装置１００Ａは、実施の形態１の送信装置１００が信号処理部１１０に有する周波数変換部１０４に代えて、信号処理部１１０ＡにＡＶ処理部１０４Ａを備える。また、送信装置１００Ａは、実施の形態１の送信装置１００が備えていない切替部１２３を備える。実施の形態４の送信装置１００Ａは、主にこれらの点が、実施の形態１の送信装置１００と異なる。
【０１７２】
すなわち、送信装置１００Ａは、映像取得部１０１と、信号処理部１１０Ａと、エンコード部１０３と、電気−光変換部１０５と、音声取得部１０６と、制御部１０７Ａと、送受電部１０８と、複合コネクタ１０９と、切替部１２３と、を備える。そして、信号処理部１１０に、分離部１０２およびＡＶ処理部１０４Ａを備える。
【０１７３】
制御部１０７Ａは、送信装置１００Ａの接続相手（例えば、図９に示す受信装置２００Ａ）から送信されてくるシリアル制御信号１２０を受信し、受信したシリアル制御信号１２０に基づいて、音声制御信号１１８を音声取得部１０６に出力し、映像制御信号１１９を映像取得部１０１に出力する。また、制御部１０７Ａは、受信したシリアル制御信号１２０に基づいて、送電または受電の指示を示す電力制御信号１２１を送受電部１０８に出力する。制御部１０７Ａは、受信したシリアル制御信号１２０に基づいて、信号処理部１１０Ａ、エンコード部１０３、電気−光変換部１０５、および切替部１２３に制御信号を出力してもよい。なお、図８では、制御部１０７Ａが出力する制御信号を破線の矢印で示す。制御部１０７Ａは、端子１０９ｃを介して送信装置１００Ａの接続相手（例えば、受信装置２００Ａ）に制御信号を送信してもよい。
【０１７４】
送信装置１００Ａにおいて、映像ベースバンド信号１１１および音声ベースバンド信号１１３は、いずれも光信号１１７に変換される。
【０１７５】
映像取得部１０１は、映像ベースバンド信号１１１を取得し、取得した映像ベースバンド信号１１１を、信号処理部１１０Ａの分離部１０２に出力する。分離部１０２は、映像ベースバンド信号１１１をそのままＡＶ処理部１０４Ａに出力する。
【０１７６】
音声取得部１０６は、音声ベースバンド信号１１３を取得し、取得した音声ベースバンド信号１１３を、信号処理部１１０ＡのＡＶ処理部１０４Ａに出力する。
【０１７７】
ＡＶ処理部１０４Ａは、分離部１０２から出力される映像ベースバンド信号１１１と、音声取得部１０６から出力される音声ベースバンド信号１１３とを合成し、合成により得られる電気信号１５１を電気−光変換部１０５に出力する。なお、ＡＶ処理部１０４Ａが行う合成の手法は、特に限定されない。ＡＶ処理部１０４Ａは、映像ベースバンド信号１１１と音声ベースバンド信号１１３とを、どのような手法を用いて合成してもよい。電気−光変換部１０５は、ＡＶ処理部１０４Ａで合成された電気信号１５１を光信号１１７に変換する。
【０１７８】
このように、送信装置１００Ａでは、映像ベースバンド信号１１１と音声ベースバンド信号１１３とがＡＶ処理部１０４Ａで合成されて電気信号１５１が生成され、電気信号１５１が電気−光変換部１０５で光信号１１７に変換される。そのため、実施の形態４に示す構成例（すなわち、送信装置１００Ａの接続相手が、図９に示す受信装置２００Ａである場合）では、送信装置１００Ａにおいてエンコード部１０３は使用されない。したがって、実施の形態１では電気信号１１４の伝送路として使用されたエンコード部１０３と端子１０９ａとの間を電気的に接続する伝送線（以下、「伝送路１２２」という）が、本実施の形態に示す動作例では未使用となり、他の用途に使用することが可能である。そこで、本実施の形態では、送信装置１００Ａにおいて、伝送路１２２を送受電部１０８による電力の伝送に使用する。
【０１７９】
切替部１２３は、送受電部１０８が電力供給（送電）または電力受給（受電）に使用する伝送路を切り替えることができる。具体的には、切替部１２３は、送受電部１０８が送電または受電に使用する端子を、実施の形態１で送受電部１０８の送電または受電に使用された端子１０９ｄにするのか、あるいは、伝送路１２２に接続された端子１０９ａにするのかを、切り替えることができる。切替部１２３は、例えば、双方向の２入力１出力のスイッチ回路によって実現される。しかし、本開示は切替部１２３の構成を特に限定するものではない。
【０１８０】
伝送路１２２は、ＨＤＭＩ（登録商標）規格においてＲＧＢ信号（電気信号１１４）を伝送するための、金属線で形成された３ペアの差動配線である。そのため、伝送路１２２は、電気抵抗が相対的に低い。
【０１８１】
図１に示したようにケーブルを介して相互に接続されたシンク機器とソース機器との間で、大電力をロスを低減して安定に一方の機器から他方の機器に伝送するには、一般的には、コネクタと伝送路との接合点を大きくして電気抵抗を低減する、伝送ケーブルの径を太くして電気抵抗を低減する、または、伝送路の配線本数を増やして電気抵抗を低減する、等の方法が採られる。複合コネクタ１０９およびケーブル３００のサイズには制限があるため、図１に示した構成では、それらの手法の実現には制限がある。３ペアの差動配線である伝送路１２２は、相対的に電気抵抗が低い伝送路である。そのため、送受電部１０８が電力の送電または受電に使用する伝送路を伝送路１２２にすれば、相対的に大きな電力の伝送が可能になる。
【０１８２】
なお、本実施の形態では、上述したように、送信装置１００Ａの接続相手が図９に示す受信装置２００Ａであり、送信装置１００Ａが、端子１０９ａを介して受信装置２００Ａと送電または受電を行うため、送信装置１００Ａにおいてエンコード部１０３が使用されない動作例を説明した。しかし、本開示は何らこの動作に限定されない。送信装置１００Ａは、例えば、実施の形態３で説明されたように動作してもよい。すなわち、送信装置１００Ａにおいて、実施の形態３で説明されたようにエンコード部１０３から電気信号１１４が出力され、その電気信号１１４が端子１０９ａから出力されるように、制御部１０７Ａが各構成要素を制御してもよい。その場合は、送信装置１００Ａにおいて、図８に一点鎖線の矢印で示した信号のルートが使用される。したがって、送信装置１００Ａは、このような動作をすることで、実施の形態１に示した受信装置２００にケーブル３００を介して接続することも可能である。
【０１８３】
なお、切替部１２３を制御する信号は、例えば、制御部１０７Ａから出力される。制御部１０７Ａは、例えば、送信装置１００Ａの接続相手（例えば、図９に示す受信装置２００Ａ）から端子２０９ａを通して送電または受電を行うことを示す信号を受信した場合に、端子１０９ａが送受電部１０８に電気的に接続されるように切替部１２３を制御してもよい。あるいは、制御部１０７Ａは、端子１０９ａが送受電部１０８に電気的に接続されるように切替部１２３を制御し、端子１０９ａを通して送電または受電を行うことを示す信号を送信装置１００Ａの接続相手（例えば、受信装置２００Ａ）に送信してもよい。あるいは、制御部１０７Ａは、初期状態では端子１０９ｄが送受電部１０８に電気的に接続されるように切替部１２３を制御してもよい。そして、制御部１０７Ａは、送信装置１００Ａの接続相手が実施の形態１に示した受信装置２００であることを認識した場合、または、送信装置１００Ａの接続相手（例えば、受信装置２００Ａ）から端子２０９ｄを通して送電または受電を行うことを示す信号を受信した場合、等に、その初期状態を維持してもよい。あるいは、制御部１０７Ａは、送信装置１００Ａの接続相手（例えば、受信装置２００Ａ）と、端子１０９ａを通して送電または受電を行うことに関する合意が得られたときに、端子１０９ａが送受電部１０８に電気的に接続されるように切替部１２３を制御してもよい。
【０１８４】
［４−２．受信装置の構成］
次に、実施の形態４における受信装置２００Ａの構成について図９を参照しながら説明する。
【０１８５】
図９は、実施の形態４における受信装置２００Ａの構成の一例を模式的に示すブロック図である。なお、以下の説明では、実施の形態４における受信装置２００Ａと、実施の形態１に示した受信装置２００との相違点を中心に説明を行う。
【０１８６】
なお、以下では、受信装置２００Ａの接続相手が図８に示した送信装置１００Ａであり、受信装置２００Ａが、端子２０９ａを介して送信装置１００Ａと送電または受電を行う動作例を説明する。そして、図９には、実施の形態１に示した動作例では使用されたが、実施の形態４に示す動作例では使用されない信号のルートを、一点鎖線の矢印で示す。
【０１８７】
なお、以下の説明では、実施の形態１で説明した構成要素と実質的に同じ動作をする構成要素には、その構成要素と同じ符号を付与し、説明を省略または簡略化する。
【０１８８】
図９に示されるように、実施の形態４における受信装置２００Ａは、実施の形態１の受信装置２００が有する周波数変換部２０３に代えて、ＡＶ処理部２０３Ａを備える。また、受信装置２００Ａは、実施の形態１の受信装置２００が備えていない切替部２２３および音声セレクタ２１０を備える。実施の形態４の受信装置２００Ａは、主にこれらの点が、実施の形態１の受信装置２００と異なる。
【０１８９】
すなわち、受信装置２００Ａは、合成部２０４と、デコード部２０１と、光−電気変換部２０２と、ＡＶ処理部２０３Ａと、映像出力部２０５と、音声出力部２０６と、制御部２０７Ａと、送受電部２０８と、複合コネクタ２０９と、切替部２２３と、音声セレクタ２１０と、を備える。
【０１９０】
制御部２０７Ａは、受信装置２００Ａの受信機情報が含まれたシリアル制御信号１２０を、複合コネクタ２０９が有する端子２０９ｃを介して受信装置２００Ａの接続相手（例えば、送信装置１００Ａ）へ送信する。また、制御部２０７Ａは、送電または受電の指示を示す電力制御信号２２１を送受電部２０８に出力する。制御部２０７Ａは、デコード部２０１、光−電気変換部２０２、ＡＶ処理部２０３Ａ、合成部２０４、映像出力部２０５、音声出力部２０６、切替部２２３、および音声セレクタ２１０に制御信号を出力してもよい。なお、図９では、制御部２０７Ａが出力する制御信号を破線の矢印で示す。制御部２０７Ａは、端子２０９ｃを介して、受信装置２００Ａの接続相手（例えば、送信装置１００Ａ）から制御信号を受信してもよい。
【０１９１】
受信装置２００Ａにおいて、送受電部２０８は、受信装置２００Ａの接続相手（例えば、送信装置１００Ａ）の送受電部１０８と、端子２０９ａを介して送電または受電を行うことができる。このとき、デコード部２０１は使用されない。また、受信装置２００Ａにおいて、デコード部２０１は、受信装置２００Ａの他の接続相手（例えば、実施の形態１に示した送信装置１００）から端子１０９ａを介して送信されてくる電気信号１１４を、実施の形態１と同様に端子２０９ｄを介して受信することもできる。
【０１９２】
例えば、受信装置２００Ａの接続相手が送信装置１００Ａであり、送信装置１００Ａの端子１０９ａを通して送電または受電が行われる場合は、受信装置２００Ａにおいて端子２０９ａと送受電部２０８とが切替部２２３を介して電気的に接続される。あるいは、受信装置２００Ａの接続相手が実施の形態１に示した送信装置１００であり、送信装置１００の端子１０９ａから電気信号１１４が送信される場合は、その電気信号１１４は、端子２０９ａを介して切替部２２３に入力され、切替部２２３からデコード部２０１に入力される（そのときの信号のルートは一点鎖線の矢印で示す）。
【０１９３】
このように、切替部２２３は、受信装置２００Ａにおいて、端子２０９ａを介して送電または受電が行われるときには端子２０９ａを送受電部２０８に電気的に接続し、端子２０９ａから電気信号１１４が受信されるときには、端子２０９ａをデコード部２０１に電気的に接続することができる。このように、切替部２２３は、端子２０９ａを通して送電または受電が行われるのか、あるいは端子２０９ａを通して電気信号１１４が受信されるのか、に応じて、端子２０９ａの接続先を、送受電部２０８とデコード部２０１とで切り替えることができる。切替部２２３は、例えば、双方向の２入力１出力のスイッチ回路によって実現される。しかし、本開示は切替部２２３の構成を特に限定するものではない。
【０１９４】
上述したように、受信装置２００Ａにおいては、受信装置２００Ａの接続相手が送信装置１００Ａであり、送信装置１００Ａにおいて伝送路１２２が電力の送電または受電に使用されるときには、端子２０９ａは、切替部２２３によって送受電部２０８に電気的に接続される。これにより、送受電部２０８は、送信装置１００Ａの送受電部１０８との間で、端子２０９ａを介して送電または受電を行うことができる。
【０１９５】
受信装置２００Ａにおいて、送信装置１００Ａの端子１０９ｂから出力される光信号１１７は、端子２０９ｂを介して光−電気変換部２０２に入力される。
【０１９６】
光−電気変換部２０２は、光信号１１７を電気信号１５１Ａに変換してＡＶ処理部２０３Ａに出力する。この変換により得られる電気信号１５１Ａは、ＡＶ処理部１０４Ａから出力される電気信号１５１に実質的に等しい信号であり、音声ベースバンド信号１１３Ａと映像ベースバンド信号１１１Ａとの双方が含まれる。
【０１９７】
ＡＶ処理部２０３Ａは、光−電気変換部２０２から出力される電気信号１５１Ａを、映像ベースバンド信号１１１Ａと音声ベースバンド信号１１３Ａとに分離する。なお、映像ベースバンド信号１１１Ａは、映像取得部１０１から出力される映像ベースバンド信号１１１に実質的に等しい信号であり、音声ベースバンド信号１１３Ａは、音声取得部１０６から出力される音声ベースバンド信号１１３に実質的に等しい信号である。なお、ＡＶ処理部２０３Ａが行う分離処理は、特に限定されるものではないが、送信装置１００ＡのＡＶ処理部１０４Ａで行われる合成処理を逆の手順で行う処理（その合成処理の逆変換処理）に相当する。
【０１９８】
ＡＶ処理部２０３Ａは、映像ベースバンド信号１１１Ａを合成部２０４に出力し、音声ベースバンド信号１１３Ａを音声セレクタ２１０に出力する。
【０１９９】
合成部２０４は、ＡＶ処理部２０３Ａから出力される映像ベースバンド信号１１１Ａを、そのまま映像出力部２０５に出力する。
【０２００】
音声セレクタ２１０は、ＡＶ処理部２０３Ａから出力される音声ベースバンド信号１１３Ａを音声出力部２０６に出力するのか、あるいは、デコード部２０１から出力される音声ベースバンド信号１１３Ａを音声出力部２０６に出力するのかを、切り替えることができる。実施の形態４に示す構成例（すなわち、受信装置２００Ａの接続相手が、図８に示した送信装置１００Ａである場合）では、音声セレクタ２１０は、ＡＶ処理部２０３Ａから出力される音声ベースバンド信号１１３Ａを音声出力部２０６に出力するように動作する。音声セレクタ２１０は、例えば、双方向の２入力１出力のスイッチ回路によって実現される。しかし、本開示は音声セレクタ２１０の構成を特に限定するものではない。
【０２０１】
なお、切替部２２３および音声セレクタ２１０を制御する信号は、例えば、制御部２０７Ａから出力される。制御部２０７Ａは、例えば、受信装置２００Ａの接続相手（例えば、送信装置１００Ａ）から端子１０９ａを通して送電または受電を行うことを示す信号を受信した場合に、端子２０９ａが送受電部２０８に電気的に接続されるように切替部２２３を制御し、ＡＶ処理部２０３Ａから出力される音声ベースバンド信号１１３Ａが音声出力部２０６に出力されるように音声セレクタ２１０を制御してもよい。あるいは、制御部２０７Ａは、端子２０９ａが送受電部２０８に電気的に接続されるように切替部２２３を制御し、ＡＶ処理部２０３Ａから出力される音声ベースバンド信号１１３Ａが音声出力部２０６に出力されるように音声セレクタ２１０を制御して、端子２０９ａを通して送電または受電を行うことを示す信号を受信装置２００Ａの接続相手（例えば、送信装置１００Ａ）に送信してもよい。あるいは、制御部２０７Ａは、初期状態では、端子２０９ａがデコード部２０１に電気的に接続されるように切替部２２３を制御し、デコード部２０１から出力される音声ベースバンド信号１１３Ａが音声出力部２０６に出力されるように音声セレクタ２１０を制御してもよい。そして、受信装置２００Ａの接続相手から端子１０９ａを通して電気信号１１４を送信することを示す信号を受信した場合、または、受信装置２００Ａの接続相手から端子１０９ａに関する情報を何も受信しなかった場合、または、受信装置２００Ａの接続相手が実施の形態１に示した送信装置１００であることを認識した場合、等に、その初期状態を維持してもよい。あるいは、制御部２０７Ａは、受信装置２００Ａの接続相手（例えば、送信装置１００Ａ）と、端子２０９ａを通して送電または受電を行うことに関する合意が得られたときに、端子２０９ａが送受電部２０８に電気的に接続されるように切替部２２３を制御し、ＡＶ処理部２０３Ａから出力される音声ベースバンド信号１１３Ａが音声出力部２０６に出力されるように音声セレクタ２１０を制御してもよい。
【０２０２】
［４−３．実施の形態４の効果等］
以上のように、実施の形態４において、送信装置は、送信装置の外部に設けられた受信装置との間で、電気信号の伝送路を介して電力の送電または受電を行う送受電部を備えてもよい。信号処理部は、映像取得部によって取得された映像信号を、第２変換部を用いて光信号に変換してもよい。
【０２０３】
なお、送信装置１００Ａは送信装置の一例である。受信装置２００Ａは受信装置の一例である。伝送路１２２は伝送路の一例である。送受電部１０８は送受電部の一例である。信号処理部１１０Ａは信号処理部の一例である。電気−光変換部１０５は第２変換部の一例である。
【０２０４】
例えば、実施の形態４に示した例では、送信装置１００Ａは、送信装置１００Ａの外部に設けられた受信装置２００Ａとの間で、電気信号１１４の伝送路１２２を介して電力の送電または受電を行う送受電部１０８を備える。信号処理部１１０Ａは、映像取得部１０１によって取得された映像ベースバンド信号１１１を、電気−光変換部１０５を用いて光信号１１７に変換する。
【０２０５】
このように構成された送信装置１００Ａでは、ＲＧＢ信号（電気信号１１４）等の伝送に用いられる伝送路１２２を、送電または受電に用いることで、大電力の送電または受電を実現することができる。そして、送信装置１００Ａは、例えば、大電力の送電または受電と、映像ベースバンド信号１１１および音声ベースバンド信号１１３の送信とを並列に行うことができる。
【０２０６】
［４−４．実施の形態４の変形例］
実施の形態４では、送信装置１００Ａにおいて、電気信号１１４の伝送路１２２を用いて送電または受電が行われる構成例を説明したが、本開示はこの構成に限定されない。送信装置１００Ａは、電力だけでなく、その他の任意の高速通信信号または制御信号を、伝送路１２２を通じて伝送してもよい。
【０２０７】
また、送信装置において、信号処理部は、取得された映像信号を、第２変換部を用いて光信号に変換し、送信装置の外部に設けられた受信装置から、ＨＤＭＩ（登録商標）規格において定められるＡＲＣ（Ａｕｄｉｏ  Ｒｅｔｕｒｎ  Ｃｈａｎｎｅｌ）信号を、電気信号の伝送路を通じて取得してもよい。
【０２０８】
すなわち、送信装置１００Ａにおいて、信号処理部１１０Ａは、取得された映像信号を、電気−光変換部１０５を用いて光信号に変換し、送信装置１００Ａの外部に設けられた受信装置２００Ａから、ＨＤＭＩ（登録商標）規格において定められるＡＲＣ信号を、電気信号１１４を伝送する伝送路１２２を通じて取得してもよい。
【０２０９】
ＡＲＣ信号は、より詳細には、ＩＥＣ  ６０９５８−１で定義されるデジタルオーディオ信号であって、シンク機器からソース機器に伝送されるデジタルオーディオ信号である。ＡＲＣ信号は、電気レベル等のインターフェイス仕様が変更された、Ｓ／ＰＤＩＦ（Ｓｏｎｙ（登録商標）／Ｐｈｉｌｉｐｓ（登録商標）  Ｄｉｇｉｔａｌ  Ｉｎｔｅｒｆａｃｅ）相当のデジタルオーディオ信号である。
【０２１０】
なお、エンコード部１０３にデコード部としての機能を備え、デジタルオーディオ信号であるＡＲＣ信号がエンコード部１０３においてアナログ信号に変換されて信号処理部１１０Ａに取得されてもよい。あるいは、エンコード部１０３またはその周辺回路がデジタル信号のままＡＲＣ信号を通過させる構成を備える等して、信号処理部１１０Ａがデジタル信号のままＡＲＣ信号を取得してもよい。
【０２１１】
（実施の形態５）
［５−１．構成］
実施の形態５における送受信システム１０Ａについて、図１０を参照しながら説明する。
【０２１２】
なお、実施の形態５に示す構成は、実施の形態１〜４で説明された送信装置１００、１００Ａおよび受信装置２００、２００Ａのいずれにも適用できるが、以下では、実施の形態４に示した送信装置１００Ａおよび受信装置２００Ａを備える送受信システム１０Ａを例に挙げて実施の形態５を説明する。
【０２１３】
図１０は、実施の形態５における送受信システム１０Ａの構成の一例を模式的に示すブロック図である。
【０２１４】
図１０に示すように、送受信システム１０Ａは、送信装置１００Ａと、受信装置２００Ａと、ケーブル３００Ａとを備え、送信装置１００Ａと受信装置２００Ａとがケーブル３００Ａによって相互に接続されて構成されている。
【０２１５】
なお、図１０に示す送信装置１００Ａは図８に示した送信装置１００Ａと実質的に同じものであり、図１０に示す受信装置２００Ａは図９に示した受信装置２００Ａと実質的に同じものであるが、図１０では、以下の説明に対して関連性の高い構成要素のみを図示しており、他の構成要素は省略している。また、図１０に示すケーブル３００Ａは、実施の形態１に示したケーブル３００と実質的に同じものであるが、４本の光ケーブル３０２ａ〜３０２ｄを備えている。
【０２１６】
光信号は、複数の光ケーブル（光ファイバ）によって並列に伝送される場合がある。そのような場合、光信号は、光ケーブル１本あたりの伝送可能スピード（１本の光ケーブルが単位時間（例えば１秒間）に伝送できる情報量）と、光信号によって伝送される単位時間あたりの情報量とに応じて、複数チャンネルに分けて伝送される。例えば、図１０に示される送受信システム１０Ａにおいては、光信号１１７は、ケーブル３００Ａに含まれる４本の光ケーブル３０２ａ〜３０２ｄによって伝送される。なお、図１０に示す光信号１１７を伝送する光ケーブルの数は、単なる一例であり、本開示は光信号１１７を伝送する光ケーブルの数を特に限定しない。
【０２１７】
送信装置１００Ａは、４本の光ケーブル３０２ａ〜３０２ｄに対応する４つの端子１０９ｂ１〜１０９ｂ４を備える。端子１０９ｂ１〜１０９ｂ４は、光信号１１７を、複数の伝送路（例えば、光ケーブル３０２ａ〜３０２ｄ）を通じて分割して送信するための複数の端子であり、複合コネクタ１０９に含まれる。
【０２１８】
送信装置１００Ａと同様に、受信装置２００Ａは、４本の光ケーブル３０２ａ〜３０２ｄに対応する４つの端子２０９ｂ１〜２０９ｂ４を備える。端子２０９ｂ１〜２０９ｂ４は、分割された光信号１１７を、複数の伝送路（例えば、光ケーブル３０２ａ〜３０２ｄ）を通じて受信するための複数の端子であり、複合コネクタ２０９に含まれる。
【０２１９】
そして、図１０に示す構成例では、端子１０９ｂ１と端子２０９ｂ１とは、光ケーブル３０２ａによって光学的に相互に接続され、端子１０９ｂ２と端子２０９ｂ２とは、光ケーブル３０２ｂによって光学的に相互に接続され、端子１０９ｂ３と端子２０９ｂ３とは、光ケーブル３０２ｃによって光学的に相互に接続され、端子１０９ｂ４と端子２０９ｂ４とは、光ケーブル３０２ｄによって光学的に相互に接続される。
【０２２０】
光ケーブルは、ケーブル内の光ファイバ導体が折れる等して光ケーブルに破損が生じたときに、光信号を伝送できなくなる場合がある。また、光ケーブルは、コネクタとの接合箇所にずれや汚れが生じたりすることによって光信号を伝送できなくなる場合もある。
【０２２１】
このような場合に備え、実施の形態５に示す送受信システム１０Ａでは、送信装置１００Ａが、制御部１０７Ａにおいて、複数の伝送路（例えば、光ケーブル３０２ａ〜３０２ｄ）における伝送品質を示す伝送品質情報を取得するように構成されている。伝送品質情報は、例えば、光信号１１７の伝送品質が低下した（光信号１１７を伝送できなくなった）光ケーブルまたは端子を特定するための識別情報（例えば、各光ケーブルまたは各端子にそれぞれ割り当てられた番号）である。なお、伝送品質情報は、識別情報に限定されるものではなく、例えば、ビットエラーレート（ビットエラー率）等が用いられてもよい。
【０２２２】
なお、光ケーブルの識別情報および端子の識別情報は、あらかじめ送信装置１００Ａおよび受信装置２００Ａによって共有されていてもよい。あるいは、分割された光信号１１７のそれぞれに、各光信号１１７の伝送に用いられる端子（光ケーブル）の識別情報が含まれていてもよい。
【０２２３】
送受信システム１０Ａにおいて、使用できない端子（光ケーブル）が生じたときの動作を、以下に説明する。
【０２２４】
送受信システム１０Ａにおいて、伝送品質情報は、受信装置２００Ａから送信装置１００Ａに送信される。受信装置２００Ａの光−電気変換部２０２は、端子２０９ｂ１〜２０９ｂ４を通じて光信号１１７を受信したときに、各光信号１１７に誤りが生じているか否かを、端子毎に、誤り検出技術（例えば、一般的に用いられているＣＲＣ（Ｃｙｃｌｉｃ  Ｒｅｄｕｎｄａｎｃｙ  Ｃｈｅｃｋ）等）によって検出する。そして、光−電気変換部２０２は、誤りの発生率が所定値よりも増加して伝送品質が低下したと判定した端子（光ケーブル）があった場合、その端子（光ケーブル）の識別情報を制御部２０７Ａに通知する。その通知を受けた制御部２０７Ａは、通知された端子（光ケーブル）の識別情報を示す伝送品質情報を、シリアル制御信号１２０として送信装置１００Ａの制御部１０７Ａに送信する。このとき、制御部２０７Ａから出力されたシリアル制御信号１２０は、受信装置２００Ａが有する複合コネクタ２０９の端子２０９ｃ、ケーブル３００Ａの電線３０２ｅ、送信装置１００Ａが有する複合コネクタ１０９の端子２０９ｃを通って、制御部１０７Ａに受信される。そして、制御部１０７Ａは、受信した伝送品質情報を電気−光変換部１０５に出力する。
【０２２５】
電気−光変換部１０５は、制御部１０７Ａから取得した伝送品質情報に基づいて伝送品質が低下した伝送路を特定し、送信装置１００Ａから受信装置２００Ａに光信号１１７を送信する複数の伝送路のうちの、伝送品質が低下した伝送路を除く伝送路に対応する１以上の端子を端子１０９ｂ１〜１０９ｂ４の中から選択し、選択した端子に光信号１１７を分割して出力する。
【０２２６】
これにより、電気−光変換部１０５は、伝送品質情報に基づき、伝送品質が低下した（光信号１１７を伝送できなくなった）伝送路を特定できるので、その伝送路に対応する光ケーブルおよび端子を避け、伝送品質が高い伝送路のみを使用して、光信号１１７を受信装置２００Ａに送信することができる。したがって、送受信システム１０Ａでは、伝送品質が低下した（光信号１１７を伝送できなくなった）光ケーブルまたは端子が発生したときに、映像ベースバンド信号１１１および音声ベースバンド信号１１３が送信装置１００Ａから受信装置２００Ａに送信できなくなるような事態が発生することを低減することができる。
【０２２７】
上記のような送受信システム１０Ａの具体な動作例について説明する。
【０２２８】
例えば、光ケーブル３０２ａ〜３０２ｄのそれぞれの最大伝送レートが２７Ｇｂｐｓ（Ｇｉｇａ  ｂｉｔｓ  ｐｅｒ  ｓｅｃｏｎｄ）であるとする。その場合、４本の光ケーブル３０２ａ〜３０２ｄの全てが光信号１１７の伝送に使用されると、送信装置１００Ａから受信装置２００Ａへの光信号１１７による最大伝送レートは２７Ｇｂｐｓ×４＝１０８Ｇｂｐｓとなる。
【０２２９】
一方、８Ｋ解像度（８Ｋ６０ｐ）の映像ベースバンド信号１１１を伝送するときの伝送レートは、（水平方向８８００画素）×（垂直方向４５００ライン）×（リフレッシュレート６０Ｈｚ）×（ＲＧＢ３ｃｈ）＝７１．２８Ｇｂｐｓである。したがって、送受信システム１０Ａにおいて、８Ｋ解像度の映像ベースバンド信号１１１を送信装置１００Ａから受信装置２００Ａへ送信するときには、約７２Ｇｂｐｓの伝送レートが確保されればよい。
【０２３０】
上記の構成の場合、光ケーブル３０２ａ〜３０２ｄのうち３本が並列に（同時に）使用されるときの、送信装置１００Ａから受信装置２００Ａへの光信号１１７による最大伝送レートは、２７Ｇｂｐｓ×３＝８１Ｇｂｐｓとなる。そのため、上記のように構成された送受信システム１０Ａでは、４本の光ケーブル３０２ａ〜３０２ｄのうちの３本を使用すれば、送信装置１００Ａから受信装置２００Ａへ、８Ｋ解像度の映像ベースバンド信号１１１を光信号１１７によって送信することができる。
【０２３１】
したがって、光ケーブル３０２ａ〜３０２ｄのうちの１本の光ケーブル（例えば、光ケーブル３０２ｂ）が破損等により使用できなくなったとしても、電気−光変換部１０５は、光ケーブル３０２ａ〜３０２ｄのうちの、使用できない光ケーブルを除く光ケーブル（例えば、光ケーブル３０２ａ、３０２ｃ、および３０２ｄ）に対応する３つの端子（例えば、端子１０９ｂ１、１０９ｂ３、および１０９ｂ４）を選択し、選択した３つの端子に光信号１１７を分割して出力すれば、８Ｋ解像度の映像ベースバンド信号１１１を光信号１１７によって送信することができる。
【０２３２】
なお、電気−光変換部１０５は、初期状態として、例えば、端子１０９ｂ１に識別情報「１」を含む光信号１１７を出力し、端子１０９ｂ２に識別情報「２」を含む光信号１１７を出力し、端子１０９ｂ３に識別情報「３」を含む光信号１１７を出力し、端子１０９ｂ４に識別情報「４」を含む光信号１１７を出力してもよい。そして、電気−光変換部１０５は、１本の光ケーブル（例えば、光ケーブル３０２ｂ）が使用できなくなった後は、例えば、端子１０９ｂ１に識別情報「１」を含む光信号１１７を出力し、端子１０９ｂ３に識別情報「２」を含む光信号１１７を出力し、端子１０９ｂ４に識別情報「３」を含む光信号１１７を出力してもよい。このように、電気−光変換部１０５は、使用できない光ケーブルが生じた後に、各端子に割りあてる識別情報を、初期状態から変化させてもよい。
【０２３３】
なお、電気−光変換部１０５は、２本の光ケーブルが使用できなくなったときには、使用可能な残りの２本の光ケーブルに対応する２つの端子を選択してもよい。また、電気−光変換部１０５は、３本の光ケーブルが使用できなくなったときには、使用可能な残りの１本の光ケーブルに対応する端子を選択してもよい。また、電気−光変換部１０５は、使用可能な光ケーブルの本数に応じた解像度（情報量）の映像ベースバンド信号１１１を光信号１１７で送信してもよい。
【０２３４】
なお、受信装置２００Ａにおいては、記憶部２０７ａに、光信号１１７がどのような分割方式で分割されていれば、受信装置２００Ａが受信可能か（信号処理可能か）を示す分割情報が記憶されていてもよい。分割情報は、例えば、光信号１１７の最大分割数、１つの端子（１チャンネル）当たりの最大伝送レート（解像度）、等の情報を含んでいてもよい。分割情報は、受信機情報の一部であってもよい。この場合、送信装置１００Ａにおいては、例えば、制御部１０７Ａが分割情報をシリアル制御信号１２０として取得することにより、電気−光変換部１０５は、受信装置２００Ａで受信可能な（信号処理可能な）分割方式で光信号を分割して出力することができる。
【０２３５】
［５−２．実施の形態５の効果等］
以上のように、実施の形態５において、送信装置は、光信号を複数の伝送路を通じて分割して送信するための複数の端子を備えていてもよい。
【０２３６】
また、実施の形態５において、受信装置は、分割された光信号を複数の伝送路を通じて取得するための複数の端子を備えていてもよい。
【０２３７】
なお、送信装置１００Ａは送信装置の一例である。光ケーブル３０２ａ〜３０２ｄは複数の伝送路の一例である。端子１０９ｂ１〜１０９ｂ４は、送信装置が備える複数の端子の一例である。受信装置２００Ａは受信装置の一例である。端子２０９ｂ１〜端子２０９ｂ４は、受信装置が備える複数の端子の一例である。
【０２３８】
例えば、実施の形態５に示した例では、送信装置１００Ａは、光信号１１７を、光ケーブル３０２ａ〜３０２ｄを通じて分割して送信するための複数の端子１０９ｂ１〜１０９ｂ４を備えている。
【０２３９】
受信装置２００Ａは、分割された光信号１１７を、光ケーブル３０２ａ〜３０２ｄを通じて受信するための複数の端子２０９ｂ１〜端子２０９ｂ４を備えている。
【０２４０】
これにより、送信装置１００Ａは、光信号１１７を分割し、分割した光信号１１７を複数の伝送路（光ケーブル３０２ａ〜３０２ｄ）を通じて送信することができる。受信装置２００Ａは、分割した光信号１１７を複数の伝送路（光ケーブル３０２ａ〜３０２ｄ）を通じて受信することができる。
【０２４１】
送信装置は、複数の伝送路における伝送品質を示す伝送品質情報を取得する伝送品質取得部を備えてもよい。第２変換部は、取得された伝送品質情報に基づいて、複数の端子の中から、複数の伝送路のうちの一部の伝送路に対応する１以上の端子を選択し、選択した端子の数に応じて光信号を分割し、分割した光信号を、選択した１以上の端子から出力してもよい。
【０２４２】
なお、制御部１０７Ａは伝送品質取得部の一例である。
【０２４３】
例えば、実施の形態５に示した例では、送信装置１００Ａは、複数の伝送路（光ケーブル３０２ａ〜３０２ｄ）における伝送品質を示す伝送品質情報を取得する制御部１０７Ａを備えている。電気−光変換部１０５は、取得された伝送品質情報に基づいて、複数の端子１０９ｂ１〜１０９ｂ４の中から、複数の伝送路（光ケーブル３０２ａ〜３０２ｄ）のうちの一部の伝送路に対応する１以上の端子を選択し、選択した端子の数に応じて光信号１１７を分割し、分割した光信号１１７を選択した１以上の端子から出力する。
【０２４４】
これにより、送信装置１００Ａは、伝送品質の良好な伝送路を選択し、選択した伝送路を使用して光信号１１７を送信することができる。
【０２４５】
［５−３．実施の形態５の変形例］
一般的に、光ケーブルは、光信号を双方向に伝送することができる。したがって、送信装置１００Ａは、受信装置２００Ａからケーブル３００Ａ（光ケーブル３０２ａ〜３０２ｄ）を通じて光信号を受信することも可能である。この場合、送信装置１００Ａにおいては、電気−光変換部１０５が、上述した電気−光変換部１０５の機能を有するとともに、光信号を受信することもできる光信号処理部に置き換えられればよい。受信装置２００Ａにおいては、光−電気変換部２０２が、上述した光−電気変換部２０２の機能を有するとともに、光信号を送信することもできる光信号処理部に置き換えられればよい。これにより、受信装置２００Ａが備える光信号処理部は、送信装置１００Ａが備える光信号処理部に光信号を送信することができる。
【０２４６】
例えば、シリアル制御信号１２０が光ケーブル３０２ａ〜３０２ｄのいずれかを通じて光信号として伝送されてもよい。すなわち、送信装置において、受信機情報取得部は、受信機情報を電気信号として取得できない場合に、光信号の伝送路を通じて、受信機情報を光信号として取得してもよい。具体的な例としては、送信装置１００Ａにおいて、制御部１０７Ａは、受信機情報を、電線３０２ｅを通じて電気信号として取得できない場合に、光信号１１７の伝送路である光ケーブル３０２ａ〜３０２ｄのいずれかを通じて、受信機情報を光信号として取得してもよい。
【０２４７】
これにより、送信装置１００Ａは、電線３０２ｅが断線する等して受信装置２００Ａからの受信機情報を電気信号として取得することができない場合に、光ケーブル３０２ａ〜３０２ｄのいずれかを通じて受信機情報を光信号として取得することができる。なお、送信装置１００Ａは、例えば、制御部１０７Ａが、受信機情報を要求するシリアル制御信号１２０を電気信号として電線３０２ｅを通じて受信装置２００Ａに送信したにもかかわらず、受信装置２００Ａから応答を得られなかった場合等に、受信機情報を電気信号として取得できない、と判断してもよい。
【０２４８】
（その他の実施の形態）
以上のように、本出願において開示する技術の例示として、実施の形態１〜５を説明した。しかしながら、本開示における技術は、これに限定されず、変更、置き換え、付加、省略等を行った実施の形態にも適用できる。また、上記実施の形態１〜５で説明した各構成要素を組み合わせて、新たな実施の形態とすることも可能である。
【０２４９】
そこで、以下、他の実施の形態を例示する。
【０２５０】
例えば、上記実施の形態で説明されたＨＤＭＩ（登録商標）規格には、現存するバージョンだけでなく、将来使用されるバージョンが含まれてもよい。つまり、本開示は、将来使用される新たなバージョンのＨＤＭＩ（登録商標）規格に適用されてもよい。
【０２５１】
実施の形態２の動作例２では、ステップＳ２４での映像分離処理時の低域映像信号１１２の解像度の決定に、ステップＳ２２で取得された受信機情報およびステップＳ２３で取得されたケーブル情報３２０の両方を用いる動作例を説明したが、本開示は何らこの動作に限定されない。低域映像信号１１２の解像度の決定には、ステップＳ２２で取得された受信機情報およびステップＳ２３で取得されたケーブル情報３２０の少なくとも一方が用いられればよい。
【０２５２】
例えば、実施の形態４に示した送信装置１００Ａが、実施の形態１に示した周波数変換部１０４を信号処理部１１０Ａに備え、実施の形態１〜４に示した各動作を実行できるように構成されてもよい。
【０２５３】
あるいは、実施の形態４に示した受信装置２００Ａが、実施の形態１に示した周波数変換部２０３を備え、実施の形態１〜４に示した各動作を実行できるように構成されてもよい。
【０２５４】
実施の形態４の変形例に示す送信装置１００Ａにおいて、ＡＲＣ信号の取得は、制御部１０７Ａによって行われてもよい。制御部１０７Ａは、伝送路１２２を通じてＡＲＣ信号を取得してもよい。
【０２５５】
上記実施の形態において、各構成要素は、専用のハードウェアで構成されてもよく、あるいは、各構成要素に適したソフトウェアプログラムを実行することによって実現されてもよい。各構成要素は、ＣＰＵ（Ｃｅｎｔｒａｌ  Ｐｒｏｃｅｓｓｉｎｇ  Ｕｎｉｔ）またはプロセッサなどのプログラム実行部が、ハードディスクまたは半導体メモリなどの記録媒体に記録されたソフトウェアプログラムを読み出して実行することによって実現されてもよい。
【０２５６】
また、各構成要素は、回路（または集積回路）でもよい。これらの回路は、全体として１つの回路を構成してもよいし、それぞれが別々の回路でもよい。また、これらの回路は、それぞれ、汎用的な回路でもよいし、専用の回路でもよい。
【０２５７】
また、本開示の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラムおよび記録媒体の任意な組み合わせで実現されてもよい。例えば、本開示は、上記実施の形態の送受信システムとして実現されてもよいし、送信装置によって実行される送信方法または受信装置によって実行される受信方法として実現されてもよい。
【０２５８】
上記実施の形態において説明された送信装置および受信装置の動作における複数の処理の順序は一例である。複数の処理の順序は変更されてもよいし、複数の処理は並列に実行されてもよい。また、特定の処理部が実行する処理を別の処理部が実行してもよい。
【０２５９】
以上のように、本開示における技術の例示として、実施の形態を説明した。そのために、添付図面および詳細な説明を提供した。
【０２６０】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０２６１】
また、上述の実施の形態は、本開示における技術を例示するためのものであるから、特許請求の範囲またはその均等の範囲において種々の変更、置き換え、付加、省略などを行うことができる。
【産業上の利用可能性】
【０２６２】
本開示は、高精細な映像ベースバンド信号の伝送等に利用可能である。具体的には、映像信号送信装置、映像信号受信装置、等に、本開示は適用可能である。
【符号の説明】
【０２６３】
１０，１０Ａ    送受信システム
１００，１００Ａ    送信装置
１０１    映像取得部
１０２    分離部
１０３    エンコード部
１０４，２０３    周波数変換部
１０４Ａ，２０３Ａ    ＡＶ処理部
１０５    電気−光変換部
１０６    音声取得部
１０７，１０７Ａ，２０７，２０７Ａ    制御部
１０８    送受電部
１０９    複合コネクタ
１０９ａ，１０９ｂ，１０９ｂ１，１０９ｂ２，１０９ｂ３，１０９ｂ４，１０９ｃ，１０９ｄ，１０９ｅ，２０９ａ，２０９ｂ，２０９ｂ１，２０９ｂ２，２０９ｂ３，２０９ｂ４，２０９ｃ，２０９ｄ    端子
１１０，１１０Ａ    信号処理部
１１１，１１１Ａ    映像ベースバンド信号
１１２，１１２Ａ    低域映像信号
１１３，１１３Ａ    音声ベースバンド信号
１１４，１５１，１５１Ａ    電気信号
１１５，１１５Ａ    第１高域映像信号
１１６，１１６Ａ    第２高域映像信号
１１７    光信号
１１８    音声制御信号
１１９    映像制御信号
１２０    シリアル制御信号
１２１    電力制御信号
１２２    伝送路
１２３，２２３    切替部
２００，２００Ａ    受信装置
２０１    デコード部
２０２    光−電気変換部
２０４    合成部
２０５    映像出力部
２０６    音声出力部
２０７ａ    記憶部
２０８    送受電部
２０９    複合コネクタ
２１０    音声セレクタ
２２１    電力制御信号
３００，３００Ａ    ケーブル
３０１    記憶部
３０２ａ，３０２ｂ，３０２ｃ，３０２ｄ    光ケーブル
３０２ｅ    電線
３２０    ケーブル情報
【手続補正２】
【補正対象書類名】特許請求の範囲
【補正対象項目名】全文
【補正方法】変更
【補正の内容】
【特許請求の範囲】
【請求項１】
映像信号を取得する映像取得部と、
前記映像信号をＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）規格に準拠した電気信号に変換する第１変換部と、
前記映像信号を光信号に変換する第２変換部と、
取得された前記映像信号に対して、前記第１変換部を用いた変換および前記第２変換部を用いた変換の少なくとも一方を行う信号処理部と、を備える、
送信装置。
【請求項２】
前記信号処理部は、取得された前記映像信号に対して映像分離処理をさらに行い、前記映像分離処理において、
（ｉ）取得された前記映像信号を、当該映像信号に含まれる画像の第１周波数成分を構成する第１映像信号と、前記画像の周波数成分であって前記第１周波数成分よりも高域の周波数成分である第２周波数成分を構成する第２映像信号と、に分離し、
（ｉｉ）前記第１映像信号を、前記第１変換部を用いて前記電気信号に変換し、
（ｉｉｉ）前記第２映像信号を、前記第２変換部を用いて前記光信号に変換する、
請求項１に記載の送信装置。
【請求項３】
前記信号処理部は、
前記第２映像信号のサンプリング周波数を前記映像信号のサンプリング周波数よりも下げるサブサンプリング処理を行い、
サブサンプリング処理された前記第２映像信号を、前記第２変換部を用いて前記光信号に変換する、
請求項２に記載の送信装置。
【請求項４】
前記信号処理部は、前記映像分離処理において、取得された前記映像信号を、所定の解像度の画像を構成する前記第１映像信号と、取得された前記映像信号から前記第１映像信号の信号成分を除いた前記第２映像信号と、に分離する、
請求項２に記載の送信装置。
【請求項５】
前記所定の解像度を有する画像を構成する映像信号が前記第１変換部を用いて電気信号として伝送されるときの伝送レートは、前記ＨＤＭＩ（登録商標）規格において定められる電気信号の最大伝送レートよりも小さい所定の伝送レート以下である、
請求項４に記載の送信装置。
【請求項６】
前記送信装置の外部に設けられた受信装置と前記送信装置とを接続するためのケーブルが接続されるコネクタであって、前記電気信号を前記受信装置に出力するための端子、および、前記光信号を前記受信装置に出力するための端子を有するコネクタと、
前記コネクタに前記ケーブルが接続されているときに、前記ケーブルが有する記憶部から、当該ケーブルの電気信号の最大伝送レートを示すケーブル情報を取得するケーブル情報取得部と、
前記送信装置の外部に設けられた前記受信装置が受信可能な前記電気信号の最大伝送レートを示す受信機情報を取得する受信機情報取得部と、をさらに備え、
前記信号処理部は、取得された前記受信機情報および取得された前記ケーブル情報に基づいて、前記映像分離処理を行う、
請求項２に記載の送信装置。
【請求項７】
前記受信機情報取得部は、前記受信機情報を電気信号として取得できない場合に、前記光信号の伝送路を通じて、前記受信機情報を光信号として取得する、
請求項６に記載の送信装置。
【請求項８】
前記送信装置は、音声信号を取得する音声取得部をさらに備え、
前記第１変換部は、さらに前記音声信号を前記電気信号に変換し、
前記信号処理部は、
取得された前記音声信号を、前記第１変換部を用いて前記電気信号に変換し、
取得された前記映像信号を、前記第２変換部を用いて前記光信号に変換する
請求項１に記載の送信装置。
【請求項９】
前記送信装置の外部に設けられた受信装置との間で、前記電気信号の伝送路を介して電力の送電または受電を行う送受電部をさらに備え、
前記信号処理部は、前記映像取得部によって取得された前記映像信号を、前記第２変換部を用いて前記光信号に変換する、
請求項１に記載の送信装置。
【請求項１０】
前記信号処理部は、
取得された前記映像信号を、前記第２変換部を用いて前記光信号に変換し、
前記送信装置の外部に設けられた受信装置から、前記ＨＤＭＩ（登録商標）規格において定められるＡＲＣ（Ａｕｄｉｏ  Ｒｅｔｕｒｎ  Ｃｈａｎｎｅｌ）信号を、前記電気信号の伝送路を通じて取得する、
請求項１に記載の送信装置。
【請求項１１】
前記光信号を複数の伝送路を通じて分割して伝送するための複数の端子をさらに備える、
請求項１に記載の送信装置。
【請求項１２】
前記複数の伝送路における伝送品質を示す伝送品質情報を取得する伝送品質取得部をさらに備え、
前記第２変換部は、取得された前記伝送品質情報に基づいて、前記複数の伝送路のうちの一部の伝送路に対応する１以上の端子を前記複数の端子の中から選択し、選択した前記１以上の端子に前記光信号を分割して出力する、
請求項１１に記載の送信装置。
【請求項１３】
映像信号が再構成された信号を出力する受信装置であって、
前記映像信号の一部である第１映像信号を含むＨＤＭＩ（登録商標）規格に準拠した電気信号を取得し、取得した前記電気信号を用いて前記第１映像信号を再構成する第１再構成部と、
前記映像信号の一部である第２映像信号を含む光信号を取得し、取得した前記光信号を用いて前記第２映像信号を再構成する第２再構成部と、
再構成された前記第１映像信号と再構成された前記第２映像信号とを合成して合成映像信号を生成し、生成した前記合成映像信号を前記再構成された信号として出力する合成部と、を備える、
受信装置。
【請求項１４】
前記第１映像信号は、前記映像信号に含まれる画像の第１周波数成分を構成し、
前記第２映像信号は、前記画像の周波数成分であって前記第１周波数成分よりも高域の周波数成分である第２周波数成分を構成する、
請求項１３に記載の受信装置。
【請求項１５】
前記第２映像信号は、サブサンプリング処理されることにより、サンプリング周波数が前記映像信号のサンプリング周波数よりも下げられた信号である、
請求項１４に記載の受信装置。
【請求項１６】
前記受信装置が受信可能な前記電気信号の最大伝送レートを示す受信機情報、および、前記受信装置が前記電気信号および前記光信号の両方を取得して信号処理を行うときに、信号処理可能な最大解像度を示す解像度情報が記憶された記憶部と、
前記受信機情報および前記解像度情報を前記受信装置の外部に設けられた送信装置に出力するための端子と、をさらに備える
請求項１３に記載の受信装置。
【請求項１７】
分割された前記光信号を複数の伝送路を通じて取得するための複数の端子をさらに備える、
請求項１３に記載の受信装置。
【請求項１８】
請求項６に記載のケーブルであって、当該ケーブルの電気信号の最大伝送レートを示すケーブル情報が記憶された記憶部を有する、
ケーブル。
【請求項１９】
送信装置によって実行される送信方法であって、
前記送信装置は、
映像信号をＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）規格に準拠した電気信号に変換する第１変換部と、
前記映像信号を光信号に変換する第２変換部と、を備え、
前記送信方法は、
前記映像信号を取得し、
取得された前記映像信号に対して、前記第１変換部を用いた変換および前記第２変換部を用いた変換の少なくとも一方を行う、
送信方法。
【請求項２０】
映像信号が再構成された信号を出力する受信装置によって実行される受信方法であって、
前記映像信号の一部である第１映像信号を含むＨＤＭＩ（登録商標）規格に準拠した電気信号を取得し、取得した前記電気信号を用いて前記第１映像信号を再構成し、
前記映像信号の一部である第２映像信号を含む光信号を取得し、取得した前記光信号を用いて前記第２映像信号を再構成し、
再構成された前記第１映像信号と再構成された前記第２映像信号とを合成して合成映像信号を生成し、生成した前記合成映像信号を前記再構成された信号として出力する、
受信方法。
【手続補正３】
【補正対象書類名】図面
【補正対象項目名】全図
【補正方法】変更
【補正の内容】
【図１】
2017209097.tif 000013
【図２】
2017209097.tif 000014
【図３】
2017209097.tif 000015
【図４】
2017209097.tif 000016
【図５】
2017209097.tif 000017
【図６】
2017209097.tif 000018
【図７】
2017209097.tif 000019
【図８】
2017209097.tif 000020
【図９】
2017209097.tif 000021
【図１０】
2017209097.tif 000022
【国際調査報告】
2017209097.tif 000023
2017209097.tif 000024
2017209097.tif 000025
2017209097.tif 000026